(57)【要約】  さまざまな構造アセンブリを着脱可能に構成する際に用いられる可搬のモジュールコンポーネントのキット。このキットは、３種類の細長い構造支持コンポーネントを含み、第１の種類は、１対の反対向きの雄の端部を有し、第２の種類は、雄の端部および反対側の雌の端部を有し、第３の種類は、１対の反対向きの雌の端部を有し、雄の端部は、雌の端部と着脱可能に係合するように構成されている。雄の端部の各々は、円柱形の本体を備え、円柱形の本体の外周面に２つの間隔を空けて位置する突起からなる少なくとも１つの直線状の突起セットが存在する。雌の端部の各々は、円柱形の本体および少なくとも１つの直線状の突起セットを収容するための１つ以上の直線状チャネルを備えた円柱形のレセプタクル（ｒｅｃｅｐｔａｃｌｅ）を有する。雌の端部は、雄の端部と解除可能に係合するためのロック用アセンブリを備えている。
2019518921.tif 000002
【特許請求の範囲】
【請求項１】
構造アセンブリを着脱可能に構成する際に用いられる可搬のモジュールコンポーネントのキットであって、
１対の反対向きの雄の端部を有している複数の第１の細長い構造支持コンポーネントと、
１対の反対向きの端部を有しており、第１の端部は雄の端部であり、第２の端部は雌の端部である複数の第２の細長い構造支持コンポーネントと、
１対の反対向きの雌の端部を有している複数の第３の細長い構造支持コンポーネントと
を含んでおり、
前記雄の端部は、前記雌の端部に着脱可能に係合するように構成され、前記雄の端部の各々は、円柱形の本体を備え、該円柱形の本体の外周面に少なくとも１つの直線状の突起セットが存在し、各々の突起セットは、間隔を空けて位置する２つ以上の突起を有しており、
前記雌の端部の各々は、前記円柱形の本体を受け入れる円柱形のレセプタクルを有し、該レセプタクルは、前記少なくとも１つの直線状の突起セットをスライドによって受け入れる１つ以上の直線状チャネルを有し、前記雌の端部の各々は、前記雄の端部のうちの１つに解除可能に係合するロック用アセンブリを備えている、キット。
【請求項２】
前記第１の細長い構造支持コンポーネントまたは前記第２の細長い構造支持コンポーネントの前記雄の端部のうちの１つが、前記第２または前記第３の構造支持コンポーネントの長手軸を中心にして回転可能である、請求項１に記載のキット。
【請求項３】
前記第２の細長い構造支持コンポーネントまたは前記第３の細長い構造支持コンポーネントの前記雌の端部のうちの１つが、前記第１または前記第２の構造支持コンポーネントの長手軸を中心にして回転可能である、請求項１に記載のキット。
【請求項４】
前記第１の細長い構造支持コンポーネントおよび／または前記第２の細長い構造支持コンポーネントおよび／または前記第３の細長い構造支持コンポーネントは、半径方向に外側へと延びる１つ以上の雄の端部を有し、該雄の端部の各々は、円柱形の本体を備え、該円柱形の本体の外周面に少なくとも１つの直線状の突起セットまたは間隔を空けて位置する２つ以上のセットが存在し、各々の突起セットは、間隔を空けて位置する２つ以上の突起を有し、該雄の端部は、前記雌の端部に回転可能かつ着脱可能に係合するように構成されている、請求項１に記載のキット。
【請求項５】
撮像装置および／または録音装置および／または音響再生装置および／または照明装置および／または光案内装置を着脱可能に係合させるように構成された１つ以上のモジュールをさらに備え、該モジュールの各々は、前記第２の細長い構造支持コンポーネントまたは前記第３の細長い構造支持コンポーネントに回転可能かつ着脱可能に係合するための雄の端部コンポーネントを備え、あるいは該モジュールの各々は、前記第１の細長い構造支持コンポーネントまたは前記第２の細長い構造支持コンポーネントに回転可能かつ着脱可能に係合するための雌の端部コンポーネントを備えている、請求項１に記載のキット。
【請求項６】
ホイールモジュールおよび／または釣り合いおもりバランスモジュールおよび／またはドームパッドモジュールおよび／または座席モジュールのうちの１つ以上をさらに備え、前記ホイールモジュール、前記釣り合いおもりバランスモジュール、前記ドームパッドモジュール、および前記座席モジュールの各々は、前記第２の細長い構造支持コンポーネントまたは前記第３の細長い構造支持コンポーネントに回転可能かつ着脱可能に係合するための雄の端部コンポーネントを備え、あるいは前記ホイールモジュール、前記釣り合いおもりバランスモジュール、前記ドームパッドモジュール、および前記座席モジュールの各々は、前記第１の細長い構造支持コンポーネントまたは前記第２の細長い構造支持コンポーネントに回転可能かつ着脱可能に係合するための雌の端部コンポーネントを備えている、請求項１に記載のキット。
【請求項７】
１つ以上のキャップ用モジュールをさらに備え、前記キャップ用モジュールは、前記第２の細長い構造支持コンポーネントまたは前記第３の細長い構造支持コンポーネントに着脱可能に係合するための雄の端部コンポーネントを備え、あるいは前記キャップ用モジュールは、前記第１の細長い構造支持コンポーネントまたは前記第２の細長い構造支持コンポーネントに着脱可能に係合するための雌の端部コンポーネントを備えている、請求項１に記載のキット。
【請求項８】
細長い構造要素が、前記第１の細長い構造支持コンポーネントの対向する雄の端部の対および／または前記第２の細長い構造コンポーネントの対向する端部の対および／または前記第３の細長い構造支持コンポーネントの対向する雌の端部の対に介装され、前記細長い構造要素は、管またはロッドであり、該管または該ロッドは、円形の断面または楕円形の断面または正方形の断面または矩形の断面または台形の断面または三角形の断面または六角形の断面または八角形の断面または十角形の断面またはＩ字形の断面を有している、請求項１に記載のキット。
【請求項９】
前記細長い構造要素は、半径方向に外側へと延びる１つ以上の雄の端部を有し、該雄の端部の各々は、円柱形の本体を備え、該円柱形の本体の外周面に少なくとも１つの直線状の突起セットまたは間隔を空けて位置する２つ以上のセットが存在し、各々の突起セットは、間隔を空けて位置する２つ以上の突起を有し、該雄の端部は、前記雌の端部に回転可能かつ着脱可能に係合するように構成されている、請求項８に記載のキット。
【請求項１０】
撮像装置および／または録音装置および／または音響再生装置および／または照明装置および／または光案内装置を着脱可能に係合させるように構成された１つ以上のモジュールをさらに備え、該モジュールの各々は、前記第２の細長い構造支持コンポーネントまたは前記第３の細長い構造支持コンポーネントに回転可能かつ着脱可能に係合するための雄の端部コンポーネントを備え、あるいは該モジュールの各々は、前記第１の細長い構造支持コンポーネントまたは前記第２の細長い構造支持コンポーネントに回転可能かつ着脱可能に係合するための雌の端部コンポーネントを備えている、請求項８に記載のキット。
【請求項１１】
ホイールモジュールおよび／または釣り合いおもりバランスモジュールおよび／またはドームパッドモジュールおよび／または座席モジュールのうちの１つ以上をさらに備え、前記ホイールモジュール、前記釣り合いおもりバランスモジュール、前記ドームパッドモジュール、および前記座席モジュールの各々は、前記第２の細長い構造支持コンポーネントまたは前記第３の細長い構造支持コンポーネントに回転可能かつ着脱可能に係合するための雄の端部コンポーネントを備え、あるいは前記ホイールモジュール、前記釣り合いおもりバランスモジュール、前記ドームパッドモジュール、および前記座席モジュールの各々は、前記第１の細長い構造支持コンポーネントまたは前記第２の細長い構造支持コンポーネントに回転可能かつ着脱可能に係合するための雌の端部コンポーネントを備えている、請求項８に記載のキット。
【請求項１２】
１つ以上のキャップ用モジュールをさらに備え、前記キャップ用モジュールは、前記第２の細長い構造支持コンポーネントまたは前記第３の細長い構造支持コンポーネントに回転可能かつ着脱可能に係合するための雄の端部コンポーネントを備え、あるいは前記キャップ用モジュールは、前記第１の細長い構造支持コンポーネントまたは前記第２の細長い構造支持コンポーネントに回転可能かつ着脱可能に係合するための雌の端部コンポーネントを備えている、請求項８に記載のキット。
【請求項１３】
前記キャップ用モジュールは、ハンドグリップモジュール、ハンドルモジュール、固定式足モジュール、調整式足モジュール、キャップ付き端部プラグモジュール、キャッププレートモジュール、バンパーモジュール、および吸着カップモジュールのうちの１つ以上である、請求項７または１２に記載のキット。
【請求項１４】
ねじロッドを螺合させるためのねじ孔が貫通しているプレートに係合した一端部を有しているモジュールをさらに備え、前記ねじロッドは、雄の端部に固定されたプレートから横方向に延びている、請求項８に記載のキット。
【請求項１５】
１つ以上の雄端部コンポーネントを固定することができ、あるいはオリフィスに前記第１の細長い構造支持コンポーネントまたは要素、あるいは第２の細長い構造支持コンポーネントまたは要素、あるいは第３の細長い構造支持コンポーネントまたは要素の１つ以上を着脱可能かつ随意により回転可能に係合させることができる１つ以上の平らなシートストックモジュールをさらに備える、請求項８に記載のキット。
【請求項１６】
１つ以上の第１のレール転がりモジュールをさらに備え、各々のレール転がりモジュールは、
外向き面と、反対側の内側レール対向面とを有するキャリッジプレートと、
前記キャリッジプレートの前記外向き面に係合しており、前記雌の端部に回転可能かつ着脱可能に係合するように構成されており、円柱形の本体を備えており、該円柱形の本体の外周面に少なくとも１つの直線状の突起セットまたは間隔を空けて位置する２つ以上のセットが存在し、各々の突起セットは、間隔を空けて位置する２つ以上の突起を有している雄の端部と、
前記キャリッジプレートの前記内側レール対向面に向かって延びる一致する斜めのアクスル端部を有しているアクスルブロックと、各々の斜めのアクスル端部に着脱可能に係合した自由に回転するローラとを各々が備えており、前記キャリッジプレートのおおむね両端部において前記キャリッジプレートに係合した１対のローラアセンブリと
を備える、請求項１に記載のキット。
【請求項１７】
前記斜めのアクスル端部の各々は、５度〜９０度の範囲から選択される角度で前記キャリッジプレートの前記内側レール対向面に向かって延びている、請求項１６に記載のキット。
【請求項１８】
取り付けプレートが、前記キャリッジプレートの前記外向き面に着脱可能に係合し、前記雄の端部は、前記取り付けプレートに着脱可能に係合する、請求項１６に記載のキット。
【請求項１９】
前記ローラアセンブリの各々に、衝撃吸収要素が取り付けられている、請求項１６に記載のキット。
【請求項２０】
前記キャリッジプレートの前記内側レール対向面に、レールに制御可能に接離する出し入れ可能な摩擦プレートが取り付けられている、請求項１６に記載のキット。
【請求項２１】
１つ以上の第２のレール転がりモジュールをさらに備え、該第２のレール転がりモジュールの各々は、少なくとも１つの側板によって相互接続された２つの第１のレール転がりモジュールを備え、前記側板は、第１の端部において、前記第１のレール転がりモジュールのうちの一方のレール転がりモジュールの前記１対のローラアセンブリの間に位置する前記キャリッジプレートの前記内側レール対向面または側縁に取り付けられ、前記側板は、第２の反対側の端部において、前記第１のレール転がりモジュールのうちの他方のレール転がりモジュールの前記１対のローラアセンブリの間に位置する前記キャリッジプレートの前記内側レール対向面または側縁に取り付けられている、請求項１６に記載のキット。
【請求項２２】
１つ以上の２ピースカラークランプをさらに備え、前記２ピースカラークランプの一方または両方のピースの外向き面が、１つの雄の端部または２つの雄の端部または３つの雄の端部または４つの雄の端部と着脱可能に係合するように構成されている、請求項１に記載のキット。
【請求項２３】
前記１つ以上の２ピースカラークランプは、前記第１の細長い構造支持コンポーネントおよび／または前記第２の細長い構造支持コンポーネントおよび／または前記第３の細長い構造支持コンポーネントおよび／または前記第１の細長い構造支持要素および／または前記第２の細長い構造支持要素および／または前記第３の細長い構造支持要素と着脱可能に係合するように構成されている、請求項１に記載のキット。
【請求項２４】
１つ以上の３ピースカラークランプをさらに備え、（ｉ）前記カラークランプのピースのうちの１つは、シャフトの約半分を囲むように構成され、１つの雄の端部または２つの雄の端部または３つの雄の端部または４つの雄の端部と着脱可能に係合するように構成された外向き面を有しており、（ｉｉ）残りの２つのピースは、一致しており、前記シャフトの約４分の１を囲むように構成され、フラットプレートと着脱可能に係合するように構成されている、請求項１に記載のキット。
【請求項２５】
１つ以上の外向きの雄の端部と着脱可能に係合する１つ以上の取り付けブロックをさらに備える、請求項１に記載のキット。
【請求項２６】
前記取り付けブロックは、立方体、または底部と３つの上方へと延びる面とを有する等辺ピラミッド、または底部と４つの上方へと延びる面とを有する等辺ピラミッドのうちの１つである、請求項２５に記載のキット。
【請求項２７】
前記取り付けブロックは、円形シャフト、三角形シャフト、正方形シャフト、矩形シャフト、五角形シャフト、六角形シャフト、七角形シャフト、八角形シャフト、および十角形シャフトのうちの１つである、請求項２５に記載のキット。
【請求項２８】
前記第１の細長い構造支持コンポーネントまたは前記第２の細長い構造支持コンポーネントの前記雄の端部には、前記直線状の突起セットが設けられていない、請求項１に記載のキット。
【発明の詳細な説明】
【技術分野】
【０００１】
本開示は、ユーティリティ器具の分野に関し、とくには、多数のユーティリティ目的のための器具の係合および／または支持および／または動作および／または搬送に使用するために種々の組み立ての構成へと取り外し可能に係合させることができるモジュールコンポーネントに関する。
【背景技術】
【０００２】
さまざまな形態のユーティリティ器具が、あらゆる業界にとって不可欠であり、選択された業界の特定のニーズを満たすために、サイズおよび複雑さの両方においてきわめてさまざまであってよい。業界にかかわらず、大部分のユーティリティ器具は、単一の機能を有するように設計されている。したがって、選択された業界の種々のニーズを満たすために、さまざまなユーティリティ器具が必要とされる。
【０００３】
映画制作業界が、さまざまな専用のユーティリティ器具を必要とする業界の一例である。映画制作、ビデオ撮影、および写真撮影における映画的技術は、規模および複雑さの両方において増大している。このような映画的技術は、シーンまたは映写効果に必要なカメラショットを生成するための技術的手段を映画制作者に提供する幅広い範囲のユーティリティ器具、とりわけカメラ支持器具に依存する。さらに、映画セット器具について必要な可搬性および多種性ゆえに、作業場所において効率な移動を実行するために、多種多様なカート、手押し車、スタンド、などが必要である。
【０００４】
さまざまな種類のカメラおよびモーション支持器具が、入手可能であり、映画制作者や写真家によって広く使用されている。一般的に用いられているいくつかの器具として、例えば、ショットに垂直方向および横方向の動きを加える能力をもたらすためのジブまたはクレーンが挙げられ、ジブのサイズに応じて、高角度のショットを達成する能力を有する。同様に、さまざまな種類のドリーも、滑らかに転がるカメラの移動をもたらすことによって、ショットに水平方向の動きを加えることを可能にするために、きわめて大きなシステムからコンパクトなシステムまでのさまざまなサイズで存在する。可搬の身体に支持されるスタビライザおよびジンバルが、カメラのパンおよびチルトの動きを制御する能力を維持しつつ、歩きながら滑らかなショットを撮ることをオペレータにとって可能にする。別の例として、スライダが、本質的に、被支持の軌道上に取り付けることができる簡略版のドリーであり、一直線の経路に沿った滑らかな移動を提供する。
【０００５】
各々の種類のカメラ支持器具は、特定のカメラの角度または動的運動を可能にするように設計される。このようにして、各々の種類のカメラ支持器具は、特定の撮影場所ごとの課題を考慮して、特定の種類のショットを達成するための特定の機能を提供するように設計される。したがって、各々の種類のカメラ支持器具の機能および有用性は、限定的であり、結果として、所与のプロジェクトにおいて多数の種類のカメラ支持器具の使用が必要になることが多い。カメラ支持器具の限定的な多用途性は、シーンまたは効果を達成するためのいくつかの選択肢を映画製作者に提供するために、各々の種類が典型的には個別に使用され、場合によっては種々の組み合わせによって使用され得ることを意味する。しかしながら、これらの選択肢は、多くの場合に、場所の制限、典型的には大型で嵩張る器具のサイズ、ならびに時間、費用、および苦労を必要とする器具の面倒な輸送および設置の性質に起因して、調整が困難である。
【０００６】
現状のシステムは、カメラ支持器具の可搬性および設置／解体の課題への対処を試みているが、輸送および組み立てが容易であり、多数の種類の支持器具を必ずしも必要とすることなくクリエイティブなカメラの角度および動きをサポートするための多用途性および多機能性も提供するシステムについて、ニーズが依然として存在する。
【０００７】
カメラ支持器具において見られる欠点は、建設および演出などの他の業界におけるユーティリティ器具においても共通である。
【発明の概要】
【発明が解決しようとする課題】
【０００８】
本開示は、広くには、ツール、器具、機器、および他の種類の荷物の係合、支持、操作、および動作のためのモジュール式ユーティリティシステムアセンブリに関する。より具体的には、本開示は、作業現場または作業場所における一時的な使用のための堅固かつ丈夫なユーティリティシステムアセンブリであって、複数のモジュール式の構造支持コンポーネントを、ツールまたは器具または機器を取り付け、さらに随意により動作させるように設計された選択されたモジュール、ホイールおよびキャスタなどの転がりコンポーネントを有するモジュール、端部キャップモジュール、ならびにそのようなモジュール式ユーティリティシステムアセンブリの構成において有用であり得る他の種類のモジュールと共に相互接続してしっかりと係合させることによって、構成および迅速な組み立てが可能であるモジュール式ユーティリティシステムアセンブリに関する。モジュール式ユーティリティシステムアセンブリの必要性が満たされ、もはや作業現場または作業場所においてアセンブリが必要でなくなった後に、輸送または保管のためにまとめて集めることができる個々のモジュール要素へと、迅速かつ容易に分解することが可能である。
【課題を解決するための手段】
【０００９】
本開示の一実施形態は、３種類の細長い構造支持コンポーネントに関し、第１の種類は、１対の反対向きの雄の端部を有し、第２の種類は、雄の端部および反対側の雌の端部を有し、第３の種類は、１対の反対向きの雌の端部を有し、雄の端部は、雌の端部と着脱可能に係合するように構成される。雄の端部の各々は、円柱形の本体を備え、円柱形の本体の外周面に、２つの間隔を空けて位置する突起からなる少なくとも１つの直線状の突起セットが存在する。雌の端部の各々は、円柱形の本体および少なくとも１つの直線状の突起セットを収容するための１つ以上の直線状チャネルを備えた円柱形のレセプタクル（ｒｅｃｅｐｔａｃｌｅ）を有する。雌の端部は、雄の端部と解除可能に係合するためのロック用アセンブリを備える。
【００１０】
一態様によれば、雄の端部の円柱形の本体は、２つ以上の間隔を空けて位置する突起からなる２つ以上の直線状の突起セットを有することができ、直線状のセットは、円柱形の本体の外周面を巡って等間隔で位置する。別の態様によれば、雌の端部の円柱形のレセプタクルは、２つ以上の直線状の突起セットを有する円柱形の本体を受け入れるための２つ以上の等間隔で位置する直線状チャネルを有することができる。
【００１１】
一態様によれば、第１および／または第２の種類の細長い構造支持コンポーネントの雄の端部は、第２および／または第３の種類の細長い構造支持コンポーネントの雌の円柱状のレセプタクル内で回転可能であってよい。別の態様によれば、第１および／または第２の種類の細長い構造支持コンポーネントの雄の端部は、第２および／または第３の種類の細長い構造支持コンポーネントの雌の円柱状のレセプタクル内に固定されて堅固に係合し、したがって雄の端部が雌のレセプタクル内で回転不可能であってよい。
【００１２】
本開示の別の実施形態によれば、３種類の細長い構造支持コンポーネントのうちの１つ以上が、細長い構造支持コンポーネントの２つの対向する端部の間に挟まれた細長い構造要素を有することができる。一態様によれば、細長い構造要素は、管状またはロッド状であってよい。別の態様によれば、細長い構造要素は、円形の断面または楕円形の断面または正方形の断面または矩形の断面または台形の断面または三角形の断面または六角形の断面または八角形の断面または十角形の断面またはＩ字形の断面を有することができる。
【００１３】
本開示の別の実施形態は、撮像装置および／または録音装置および／または音響再生装置および／または照明装置および／または光案内装置の着脱可能な係合のために構成されたモジュールに関する。いくつかのモジュールは、ホイールまたはキャスタまたはローラなどを備えることができる。いくつかのモジュールは、座席またはキャップまたはウエイトコンポーネントを備えることができる。いくつかのモジュールは、ハンドグリップあるいは固定式の足ペグまたは調整式の足ペグ、端部キャップ、などを備えることができる。いくつかのモジュールは、一方の端部をモジュールから制御可能に延ばすことができ、その後にモジュール内へと制御可能に引き込むことができる伸縮機構を有することができる。いくつかのモジュールは、円柱状のコンポーネントへと締め付けるために使用することができる２つの対をなすコンポーネントを備えることができる。
【００１４】
本開示の別の実施形態は、本明細書に開示のとおりに構成された１つ以上の雄の端部を係合させることができる取り付けブロックに関する。いくつかの態様によれば、取り付けブロックは、エルボ形状、立方体、三角形、ピラミッド、六角形、八角形、などであってよい。
【００１５】
本開示のいくつかの実施形態は、本明細書に開示の多数のモジュールコンポーネントを複数含むキットに関する。
【００１６】
本開示のいくつかの実施形態は、娯楽および学習の活動における年少者による取り扱いおよび使用に適するように小型化されたモジュール式の細長い構造支持コンポーネントおよび他の要素を着脱可能に係合させるためのモジュールに関する。
【００１７】
本開示のこれらの特徴および他の特徴は、添付の図面を参照する以下の詳細な説明において、さらに明らかになるであろう。
【図面の簡単な説明】
【００１８】
【図１Ａ】閉管の端部から長手方向に延びる１つの雄コンポーネントを有している雄／レセプタクル閉管ローテータモジュールの一例の斜視図であり、雄コンポーネントが前方へと延びており、張力調整ねじノブが左側に示されている斜視図である。
【図１Ｂ】閉管の端部から長手方向に延びる１つの雄コンポーネントを有している雄／レセプタクル閉管ローテータモジュールの一例の斜視図であり、張力調整ねじノブが右側に示されている雄／レセプタクル閉管ローテータモジュールの後部の斜視図である。
【図２】図１に示した雄／レセプタクル閉管ローテータモジュールの後部からの分解斜視図である。
【図３Ａ】２方向閉管ローテータハブアセンブリの一例の斜視図である。
【図３Ｂ】ローテータ閉管ハウジングの側壁に着脱可能に係合した４つの雄部材横マウントアセンブリによって６方向ハブアセンブリへと構成された図１および図２の雄／レセプタクル閉管ローテータモジュールを示している。
【図４Ａ】両側レセプタクル延長管ローテータモジュールの一例の側面図である。
【図４Ｂ】両側レセプタクル延長管ローテータモジュールの断面端面図であり、両側レセプタクル延長管ローテータモジュールに含まれる保持ロックの一例を示している。
【図５Ａ】延長管ハウジングの側壁に着脱可能に係合した２つの雄部材横マウントアセンブリを有する４方向ハブアセンブリへと構成された図４に示した両側レセプタクル延長管ローテータモジュールの斜視図であり、全体の図である。
【図５Ｂ】延長管ハウジングの側壁に着脱可能に係合した２つの雄部材横マウントアセンブリを有する４方向ハブアセンブリへと構成された図４に示した両側レセプタクル延長管ローテータモジュールの斜視図であり、部分分解図である。
【図６Ａ】閉管ジョインナハブアセンブリの斜視図であり、１つのジョインナレセプタクルと、直線的に整列した雄コンポーネントと、ジョインナ閉管ハウジングの側壁に着脱可能に係合した１つの雄部材横マウントアセンブリとを有する３方向ハブアセンブリを示している。
【図６Ｂ】閉管ジョインナハブアセンブリの斜視図であり、１つのレセプタクルと、直線的に整列した雄コンポーネントと、３つの雄部材横マウントアセンブリとを有する５方向ハブアセンブリを示している。
【図７】図６Ｂに示した５方向ハブアセンブリの分解斜視図である。
【図８Ａ】１つの横開口レセプタクルと直線的に整列した雄部材延長管端部アセンブリとを有する雄／レセプタクル横開口ジョインナモジュールの一例を示す全体斜視図である。
【図８Ｂ】１つの横開口レセプタクルと直線的に整列した雄部材延長管端部アセンブリとを有する雄／レセプタクル横開口ジョインナモジュールの一例を示す分解斜視図である。
【図９Ａ】両側雄ジョインナモジュールの一例を示す全体斜視図である。
【図９Ｂ】両側雄ジョインナモジュールの一例を示す分解斜視図である。
【図１０Ａ】両端に雄部材延長管端部アセンブリを有する両側雄延長管ジョインナモジュールの一例を示す全体斜視図である。
【図１０Ｂ】両端に雄部材延長管端部アセンブリを有する両側雄延長管ジョインナモジュールの一例を示す分解斜視図である。
【図１１Ａ】６方向ハブアセンブリへと構成変更された図１０の両側雄延長管ジョインナモジュールを示す全体斜視図である。
【図１１Ｂ】６方向ハブアセンブリへと構成変更された図１０の両側雄延長管ジョインナモジュールを示す部分分解斜視図である。
【図１２Ａ】両側雄アダプタジョインナモジュールの一例を示す全体斜視図である。
【図１２Ｂ】両側雄アダプタジョインナモジュールの一例を示す分解斜視図である。
【図１３Ａ】横マウントブラケットモジュールの変種の一例を示しており、３０°の角度の雄部材マウントブラケットと随意によるクランプブラケットとを有する３０°横マウントブラケットモジュールの分解斜視図である。
【図１３Ｂ】横マウントブラケットモジュールの変種の一例を示しており、４本のブラケットねじで着脱可能に係合する２つの多角度雄部材マウントブラケットを有する多角度横マウントブラケットモジュールの分解斜視図である。
【図１３Ｃ】横マウントブラケットモジュールの変種の一例を示しており、９０°オフセット横マウントブラケットモジュールの一例の斜視図である。
【図１３Ｄ】横マウントブラケットモジュールの変種の一例を示しており、４５°オフセット横マウントブラケットモジュールの一例の斜視図である。
【図１４Ａ】雄部材取り付けブロックモジュールの変種の一例を示しており、９０°エルボ雄部材取り付けブロックモジュールを示している。
【図１４Ｂ】雄部材取り付けブロックモジュールの変種の一例を示しており、立方体雄部材取り付けブロックモジュールを示している。
【図１４Ｃ】雄部材取り付けブロックモジュールの変種の一例を示しており、三角形雄部材取り付けブロックモジュールを示している。
【図１４Ｄ】雄部材取り付けブロックモジュールの変種の一例を示しており、ピラミッド形雄部材取り付けブロックモジュールを示している。
【図１４Ｅ】雄部材取り付けブロックモジュールの変種の一例を示しており、六角形雄部材取り付けブロックモジュールを示している。
【図１４Ｆ】雄部材取り付けブロックモジュールの変種の一例を示しており、八角形雄部材取り付けブロックモジュールを示している。
【図１５Ａ】５°刻みで調整可能な雄部材マウントモジュールの一例を示すモジュールの全体斜視図である。
【図１５Ｂ】５°刻みで調整可能な雄部材マウントモジュールの一例を示すモジュールの分解斜視図である。
【図１６Ａ】２つの取り付けブラケットと３つの雄部材プレートアセンブリとを有するアセンブリのベースプレートモジュールの一例を示すモジュールの全体斜視図である。
【図１６Ｂ】２つの取り付けブラケットと３つの雄部材プレートアセンブリとを有するアセンブリのベースプレートモジュールの一例を示すモジュールの分解斜視図である。
【図１７Ａ】１つの第１の例の両側レセプタクル延長管ジョインナモジュールと、２つの第１の例の雄／レセプタクル延長管ジョインナモジュールとによって構成されたベースプレートアセンブリの別の例を示すアセンブリの全体斜視図である。
【図１７Ｂ】１つの第１の例の両側レセプタクル延長管ジョインナモジュールと、２つの第１の例の雄／レセプタクル延長管ジョインナモジュールとによって構成されたベースプレートアセンブリの別の例を示すアセンブリの分解斜視図である。
【図１８Ａ】４つの第２の例の両側レセプタクル延長管ジョインナモジュールを備えて構成されたトレイアセンブリの一例の斜視図であり、アセンブリの全体図である。
【図１８Ｂ】４つの第２の例の両側レセプタクル延長管ジョインナモジュールを備えて構成されたトレイアセンブリの一例の斜視図であり、アセンブリの部分分解図である。
【図１９Ａ】２つの第１の例の両側レセプタクル横開口ジョインナモジュールと４つの第２の例の両側レセプタクル横開口ジョインナモジュールとを備えて構成されたデスクアセンブリの一例の斜視図であり、アセンブリの全体図である。
【図１９Ｂ】２つの第１の例の両側レセプタクル横開口ジョインナモジュールと４つの第２の例の両側レセプタクル横開口ジョインナモジュールとを備えて構成されたデスクアセンブリの一例の斜視図であり、アセンブリのいくつかの詳細を示す部分分解図である。
【図２０Ａ】照明マウントモジュールの一例の斜視図であり、５／８インチのスピゴット照明マウントモジュールの全体図である。
【図２０Ｂ】照明マウントモジュールの一例の斜視図であり、５／８インチのスピゴット照明マウントモジュールの部分分解図である。
【図２０Ｃ】照明マウントモジュールの別の例の斜視図であり、スピゴットアダプタ照明マウントモジュールの全体図である。
【図２０Ｄ】照明マウントモジュールの別の例の斜視図であり、スピゴットアダプタ照明マウントモジュールの部分分解図である。
【図２１Ａ】レール転がりモジュールの一例の斜視図である。
【図２１Ｂ】レール包囲転がりモジュールの一例の斜視図である。
【図２２】図２１に示したレール転がりモジュールの分解斜視図である。
【図２３Ａ】ホイールモジュールの一例の斜視図であり、アクスルボルトによってホイールアクスル／レセプタクル横開口ジョインナモジュールへと取り付けられた標準的なホイールを有するホイールモジュールアセンブリの全体図である。
【図２３Ｂ】ホイールモジュールの一例の斜視図であり、アクスルボルトによってホイールアクスル／レセプタクル横開口ジョインナモジュールへと取り付けられた標準的なホイールを有するホイールモジュールアセンブリの部分分解図である。
【図２３Ｃ】ホイールモジュールの別の例の斜視図であり、キャスタホイールモジュールアセンブリの全体図である。
【図２３Ｄ】ホイールモジュールの別の例の斜視図であり、キャスタホイールモジュールアセンブリの分解図である。
【図２４Ａ】水平出し用足モジュールの一例の全体斜視図である。
【図２４Ｂ】水平出し用足モジュールの一例の分解斜視図である。
【図２４Ｃ】足プレートモジュールの一例の分解斜視図である。
【図２５Ａ】パッドコンポーネントに着脱可能に係合した枢動可能な支持モジュールの一例の部分分解斜視図である。
【図２５Ｂ】パッドコンポーネントに着脱可能に係合した枢動可能な支持モジュールの一例の全体斜視図である。
【図２５Ｃ】吸着カップコンポーネントの一例に着脱可能に係合した枢動可能な支持モジュールの全体図である。
【図２６Ａ】ウエイトモジュールアセンブリの一例の斜視図であり、１つの第２の両側レセプタクル延長管ローテータモジュールを備えて構成されたアセンブリの全体図である。
【図２６Ｂ】ウエイトモジュールアセンブリの一例の斜視図であり、１つの第２の両側レセプタクル延長管ローテータモジュールを備えて構成されたアセンブリの部分分解図である。
【図２７Ａ】伸縮延長モジュールの一例を示す全体斜視図である。
【図２７Ｂ】伸縮延長モジュールの一例を示す分解斜視図である。
【図２７Ｃ】伸縮延長モジュールの一例を示しており、伸縮延長モジュールに含まれるねじロッドおよび保持コンポーネントを示す断面図である。
【図２８Ａ】グリップ端部キャップモジュールの一例を示しており、ロック位置にあるモジュールの外側スリーブを示す斜視図である。
【図２８Ｂ】グリップ端部キャップモジュールの一例を示しており、分解斜視図である。
【図２８Ｃ】グリップ端部キャップモジュールの一例を示しており、ロック位置にある外側スリーブを示す分解斜視図である。
【図２８Ｄ】グリップ端部キャップモジュールの一例を示しており、非ロック位置にある外側スリーブを示す上面図である。
【図２８Ｅ】グリップ端部キャップモジュールの一例を示しており、ロック位置にある外側スリーブを示す上面図である。
【図２９Ａ】第１の雄／レセプタクル延長管ローテータモジュールの１つに取り付けられたシェル端部キャップモジュールの一例の斜視図であり、全体の図である。
【図２９Ｂ】第１の雄／レセプタクル延長管ローテータモジュールの１つに取り付けられたシェル端部キャップモジュールの一例の斜視図であり、部分分解図である。
【図３０Ａ】図２９に示した典型的なシェル端部キャップモジュールに取り付けられた雌のドームパッド端部キャップモジュールの一例の全体斜視図である。
【図３０Ｂ】図２９に示した典型的なシェル端部キャップモジュールに取り付けられた雌のドームパッド端部キャップモジュールの一例の分解斜視図である。
【図３０Ｃ】雄部材フラットマウントアセンブリが取り付けられた雄のドームパッド端部キャップモジュールの一例の全体斜視図である。
【図３０Ｄ】雄部材フラットマウントアセンブリが取り付けられた雄のドームパッド端部キャップモジュールの一例の分解斜視図である。
【図３１Ａ】雄部材プレートアセンブリが取り付けられた座席モジュールの一例の全体斜視図である。
【図３１Ｂ】雄部材プレートアセンブリが取り付けられた座席モジュールの一例の分解斜視図である。
【図３２Ａ】バンパー端部キャップモジュールの一例の全体斜視図である。
【図３２Ｂ】バンパー端部キャップモジュールの一例の分解斜視図である。
【図３３Ａ】軟質端部キャップコンポーネントの全体斜視図である。
【図３３Ｂ】軟質端部キャップコンポーネントの分解斜視図である。
【図３３Ｃ】閉管ローテータハブアセンブリへと取り付けられた軟質端部キャップコンポーネントの斜視図である。
【図３３Ｄ】硬質端部キャップコンポーネントの斜視図である。
【図３３Ｅ】閉管ローテータハブアセンブリへと取り付けられた硬質端部キャップコンポーネントの斜視図である。
【図３３Ｆ】平坦な端部キャップコンポーネントを延長管ハウジングと共に示す分解斜視図である。
【図３４】本明細書に開示のモジュールコンポーネントのいくつかで組み立てられたクラブ操舵ドリーシステムの一例の斜視図である。
【図３５】本明細書に開示のモジュールコンポーネントのいくつかで組み立てられた垂直レールトラッキングドリーシステムの一例の斜視図である。
【図３６】本明細書に開示のモジュールコンポーネントのいくつかで組み立てられた横置きレールトラッキングドリーシステムの一例の斜視図である。
【図３７】本明細書に開示のモジュールコンポーネントのいくつかで組み立てられた転がりジブシステムの一例の斜視図である。
【図３８】本明細書に開示のモジュールコンポーネントのいくつかで組み立てられたローアングルベースプレート支持システムの一例の斜視図である。
【図３９】本明細書に開示のモジュールコンポーネントのいくつかで組み立てられた横置き地上レールトラッキングドリーシステムの一例の斜視図である。
【図４０】本明細書に開示のモジュールコンポーネントのいくつかで組み立てられた２連ベースプレートＡ型フレームドリーシステムの一例の斜視図である。
【図４１】本明細書に開示のモジュールコンポーネントのいくつかで組み立てられた４キャスタのキャスタ上ベースプレートドリーシステムの一例の斜視図である。
【図４２】本明細書に開示のモジュールコンポーネントのいくつかで組み立てられた手持ちカメラスタビライザアセンブリの一例の斜視図である。
【図４３】本明細書に開示のモジュールコンポーネントのいくつかで組み立てられた垂直レールトラッキングスタンドアセンブリの一例の斜視図である。
【図４４】本明細書に開示のモジュールコンポーネントのいくつかで組み立てられた照明支持ラックシステムの一例の斜視図である。
【図４５】本明細書に開示のモジュールコンポーネントのいくつかで組み立てられたＡ型フレームスプーリングカートシステムの一例の斜視図である。
【図４６】本明細書に開示のモジュールコンポーネントのいくつかで組み立てられた引っ張りカートシステムの一例の斜視図である。
【図４７】本明細書に開示のモジュールコンポーネントのいくつかで組み立てられたユーティリティカートシステムの一例の斜視図である。
【図４８】本明細書に開示のモジュールコンポーネントのいくつかで組み立てられたモジュール式作業ステーションの一例の斜視図である。
【発明を実施するための形態】
【００１９】
定義
他に定義されない限り、本明細書で使用されるすべての技術用語および科学用語は、本開示に関係する技術分野の当業者によって一般的に理解される意味と同じ意味を有する。
【００２０】
本明細書において使用されるとき、用語「約」は、所与の値から約±１０％の変動を指す。そのような変動が、具体的に言及されているか否かにかかわらず、本明細書で提示される所与の値に常に含まれることを理解すべきである。
【００２１】
本明細書において使用されるとき、用語「斜視図」は、本明細書に開示されるコンポーネントまたはモジュールまたはアセンブリについて、より現実的な像および表現のためにコンポーネントまたはモジュールまたはアセンブリの高さ、幅、および奥行きを描く三次元の図を指す。
【００２２】
本明細書において使用されるとき、用語「上面図」は、コンポーネントまたはモジュールまたはアセンブリについて、コンポーネントまたはモジュールまたはアセンブリの上面を直接見下ろす図を指す。
【００２３】
本明細書において使用されるとき、用語「後面図」は、コンポーネントまたはモジュールまたはアセンブリについて、コンポーネントまたはモジュールまたはアセンブリの後部を水平方向に直接眺める図を指す。
【００２４】
本明細書において使用されるとき、用語「正面図」は、コンポーネントまたはモジュールまたはアセンブリについて、コンポーネントまたはモジュールまたはアセンブリの前部を水平方向に直接眺める図を指す。
【００２５】
本明細書において使用されるとき、用語「側面図」は、コンポーネントまたはモジュールまたはアセンブリについて、コンポーネントまたはモジュールまたはアセンブリの側面を水平方向に直接眺める図を指す。
【００２６】
本明細書において使用されるとき、用語「底面図」は、コンポーネントまたはモジュールまたはアセンブリについて、コンポーネントまたはモジュールまたはアセンブリの底面を直接見上げる図を指す。
【００２７】
本明細書において使用されるとき、用語「ローテータモジュール（ｒｏｔａｔｏｒ  ｍｏｄｕｌｅ）」または「ローテータアセンブリ（ｒｏｔａｔｏｒ  ａｓｓｅｍｂｌｙ）」は、他のモジュールまたはアセンブリと着脱可能に係合するように構成されたコンポーネントまたはアセンブリであって、制御された回転の機能を有しており、２つのモジュールまたはアセンブリの間に構造的に堅固かつ安定な接続をもたらすコンポーネントまたはアセンブリを意味する。ローテータモジュールは、（ｉ）１つのローテータレセプタクルおよび反対側の雄の端部、（ｉｉ）２つの反対向きのローテータレセプタクル、あるいは（ｉｉｉ）１つのローテータレセプタクルおよび反対側のジョインナレセプタクルを、円柱形の管またロッド、あるいは正方形の管またはロッド、あるいは矩形の管またはロッド、あるいは台形の管またはロッド、あるいは三角形の管またはロッド、あるいは六角形の管またはロッド、あるいは八角形の管またはロッド、あるいは十角形の管またはロッド、あるいはＩ字形の管またはロッドによって隔てて備えることができ、管またはロッドは、レセプタクル間あるいはレセプタクルと雄の端部との間にさまざまな長さの延長をもたらすようにさまざまな長さであってよい。「ハブモジュール」または「ハブアセンブリ」と定義される特定のローテータモジュールを、アセンブリシステム内の複数のモジュールに対して枢動可能かつロック可能な角度相互接続点を提供するように構成することができる。
【００２８】
本明細書において使用されるとき、用語「ジョインナモジュール（ｊｏｉｎｅｒ  ｍｏｄｕｌｅ）」または「ジョインナアセンブリ（ｊｏｉｎｅｒ  ａｓｓｅｍｂｌｙ）」は、選択されたモジュール間に着脱可能な構造的接続および延長をもたらすように構成されたコンポーネントを意味する。ジョインナモジュールは、（ｉ）１つのジョインナレセプタクルおよび反対側の雄の端部、（ｉｉ）２つの反対向きのジョインナレセプタクル、あるいは（ｉｉｉ）２つの雄の端を、円柱形の管またロッド、あるいは正方形の管またはロッド、あるいは矩形の管またはロッド、あるいは台形の管またはロッド、あるいは三角形の管またはロッド、あるいは六角形の管またはロッド、あるいは八角形の管またはロッド、あるいは十角形の管またはロッド、あるいはＩ字形の管またはロッドによって隔てて備えることができ、管またはロッドは、ジョインナレセプタクルの間、あるいはジョインナレセプタクルと雄の端部との間、あるいは雄の端部の間にさまざまな長さの延長をもたらすようにさまざまな長さであってよい。「ハブモジュール」または「ハブアセンブリ」と定義される特定のジョインナモジュールを、アセンブリシステム内の複数のモジュールに対して枢動可能かつロック可能な角度相互接続点を提供するように構成することができる。
【００２９】
本明細書において使用されるとき、用語「ハブモジュール」または「ハブアセンブリ」は、選択されたモジュールの間に構造的な角度相互接続点を提供するように構成されたコンポーネントまたはアセンブリを意味する。ハブモジュールまたはアセンブリは、さまざまな構造構成の選択肢を提供するために、複数の雄部材および／またはレセプタクルをさまざまな数および向きにて備えることができる。いくつかの実施形態によれば、ハブモジュールおよびハブアセンブリを、各々のモジュールまたはアセンブリがさまざまな数および向きの雄部材および／またはレセプタクルを有するさまざまな構造要件に合わせて構成されたモジュールコンポーネントのグループであると定義することができる。いくつかの実施形態によれば、ハブモジュールおよびハブアセンブリを、１つ以上の雄部材を例えばジョインナモジュールまたはローテータモジュールなどの他のモジュールに着脱可能に組み合わせることにより、ハブモジュールまたはハブアセンブリに特定の機能をもたらすと共に、追加された雄部材によって直接の構造的な着脱可能な接続を形成することができるモジュール構成と定義することができる。
【００３０】
本明細書において使用されるとき、用語「雄部材マウントモジュール」は、アセンブリへの固定された組み込みまたは枢動可能な組み込みのための着脱可能な係合機構を有しており、特殊機能のハブアセンブリを可能にする雄部材横マウントブラケットモジュールおよび雄部材取り付けブロックモジュールを含むモジュールの種類を意味する。
【００３１】
本明細書において使用されるとき、用語「ツール支持モジュール」および「荷重支持モジュール」は、アセンブリへの固定された組み込みまたは枢動可能な組み込みのための着脱可能な係合機構を有しており、選択されたツールまたは荷物と直接取り合うモジュールの種類を意味する。ツール支持アセンブリおよび荷重支持アセンブリを、選択されたツールまたは荷物をアセンブリへと枢動可能に取り付け、あるいは固定して取り付けるように、ユーザによって構成することができる。
【００３２】
本明細書において使用されるとき、用語「ベースプレートモジュール」および「ベースプレートアセンブリ」は、カメラ、マイクロホン、あるいは他のツールまたは支持すべき荷物と安定かつ確実に着脱可能に係合するように構成されたモジュールまたはアセンブリを意味する。
【００３３】
本明細書において使用されるとき、用語「トレイモジュール」または「トレイアセンブリ」は、作業現場または他の場所において器具、所有物、資材、材料、補給品、などを搬送するための枢動可能または固定された箱支持機能またはトレイ支持機能を提供するように構成されたコンポーネントを指す。あるいは、トレイモジュールまたはトレイアセンブリを、棚システム、またはテーブル、あるいはステージプラットフォームとして使用してもよい。
【００３４】
本明細書において使用されるとき、用語「テーブルモジュール」または「テーブルアセンブリ」あるいは「デスクモジュール」または「デスクアセンブリ」あるいは「棚モジュール」または「棚アセンブリ」は、テーブルまたは作業ステーションまたは棚の構成を提供し、あるいはステージプラットフォームとして使用されてよいコンポーネントまたはモジュールアセンブリを指す。
【００３５】
本明細書において使用されるとき、用語「照明マウントモジュール」は、標準的な照明器具または他の同様の荷物と着脱可能に係合する照明マウントスピゴットまたは他の取り付け手段を提供するためにアセンブリに組み込むことができるコンポーネントまたはモジュールアセンブリを指す。
【００３６】
本明細書において使用されるとき、用語「ベースモジュール」は、アセンブリにローラモジュールまたはホイールモジュールまたは釣り合いバランス／ベースウエイトモジュールまたは足モジュールまたは延長可能な支持モジュールを提供するためにアセンブリへの固定された取り付けまたは枢動可能な取り付けのための着脱可能な係合機構を有しているモジュールの種類を意味する。
【００３７】
本明細書において使用されるとき、用語「レール転がりモジュール」は、レール軌道アセンブリ上での転がり機能またはスライド機能を提供するために２対の直列ホイールアセンブリで構成されたモジュールアセンブリを意味する。
【００３８】
本明細書において使用されるとき、用語「レール包囲転がりモジュール」は、レール軌道アセンブリ上での転がり機能またはスライド機能を提供するように構成された２対の直列ホイールアセンブリを２組対向させて構成されたモジュールアセンブリを意味する。
【００３９】
本明細書において使用されるとき、用語「レール軌道アセンブリ」は、支持アセンブリの所望の移動経路をもたらすためにレール転がりモジュールあるいはレール包囲転がりモジュールを受け止めて支持するように構成されたモジュールアセンブリを指す。レール軌道アセンブリは、直線状であっても、湾曲していてもよく、随意により所望の曲線および曲線をなす構成の組み立てを可能にするための可撓な長さを有することができる。
【００４０】
本明細書において使用されるとき、用語「ホイールモジュール」は、支持アセンブリに転がり機能を提供するために支持アセンブリへと着脱可能に係合させられる固定のホイールあるいは枢動可能なホイールを有するモジュールアセンブリを意味する。ホイールは、空気入り、中実ゴム、プラスチック、または発泡体であってよい。
【００４１】
本明細書において使用されるとき、用語「ウエイトモジュール」および「ウエイトアセンブリ」は、支持アセンブリ内に運用可能な釣り合いおもり、ベースウエイト、または重さのある足モジュールの機能をもたらすコンポーネントまたはモジュールアセンブリを指す。ウエイトモジュールおよびウエイトアセンブリを、多様な範囲の支持の選択肢を提供するために、さまざまなサイズ、重量、およびモジュールにて構成することができる。
【００４２】
本明細書において使用されるとき、用語「伸縮延長モジュール」は、モジュールの直線長の伸縮を可能にするための長さ調整機構を有している２方向の構造的延長を提供するコンポーネントを意味する。
【００４３】
本明細書において使用されるとき、用語「水平出し足モジュール」は、アセンブリの構成を平坦でない表面または地形上に配置することを容易にするための高さ調整機構を備えた足コンポーネントを必要とするアセンブリのためのコンポーネントを意味する。
【００４４】
本明細書において使用されるとき、用語「端部キャップモジュール」は、構造支持アセンブリへと組み込むことができる末端ならびに把持機能またはハンドル機能または足機能またはパッド機能またはバンパー機能またはキャップ機能を提供するための着脱可能な係合機構を有するモジュールの種類を意味する。
【００４５】
本明細書において使用されるとき、用語「座席モジュール」は、乗用ドリーアセンブリなどにおいてオペレータを乗せる必要がある場合や、スツール、ベンチ、または作業ステーションアセンブリのコンポーネントとして、構造支持アセンブリに組み込まれる座席コンポーネントを有するモジュールアセンブリを意味する。
【００４６】
本明細書において使用されるとき、用語「単位スケール」は、スケーブルな測定単位を指し、その範囲内で、システムの構造化可能なモジュールコンポーネントの相対の割合をモジュールの相互互換性を可能にするように普遍的に構築可能であり、述べられるあらゆる値は、相互互換性を知らせるために使用されており、本開示のシステムのサイズまたは相対的な割合を限定しようとするものではない。測定単位は、システムフォーマットの尺度単位、メートル系、または英単位系であってよい。
【００４７】
本明細書において使用されるとき、用語「システムフォーマット」は、本明細書で開示されるモジュールのグループのスケールおよび着脱可能な係合の特徴の共有設計特性を意味し、各々のモジュールは、他の各モジュールとの着脱可能な係合を容易にする類似または互換の機構を備え、随意によりシステム全体の単位スケールを共有することができる。
【００４８】
本明細書に開示されるモジュール式ユーティリティおよび支持アセンブリは、幅広い取り合わせの組み合わせに着脱可能に係合させることによって、種々の固定および可動の荷重支持器具および材料支持能力にて使用することができるアセンブリを形成することができる複数のモジュールを備える。システムのモジュール性により、システムを個々のモジュールアセンブリおよび／またはコンポーネントへと分解して、輸送および保管を容易にすることができる。また、本明細書に開示されるシステムのモジュール性は、個々のモジュールを或る１つの種類のアセンブリへと容易に構成し、次いで輸送および／または保管のために迅速かつ容易に分解し、その後に別の種類の機能を有する新たな構成の別の種類のアセンブリへと着脱可能に係合させることができる点で、多機能性を可能にする。
【００４９】
本明細書で開示されるモジュールコンポーネントは、一般に、モジュールを迅速、容易、安定、かつ確実に相互接続して、所定位置に固定することを可能にする着脱可能な係合機構を備える。このようにして、モジュールを、さまざまな種類のツール、器具、機器などを着脱可能に係合、支持、および操作するための多種多様の有用なユーティリティアセンブリへと迅速かつ確実に相互接続することができる。あるいは、モジュールを、例えば作業現場または遊び場などの現場において荷物を収容および運搬するための多種多様の有用なユーティリティアセンブリへと迅速かつ確実に相互接続することができ、ひとたびユーティリティアセンブリが現場において完成すると、その後に除去して保管施設へと運び、あるいは別の現場へと運んで別の種類のユーティリティアセンブリを構成に使用するために、個々のモジュールを切り離して分解することによって迅速かつ容易に解体することができる。
【００５０】
本明細書に開示のモジュールコンポーネントの着脱可能な係合によって構成および組み立て可能なユーティリティシステムの種類に、制限は存在しない。大部分のユーティリティアセンブリの構成は、一般に、複数のローテータモジュール、複数のジョインナモジュール、複数のハブモジュールおよび／またはハブアセンブリ、複数の雄部材マウントモジュール、複数のツール／荷重支持モジュール、複数のベースモジュール、および複数の端部キャップモジュールを含み、複数のモジュールは、さまざまなユーティリティまたは支持システムを形成するようにさまざまな構成で相互接続される。
【００５１】
本開示の一実施形態は、多種多様な構造アセンブリを構成するために互いに着脱可能に係合させて使用することができる３種類の可搬のモジュールコンポーネントに関する。第１の種類の可搬のモジュールコンポーネントは、１対の反対向きの雄の端部を有する細長い構造支持コンポーネントを含む。第２の種類の可搬のモジュールコンポーネントは、第１の端部が雄の端部であり、第２の端部が雌の端部である１対の反対向きの端部を有する細長い構造支持コンポーネントを含む。第３の種類の可搬のモジュールコンポーネントは、１対の反対向きの雌の端部を有する細長い構造支持コンポーネントを含む。第１および第２の種類の可搬のモジュールコンポーネントの雄の端部は、第２および第３の種類の可搬のモジュールコンポーネントの雌の端部に着脱可能に係合するように構成される。
【００５２】
本開示の別の実施形態によれば、第１の種類の細長い構造支持コンポーネントおよび／または第２の種類の細長構造支持コンポーネントおよび／または第３の種類の細長構造支持コンポーネントは、対向する端部の対の間に介装された細長い構造要素を有することができる。一態様によれば、細長い構造要素は、管であってよい。別の態様によれば、細長い構造要素は、ロッドであってよい。
【００５３】
一態様によれば、雄の端部の各々は、円柱形の本体を備えることができ、円柱形の本体の外周面に少なくとも１つの直線状の突起セットまたは間隔を空けて位置する２つ以上のセットが存在し、各々の突起セットは、間隔を空けて位置する２つ以上の突起を有する。いくつかの態様によれば、雄の端部のうちのいくつかは、円柱形の本体の外周を巡って間隔を空けて位置する２つの直線状の突起セットを有することができ、あるいは円柱形の本体の外周を巡って間隔を空けて位置する３〜１２の突起セットを有することができる。いくつかの態様によれば、各々の突起セットは、１〜８つの間隔を空けて突起を有することができる。いくつかの態様によれば、雄の端部のいくつかは、突起を有していなくてもよい。
【００５４】
別の態様によれば、雌の端部の各々は、本明細書に開示の雄の円柱形本体を受け入れるための円柱形のレセプタクルを有することができる。雌のレセプタクルは、雄の端部の突起をスライドさせて受け入れるための少なくとも１つの直線状チャネルを有することができる。いくつかの態様によれば、雌の端部のいくつかは、円柱形本体の外周を巡って間隔を空けて位置する２つの直線状の突起セットを有する雄の円柱形本体を受け入れるために、レセプタクルの円周を巡って間隔を空けて位置する２つの直線状チャネルを備えるレセプタクルを有することができる。あるいは、雌の端部のいくつかは、円柱形本体の外周を巡って間隔を空けて位置する３〜１２個の直線状の突起セットを有する雄の円柱形本体をスライドにて受け入れるために、３〜１２個の間隔を空けて位置する直線状チャネルを備えるレセプタクルを有することができる。別の態様によれば、第２の種類または第３の種類の細長い構造支持コンポーネントまたは要素の雌の端部のレセプタクル内の各々の直線状チャネルは、雄の円柱形本体上の間隔を空けて位置した突起に回転可能かつ着脱可能に係合するように、この直線状チャネルから円柱形のレセプタクルの円周の全体または一部について延びる１つ以上の横チャネルを有することができる。別の態様によれば、雌の端部は、直線状チャネルを有さなくてもよく、突起を有していない雄の端部の雄の円柱形本体に着脱可能に係合する。別の態様によれば、雌の端部のいくつかは、雄の端部のうちの１つと解除可能に係合するためのロックアセンブリを備えることができる。
【００５５】
本開示の別の実施形態によれば、第１の種類または第２の種類の細長い構造支持コンポーネントまたは要素の１つ以上の雄の端部は、第２の種類または第３の種類の細長い構造支持コンポーネントまたは要素の長手軸を中心にして回転可能であってよい。
【００５６】
本開示の別の実施形態によれば、第２の種類または第３の種類の細長い構造支持コンポーネントまたは要素の１つ以上の雌の端部は、第１の種類または第２の種類の細長い構造支持コンポーネントまたは要素の長手軸を中心にして回転可能であってよい。
【００５７】
本開示の別の態様によれば、第１の種類の細長い構造支持コンポーネントまたは要素ならびに／あるいは第２の種類の細長い構造支持コンポーネントまたは要素ならびに／あるいは第３の種類の細長い構造支持コンポーネントまたは要素の１つ以上が、半径方向に外側へと延びる１つの雄の端部を有することができ、この雄の端部は、円柱形の本体を備え、円柱形の本体の外周面に少なくとも１つの直線状の突起セットまたは間隔を空けて位置する２つ以上のセットが存在し、この雄の端部は、雌の端部に回転可能かつ着脱可能に係合するように構成される。一態様によれば、第１の種類の細長い構造支持コンポーネントまたは要素ならびに／あるいは第２の種類の細長い構造支持コンポーネントまたは要素ならびに／あるいは第３の種類の細長い構造支持コンポーネントまたは要素から同じ平面または異なる平面において半径方向外側へと延びる２つ以上の雄の端部が存在でき、これらの雄の端部の各々は、円柱形の本体を備え、この円柱形の本体の外周面に少なくとも１つの直線状の突起セットまたは間隔を空けて位置する２つ以上のセットが存在し、これらの雄の端部は、雌の端部に回転可能かつ着脱可能に係合するように構成される。
【００５８】
本開示の別の実施形態は、第２の種類の細長い構造支持要素または要素あるいは第３の種類の細長い構造支持要素または要素の雌の端部と着脱可能に係合するための雄の端部コンポーネントを有する端部キャップモジュールに関する。本開示の別の実施形態は、第１の種類の細長い構造支持要素または要素あるいは第２の種類の細長い構造支持要素または要素の雄の端部と着脱可能に係合するための雌の端部コンポーネントを有する端部キャップモジュールに関する。
【００５９】
本明細書で開示されるコンポーネントおよびアセンブリのモジュール性は、ユーティリティアセンブリのカスタマイズを可能化および容易化する。本明細書で開示されるいくつかの実施形態によれば、選択された種類または特定の種類の所望のユーティリティアセンブリおよび／または支持アセンブリへと組み立てることが可能な複数のさまざまなモジュールコンポーネントを含むカスタマイズ可能なキットが提供される。このようにして、本開示のモジュールコンポーネント、アセンブリ、およびシステムは、現場での多用途性および使い易さを提供する。本モジュールの多用途性および使い易さおよび構成を例示する目的で、以下の説明（ただし、これらに限られるわけではない）は、カメラ、音響器具、照明器具、小道具、ならびに映画制作、ビデオ撮影、および写真撮影の用途において用いられる他の種類の器具との着脱可能な係合に有用であり、いくつかの一般的なユーティリティカートの用途においても有用であり、いくつかの一般的な作業ステーションの用途においても有用であるユーティリティアセンブリの例に言及する。
【００６０】
映画セットまたは制作スタジオまたは写真撮影スタジオまたはパフォーマンス会場またはスポーツ会場あるいは映画、ビデオ、テレビ番組、スポーツ、ニュース、ドキュメンタリー、ミュージックビデオ、タイムラプス写真、およびスチール写真の撮影に一般的に使用される他の場所において、さまざまな種類のユーティリティ器具および／またはツールおよび／または装置および／またはコンポーネントおよび／または部品および／または資材および／または供給品を係合させ、支持し、搬送するための多数の異なる構成へと確実かつ安定に相互接続および組み立てすることができるさまざまな種類の着脱可能に係合させることができるモジュールを説明するために、本開示のモジュールコンポーネントおよびモジュールアセンブリの実施形態のいくつかの例を、図１〜図３３を参照して説明する。当業者であれば、建設、造園、農業、工業、ヘルスケア、小売、倉庫、などの他の種類の現場において有用であり、あるいはいくつかの家庭および娯楽の用途における使用において有用であるアセンブリのために、本明細書に開示のモジュールおよびモジュールアセンブリを確実かつ安定に着脱可能に係合させる方法を、理解できるであろう。特定のアセンブリに組み込むことができるモジュールの数および種類は、ユーティリティまたは支持システムの意図される最終用途に応じてさまざまであろう。しかしながら、組み立てられたシステムは、一般的には、図１〜図５に例示されるローテータモジュールのグループのうちの１つ以上、図６〜図１２に例示されるジョインナモジュールのグループのうちの１つ以上、図１３〜図１５に例示される雄部材マウントモジュールのグループのうちの１つ以上、図３、５〜７、１１、および１３〜１５に例示されるハブモジュールおよびハブアセンブリのグループのうちの１つ以上、図１６〜図２０に例示されるツール／荷重支持モジュールのグループのうちの１つ以上、図２１〜図２７に例示されるベースモジュールのグループのうちの１つ以上、および図２８〜３３に例示される端部キャップモジュールのグループのうちの１つ以上を含む。
【００６１】
モジュールを、例えば、ドリー、カート、軌道、スタンド、テーブル、作業ステーション、座席、棚、ベッドフレーム、手すり、ステージ、仕切り、などのさまざまなユーティリティシステムおよび支持構造を組み立てるために使用することができる。図３４〜図４８が、本明細書に開示のモジュールコンポーネントおよびモジュールアセンブリの組み合わせによって構成することができるさまざまな種類のユーティリティおよび支持アセンブリの例を示している。
【００６２】
本明細書で開示されるすべてのモジュールが、広範な機能的能力あるいは特別な機能を提供するためのさまざまなユーティリティシステムアセンブリへの自在な相互接続性を提供することに留意されたい。アセンブリの必要性が終了した後に、アセンブリを輸送および／または保管のために個々のモジュールコンポーネントへと容易に解体することができる。例えば、図１６および図１７に例示されるベースプレートモジュールおよびアセンブリなどのベースプレートモジュールおよびアセンブリは、カメラ、マイクロホン、あるいはそのような器具またはツールの固定に有用である。他の実施形態によれば、１つ以上のトレイモジュールおよび１つ以上のテーブル／デスクモジュール（図１８および図１９）を、或る場所において器具、資材、消耗品、などを輸送するように構成することができ、可動または不動の作業ステーションとして構成することができる。１つ以上の照明マウントモジュール（図２０）を、照明または音響または他の同様の器具を取り外し可能に係合させるために、ユーティリティシステムアセンブリに組み込むことができる。他の実施形態によれば、ホイールモジュール（図２３）を、システムアセンブリに転がり機能を提供するように構成することができ、あるいは足モジュール（図２４および図２５）を、固定の配置において取り入れることができる。他の実施形態によれば、システムアセンブリは、システムを延ばされた長さまたは一連のレール軌道アセンブリ（図３４、図３５、図３６、図３９、および図４３を参照）において移動または通過させることができる１つ以上のレール転がりモジュール（図２１および図２２）を備えることができる。さらに、ウエイトモジュール（図２６）を、必要に応じて、構造的な釣り合いバランスおよびベース安定性の選択肢のために、システムに取り入れることができる。さらに、システムアセンブリは、１つ以上の伸縮延長モジュール（図２７）を含むことができる。さらに、ハンドル、足、パッド、座席、バンパー、およびキャップのコンポーネントおよびモジュールを含む端部キャップモジュールのグループ（図２８〜図３３）のうちの１つ以上を、さまざまな最終用途の要件の機能のためにシステム内に備えることができる。
【００６３】
着脱式係合機構
本開示の実施形態の重要な特徴は、モジュールを互いに確実かつ安定に固定するために、或るモジュールについて別のモジュールとの迅速、安定、かつ確実な係合を可能化および容易化する機構に関する。本明細書に開示されるモジュールのいくつかは、一端部または両端部に３６０°の回転運動を可能にする機能的な枢支点をもたらすように構成された一端部または両端部を有する。
【００６４】
図１〜図３３が、本明細書に開示される典型的なユーティリティシステムおよび支持構造の構造的なコンポーネントおよびフレームワークを一般的に具現化する種々の典型的な相互接続モジュールを示している。これらのモジュールの各々は、本開示の実施形態による可逆結合機構の全部または一部を備え、説明の目的で参照される。可逆結合機構のさまざまな実施形態の全部または一部が、本明細書に記載の実施形態によるより大きなシステムへの相互接続を可能にするための任意のモジュールのコンポーネントを構成できることを、理解できるであろう。可逆結合機構は、ユニット１１，２１１，２５２に示されるとおりの一方のモジュール内のレセプタクルを備えることができ、レセプタクルは、別のモジュールの雄コンポーネント７０を有する雄部材を受け入れ、雄部材と係合するように構成される。
【００６５】
雄コンポーネント７０は、一般に、保持ロック面取り部として機能する面取りされた前縁８６を有する第１のカラー８７ａ（すなわち、遠位側カラー）と、第１のカラー８７ａを第２のカラー８７ｂ（すなわち、近位側カラー）から隔てるネック部８８とを備える。４つの突起８２が、カラー８７ａ、８７ｂの各々から半径方向外側へと延びている。突起８２は、例えば、ジョインナレセプタクル２１１（図６）に設けられた突起保持スロット２２３、または横開口ジョインナレセプタクル２５２に設けられた突起保持スロット２６２、あるいはグリップ端部キャップモジュール６２５（図２８）に設けられた突起保持スロット６３０にスライドにて係合するように構成される。あるいは、突起８２は、ローテータレセプタクル１１（図１、図３、および図５）内で自由であって、レセプタクル１１における雄コンポーネント７０の完全な３６０°の回転を可能にしてもよい。雄コンポーネントは、雄コンポーネントを受け入れて雄コンポーネントと係合するように構成されたレセプタクルとスライドにて係合するように、互いに間隔を空けて位置する２〜８個のカラーを有することができ、各々のカラーは、各々のカラーから外側へと延びる互いに間隔を空けて位置する２〜１２個の突起８２を有することができる。
【００６６】
本明細書に開示されるモジュールのいくつかは、別のモジュールの雄の端部との着脱可能な係合のためのピボットロック６０を備える可逆結合機構が設けられたハウジング１５内のレセプタクル１１を有することができる。一態様によれば、モジュールハウジングは、モジュールハウジングの外周を巡って配置された互いに間隔を空けて位置する２つ以上のピボットロック６０を有することができる。図２に示されるように、いくつかのモジュールは、そのモジュールを第２のモジュールに対して可逆的にロックするピボットロックインデキシングペグ６２を備えるピボットロック６０を有することができ、インデキシングペグ６２は、ピボットロックスプロケット７４，１１２，２１６，２７２，２８４，３６２，３９６，４２３，５０６（それぞれ、図１，図３，図６，図９，図１０，図１３，図１５，図１６，図２０）へと延びる。ピボットロックスプロケットは、その外縁を巡って、例えば２２．５°の刻みで１６箇所のロック位置を提供する１６個のスロットを有することができる。
【００６７】
ローテータモジュール
図１〜図５、図２６、および図２９に示される典型的なローテータモジュールは、本明細書に開示のとおりの可逆結合機構を備えることで、モジュールをシステムの他のモジュールと可逆的に相互接続することを可能にする。ローテータモジュールは、アセンブリの各所の選択されたモジュール間の種々の枢動可能な接続点に、回転機能を提供するように構成される。いくつかの実施形態によれば、ローテータモジュールは、ツール支持モジュールまたは荷重支持モジュールあるいはツール支持アセンブリまたは荷重支持アセンブリ、ならびにそこに取り付けられたカメラまたは他の負荷などの装置に、パンおよび／またはチルトの機能を提供することができる。また、ローテータモジュールは、例えばホイールモジュールの方向の回転および／または駆動の回転など、アセンブリ内の他の機能的な枢支点をもたらすことができる。
【００６８】
いくつかの実施形態によれば、ツール支持アセンブリまたは荷重支持アセンブリは、システムのモジュールの相互互換性の促進に役立つようにシステムフォーマット全体の単位スケールを基準にして寸法付けられてよい種々の長さを有する閉管（ｃｌｏｓｅｄ−ｔｕｂｅ）ローテータモジュールのグループのうちの１つ以上を備えることができる。例えば、閉管ローテータモジュールは、１単位を３０ｍｍとして、２単位の長さおよび２単位の直径を有することができる。
【００６９】
２単位の長さ／２単位の直径の閉管ローテータモジュール１０の例が、図１および図２に示されており、図３Ｂでは、２単位の長さ／２単位の直径の６方向閉管ローテータハブアセンブリ１０１として再構成されて図示されている。これらの閉管ローテータモジュールは、第２のモジュールと確実かつ着脱可能に係合するように構成されたローテータレセプタクル１１を備え、第２のモジュールの雄の端部が、レセプタクル１１内で３６０°回転することができる。閉管ローテータモジュール１０，１００，１０１は、閉管ハウジング１５を備えることができ、閉管ハウジング１５は、この例においては、ローテータレセプタクルアセンブリ２０（図５）が４本のねじ２３によって４つのねじ山付きの管端部ねじスロット１８において閉管ハウジング１５内に固定されたときに、２単位のモジュール長をもたらす。典型的なローテータレセプタクルアセンブリ２０は、（ｉ）外側ブッシュ２６のための外側ブッシュチャネル２４と、（ｉｉ）内側ブッシュ３０のための内側ブッシュチャネル２８と、（ｉｉｉ）典型的なピボットロック６０のためのピボットロックチャネル３２と、（ｉｖ）保持ロック５０または横マウント孔３８のいずれかに整列するように四角ナット３６を閉管ハウジング１５内に固定するための四角ナットスロット３４とを協働して定めるロックばねローテータハーフソケット２１およびロック解除ローテータハーフソケット２２を備える。
【００７０】
これらの例では、保持ロック止めねじ４０と螺合することができる四角ナット３６を受け入れるために、四角ナットスロット３４が設けられており、保持ロック止めねじ４０は、閉管ハウジング１５の保持ロック止めねじ用孔４２を通って進入し、ローテータレセプタクルアセンブリ２０の中へとナット３６を通過し、止めねじの位置に応じて、保持ロック５０に係合する。保持ロック５０は、ばねレセプタクル付き保持ハーフロック５２と、解除ボタン付き保持ハーフロック５４とを備える。ばね５６が、ばねレセプタクル付きハーフロック５２内でロックばねローテータハーフソケット２１の内側に対して係合することにより、ばねレセプタクル付き保持ハーフロック５２をレセプタクルの中心に向かって解除ボタン付き保持ハーフロック５４に対して押し付ける。張力調整ねじノブ５８または他のねじ回しを使用して、保持ロック止めねじ４０を保持ハーフロック５２に対して確実に前進させることにより、ばね５６に抗するレセプタクルの中心から外れる移動の程度を制限することができる。オペレータは、閉管ハウジング１５の解除ボタン穴４４を介して解除ボタン付き保持ハーフロック５４上の保持ロック解除ボタン５５を手動で押すことによって、保持ロック５０を移動させることができる。止めねじ４０が完全に係合しているとき、保持ロック５０は今や解除不可能であるため、以下でさらに詳しく説明されるように、保持ロック止めねじ４０が緩められるまで、協働する雄コンポーネント７０の取り外しが防止される。
【００７１】
システムの協働するモジュール上に位置する一群の雄コンポーネント７０のうちの任意の１つを、ローテータモジュール１０，１５１，６０５，６４０のローテータレセプタクル１１内に着脱可能に固定し、枢動可能に係合させることができる。図１および図２を参照すると、閉管ローテータモジュール１０は、雄コンポーネント７０と、閉管ハウジング１５と、ピボットロックスプロケット７４と、他のモジュールのローテータレセプタクル１１内の外側ブッシュ２６と回転に関して協働する幅広ピボットセグメント７８とを含むことができる。
【００７２】
雄コンポーネント７０の近位端は、八角形の凹部８１を有しており、八角形の凹部８１によって、雄コンポーネント７０を、幅広ピボットセグメント７８の端面に八角形のボス７９（図３Ａにおいて最初に見て取ることができる）を有しているより大きなアセンブリへと取り付けることができ、あるいは八角形のボス１１８が幅広ピボットコンポーネント１１６上に示されている典型的な雄部材横マウントアセンブリ１１０（図３Ａおよび図３Ｂにおいて最初に見て取ることができる）に取り付けることができる。八角形の接続点は、雄コンポーネント７０を支持モジュールに対して２つの向きにて可逆的に取り付けることを可能にする。
【００７３】
図２に示されるように、雄コンポーネント７０は、８つの突起８２を、２つの突起８２の４つの直線的なセットにて備えることができ、突起の各々のセットが、雄コンポーネント７０の外周を巡って９０°の隔たりで等間隔に配置されることにより、雄コンポーネント７０をレセプタクル１１，２１１，２５２（それぞれ図１、図６、図８Ａ）に着脱可能に係合させることができる。
【００７４】
ローテータレセプタクル１１に着脱可能に係合したとき、雄コンポーネント７０の外側円柱形部分、すなわち細いピボットセグメント８４（図２に示されている）が、レセプタクル１１の内側ブッシュ３０と回転に関して協働する。雄コンポーネント７０は、ネック部８８（図２）を定める２つのカラー（遠位側カラー８７ａ、近位側カラー８７ｂ）を有する。遠位側カラー８７ａの前縁８６は面取りされており（８６は、以下では保持ロック面取り部と呼ばれる）、ばねレセプタクル付き保持ハーフロック５２を押し戻し、雄コンポーネント７０のレセプタクル１１への進入、あるいはレセプタクル２１１（図６）への進入を可能にする。ばねレセプタクル付きハーフロック５２は、雄コンポーネント７０上の遠位側カラー８７ａおよび外側の４つの突起８２がハーフロック５２を通過するまで、押し戻されたままであり、その後に、ハーフロック５２がネック部８８に整列してネック部８８に係合することにより、雄コンポーネント７０がハーフロック５２と協働するばね５６の張力によってレセプタクル１１内に保持される。オペレータは、閉管ハウジング１５の解除ボタン穴４４を介して解除ボタン５５を押して、解除ボタン付き保持ハーフロック５４を内側に移動させることにより、ばねレセプタクル付き保持ハーフロック５２をばね５６に逆らって外側へと押して、保持ロック５０を協働している雄コンポーネント７０のネック部８８から離すことで、保持ロック５０を手動で解除し、協働しているモジュールの分離を可能にすることができる。
【００７５】
保持ロック止めねじ４０を使用して、ばね５６を有するハーフロック５２が雄コンポーネント７０のネック部８８へと加える張力を調整することができる。ハーフロック５２に対する止めねじ４０の位置を、閉管ハウジング１５に設けられた保持ロック止めねじ用孔４２を介して張力調整ねじノブ５８（図１に示されている）または他の種類のねじ回しを使用し、ロックばねローテータハーフソケット２１内に設けられた四角ナットスロット３４内に収容された四角ナット３６において、調節および固定することができる。保持ロック止めねじ４０を、ネック部８８と保持ロックハーフ５２との間の枢動可能な接触にさまざまな程度の摩擦をもたらすように、後退位置と係合位置との間で調整することができ、あるいは完全な係合時に、雄コンポーネント７０の回転を止めると共に、保持ロック５０の移動も防止することにより、止めねじ４０が後退させられてハーフロック５２を雄コンポーネント７０のレセプタクル１１からの取り外しを可能にすべくばね５６に逆らって再び押し戻すことができるようになるまで、雄コンポーネント７０の取り外しを防止するように調整することができる。
【００７６】
雄コンポーネント７０のネック部８８は、随意により、例えば図８に示されるとおりの雄／レセプタクル横開口ジョインナモジュール２５１において横コネクタねじ２６５の係合を可能にするための互いに間隔を空けて位置する１つ以上のねじ孔８９を備えることができる。図８に示される例での使用において、ネック部８８は、４つの等間隔で配置されたねじ孔８９を有することにより、横開口ジョインナレセプタクル２５２において可能な雄コンポーネント７０の４つの固定位置を提供する。
【００７７】
本開示の一実施形態によれば、雄コンポーネント７０を、図１および図２に示されるように、幅広ピボットセグメント７８の中央のねじ孔に螺合するコネクタねじ９０によって閉管ハウジング１５に係合させることができる。幅広ピボットセグメント７８と係合した雄コンポーネント７０のアセンブリを、以下では、雄部材閉管端部アセンブリ７１と称する。本開示の別の実施形態によれば、雄コンポーネント７０を、幅広ピボットコンポーネント１１６およびピボットロックスプロケット１１２に係合させて、雄部材横マウントアセンブリ１１０を形成することができる。図３に示されるように、雄部材横マウントアセンブリ１１０を、閉管ハウジング１５に、この例においては７つの横マウント孔３８の位置（図２および図３）のうちの最大４つにおいて、ハウジング１５の横マウント孔３８を通過し、あるいは他のモジュールにおいてはローテータハーフソケット２１またはハーフソケット２２の四角ナットスロット３４内に固定された四角ナット３６に螺合するボルト１２０によって、着脱可能に係合させることができる。
【００７８】
本開示の別の実施形態によれば、雄コンポーネント７０の細いピボットセグメント８４は、受け入れ側のローテータレセプタクル１１（図２）の内側ブッシュ３０と回転に関して協働することができる。さらに、幅広ピボットセグメント７８または幅広ピボットコンポーネント１１６の円柱面は、レセプタクル１１内に取り付けられた外側ブッシュ２６（図２）と回転に関して協働することができる。
【００７９】
本開示の他の実施形態によれば、例えば、図１〜図５、図２６、および図２９に示されるように、ローテータモジュール１０，１５１，６０５，６４０は、ローテータモジュール１０，１５１，６０５，６４０を別のモジュールに着脱可能に係合させるために使用されるピボットロックボタン６４内に設定されたピボットロックインデキシングペグ６２を有するピボットロック６０を備えることができる。ピボットロックボタン６４を押し下げ、ロック保持タブ６５を下降させてピボットロックチャネル３２の凹部に出し入れすることによって、ピボットロック６０の係合または解除を行うことができる。次いで、オペレータが手動でピボットロックボタン６４をロック位置または非ロック位置へとスライドさせ、ピボットロックボタン６４に手動で加えた下方への撓みを解放すると、ロック保持タブ６５が上方へと戻り、ピボットロック６０をロックの開口部内の位置あるいはピボットロックチャネル３２の凹部へと下方に移動した位置に保持する。この例では、ピボットロックボタン６４の基部の２つの側部歯が、ピボットロックチャネル３２の両側の２対の対応する窪みへと突出してピボットロック６０の保持を助け、オペレータが加えるスライド力によって内側へと撓み、ピボットロックボタン６４の各位置の間の移動を可能にする。
【００８０】
このやり方でのピボットロック６０の係合により、インデキシングペグ６２を、そのモジュールの係合相手である他のモジュール上の雄コンポーネント７０の周囲に２２．５°刻みの１６箇所のロック位置をもたらす１６個の側面開放ピボットロックスロットを外縁を巡って有しているピボットスプロケットへと延ばすことができ、インデキシングペグ６２によって、ローテータモジュールのレセプタクル１１における他のモジュールの雄コンポーネント７０の枢動を可逆的にロックすることができる。閉管ハウジング１５の特徴部を含む典型的な雄部材閉管端部アセンブリ７１（図２）は、幅広ピボットセグメント７８（図１Ａ）の基部の周りにピボットロックスロットを有するピボットロックスプロケット７４を備えることができる。同様に、図３Ｂに示されるように、雄部材横マウントアセンブリ１１０は、外縁を巡ってピボットロックスロットを有しているピボットロックスプロケット１１２と、開いた内周における２つの小さな歯とを備えることができ、ピボットロックスプロケット１１２は、幅広ピボットコンポーネント１１６によってモジュール１０１の円柱形本体に対して固定され、幅広ピボットコンポーネント１１６は、ピボットロックスプロケット１１２および幅広ピボットコンポーネント１１６が閉管ハウジング１５内の四角ナット（図示せず）に螺合するボルト１２０によってモジュール１０１の丸い側面に対して固定されるときに、コンポーネントを一体に保持するピボットロックスプロケット１１２の歯に対応する２つの保持スロットを、凹状の底部に有している。
【００８１】
いくつかの実施形態によれば、本明細書に開示されるローテータモジュールは、ピボットロック６０が位置する場所を除いて、モジュールの外周を巡って４５°刻みで配置された７つの横マウント孔３８を備えることができる。横マウント孔３８の配置は、本明細書において閉管ローテータハブアセンブリ１００と総称されるアセンブリを、図３に示されるように取り付けられる１つまたは２つまたは３つまたは４つの雄部材横マウントアセンブリ１１０の種々さまざまな角度方向および隔たりの程度にて構成することを可能にする。図２に示されるように、ピボットロック６０の反対側に位置する２つのローテータソケットハーフ２１、２２の継ぎ目に整列する横マウント孔３８は、図５に示されるようにローテータレセプタクルアセンブリ２０が延長管（ｅｘｔｅｎｓｉｏｎ−ｔｕｂｅ）ハウジング１５５内に収容される実施形態における四角ナットチャネル１７０に対応する場所に開かれる必要があるソケットハーフにおける凹部ゆえに、閉管ハウジング１５の壁内にねじ山付きのインサートを必要とする。
【００８２】
両側レセプタクル（ｄｏｕｂｌｅ−ｒｅｃｅｐｔａｃｌｅ）延長管ローテータモジュール１５１，１５２，６０５のいくつかの例が、図４、図５、および図２６に示されており、３つのモジュールのすべてが、各々の端部にローテータレセプタクル１１を有している。モジュール１５１，６０５は、雄部材横マウントアセンブリ１１０が取り付けられていない状態で図示されている（図４）。モジュール１５２は、２つの雄部材横マウントアセンブリ１１０と係合した状態で図示されており（図５）、本明細書において、システムアセンブリの他のモジュールとの４つの相互接続点を提供する４方向両側レセプタクル延長管ローテータハブアセンブリ１５２と称される。
【００８３】
本開示の実施形態による両側レセプタクル延長管ローテータモジュールは、上述と同じコンポーネントおよび機能を有するローテータレセプタクルアセンブリ２０によって形成され、延長管ハウジング１５５（図４、図５）の内壁内の４つのねじ山付きの管端部ねじスロット１６８に挿入される４本のねじ２３によって延長管ハウジング１５５の各々の端部内に確実に固定されるローテータレセプタクル１１を備える。いくつかの実施形態によれば、上述した閉管ハウジング１５の２単位の直径および他のいくつかの特徴に一致して、延長管ハウジング１５５は、各々のレセプタクルの保持ロック止めねじ４０を調整するための２つの保持ロック止めねじ用孔１６２と、各々の保持ロックの解除ボタン５５への手動アクセスのための２つの解除ボタン穴１６４と、最大４つの雄部材横マウントアセンブリ１１０を延長管ハウジング１５５の周囲に設定変更可能に取り付けるためのハウジング１５５およびレセプタクルアセンブリ２０に収容された四角ナット３６の数および位置に一致する複数の横マウント孔１６０（図４および図５に示される実施形態においては、６つの孔が２組）とを有することができる。
【００８４】
本明細書に開示される他の実施形態によれば、雄部材横マウントアセンブリ１１０を、各々の四角ナットを横マウント孔に整列させて位置させる一致する複数の四角ナットスロットを有している中間四角ナットホルダによって管ハウジング内に確実に保持された同数の四角ナット３６に対応する複数の横マウント孔により、延長管ハウジングに沿った中間点に取り付けることもできる。図５を参照すると、中間四角ナットホルダ１８０を、組み立ての際に、随意によりホルダ１８０の保持および移動のためにねじ孔１８４に一時的に係合する配置用ねじロッド（図示せず）によって、ホルダ１８０が利用可能な６つの横マウント孔１６０の組に整列するまで、ハウジングの四角ナットチャネル１７０の内向きの縁を中間四角ナットホルダ１８０の側面の同数の管レールチャネル１８２内に位置させて、延長管ハウジング１５５内に配置することができる。中間四角ナットホルダ１８０の望ましくない移動を防止するために、ひとたび定位置に位置すると、短い位置決め用止めねじ１８６を、横マウントアセンブリ１１０が係合しないときの利用可能な横マウント孔１６０へと挿入することができる。中間四角ナットホルダは、延長管ハウジング内での望ましくない移動を防止するために、外縁にクラッシュリブを含んでもよい。
【００８５】
管レールチャネル１８２との係合の提供に加えて、延長管ハウジング１５５の外周の２つの位置に位置する四角ナットチャネル１７０は、１つ以上の四角ナット３６を挿入してチャネル１７０に沿ってスライドさせることができる開口部を提供し、したがって、追加の雄部材横マウントアセンブリ１１０をボルト１２０によって延長管ハウジング１５５に沿ったさまざまな位置に着脱可能に係合させることによってさまざまな特有のハブアセンブリを可能にするために使用することが可能である。
【００８６】
本明細書に開示される閉管ローテータモジュールの閉管ハウジングは、例えば２ｃｍ、４ｃｍ、５ｃｍ、６ｃｍ、８ｃｍ、１０ｃｍ、１５ｃｍ、２０ｃｍ、２５ｃｍ、３０ｃｍ、３５ｃｍ、４０ｃｍ、４５ｃｍ、５０ｃｍ、５５ｃｍ、６０ｃｍ、６５ｃｍ、７０ｃｍ、７５ｃｍ、８０ｃｍ、８５ｃｍ、９０ｃｍ、９５ｃｍ、１００ｃｍ、１１０ｃｍ、１２０ｃｍ、１３０ｃｍ、１４０ｃｍ、１５０ｃｍ、１６０ｃｍ、１７０ｃｍ、１８０ｃｍ、１９０ｃｍ、２００ｃｍ、２１０ｃｍ、２２０ｃｍ、２３０ｃｍ、２４０ｃｍ、およびこれらの間など、２ｃｍ〜２４０ｃｍの範囲から選択される細長い構造要素を含むことができることに留意されたい。本明細書に開示される閉管ハウジングの適切な細長い構造要素の例は、円形断面または楕円形断面または正方形断面または矩形断面または台形断面または三角形断面または六角形断面または八角形断面または十角形断面またはＩ字形断面を有する管であってよい。
【００８７】
本明細書に開示される両側レセプタクルローテータモジュールの延長管ハウジングは、例えば２ｃｍ〜２４０ｃｍ、例えば２ｃｍ、４ｃｍ、５ｃｍ、６ｃｍ、８ｃｍ、１０ｃｍ、１５ｃｍ、２０ｃｍ、２５ｃｍ、３０ｃｍ、３５ｃｍ、４０ｃｍ、４５ｃｍ、５０ｃｍ、５５ｃｍ、６０ｃｍ、６５ｃｍ、７０ｃｍ、７５ｃｍ、８０ｃｍ、８５ｃｍ、９０ｃｍ、９５ｃｍ、１００ｃｍ、１１０ｃｍ、１２０ｃｍ、１３０ｃｍ、１４０ｃｍ、１５０ｃｍ、１６０ｃｍ、１７０ｃｍ、１８０ｃｍ、１９０ｃｍ、２００ｃｍ、２１０ｃｍ、２２０ｃｍ、２３０ｃｍ、２４０ｃｍ、およびこれらの間など、２ｃｍ〜２４０ｃｍの範囲から選択され得ることに留意されたい。本明細書に開示される延長管ハウジングの適切な細長い構造要素の例は、円形断面または楕円形断面または正方形断面または矩形断面または台形断面または三角形断面または六角形断面または八角形断面または十角形断面またはＩ字形断面を有する管であってよい。
【００８８】
随意により、複数のピボット雄部材横マウントアセンブリによって種々の着脱可能な係合の選択肢を構成するための追加の選択肢を可能にするために、４ｃｍ〜２４０ｃｍの範囲からの長さを有する閉管ハウジングに、追加の横マウント穴１６０に整列した複数の等間隔で位置する中間四角ナットホルダ１８０を設けることが可能である。
【００８９】
随意により、複数のピボット雄部材横マウントアセンブリによって種々の着脱可能な係合の選択肢を構成するための追加の選択肢を可能にするために、４ｃｍ〜２４０ｃｍの範囲からの長さを有する延長管ハウジングに、追加の横マウント穴１６０に整列した複数の等間隔で位置する中間四角ナットホルダ１８０を設けることが可能である。
【００９０】
ジョインナモジュール
本明細書に開示のとおりのジョインナモジュールは、所定の場所に固定されて不動であってよく、あるいはローラまたはホイールまたはキャスタとの協働によって可動であってよい種々のツール支持構造または荷重支持構造を組み立てるために、ローテータモジュールまたは他のモジュールと着脱可能に組み合わせられるように構成された構造システムのコンポーネントまたはモジュールアセンブリである。ジョインナモジュールは、本明細書に開示されるように、１つ以上のローテータモジュール、および／または１つ以上のツール支持モジュール、および／または１つ以上の荷重支持モジュール、および／または１つ以上のベースモジュール、および／または１つ以上の端部キャップモジュールとの着脱可能な相互接続が可能である。
【００９１】
本開示のジョインナモジュールのいくつかの実施形態の例が、図６〜図１２に示されている。いくつかの実施形態は、ジョインナレセプタクルと、反対側の雄の端部とを備えるジョインナモジュールに関する。いくつかの実施形態は、ジョインナレセプタクルと雄の端部との間に介装された細長い構造要素をさらに備えるジョインナモジュールに関する。いくつかの実施形態は、２つの反対向きの雄の端部を備えるジョインナモジュールに関する。いくつかの実施形態は、２つの反対向きの雄の端部の間に介装された細長い構造要素をさらに備えるジョインナモジュールに関する。いくつかの実施形態は、２つの反対向きのジョインナレセプタクルを備えるジョインナモジュールに関する。いくつかの実施形態は、２つの反対向きのジョインナレセプタクルの間に介装された細長い構造要素をさらに備えるジョインナモジュールに関する。細長い構造要素を備えるジョインナモジュールを、随意により、延長管ジョインナモジュールと呼ぶことができる。
【００９２】
ジョインナモジュールの細長い構造要素が、円形断面または楕円形断面または正方形断面または矩形断面または台形断面または三角形断面または六角形断面または八角形断面または十角形断面またはＩ字形断面を有する管またはロッドであってよいことに、留意されたい。ジョインナモジュールの細長い構造要素の長さを、例えば２ｃｍ、４ｃｍ、５ｃｍ、６ｃｍ、８ｃｍ、１０ｃｍ、１５ｃｍ、２０ｃｍ、２５ｃｍ、３０ｃｍ、３５ｃｍ、４０ｃｍ、４５ｃｍ、５０ｃｍ、５５ｃｍ、６０ｃｍ、６５ｃｍ、７０ｃｍ、７５ｃｍ、８０ｃｍ、８５ｃｍ、９０ｃｍ、９５ｃｍ、１００ｃｍ、１１０ｃｍ、１２０ｃｍ、１３０ｃｍ、１４０ｃｍ、１５０ｃｍ、１６０ｃｍ、１７０ｃｍ、１８０ｃｍ、１９０ｃｍ、２００ｃｍ、２１０ｃｍ、２２０ｃｍ、２３０ｃｍ、２４０ｃｍ、およびこれらの間など、２ｃｍ〜２４０ｃｍの範囲から選択することができる。
【００９３】
いくつかの実施形態は、細長い構造支持コンポーネントまたは要素に着脱可能に係合し、細長い構造支持コンポーネントまたは要素から半径方向に延びる１つ以上の雄部材アセンブリをさらに備えるジョインナモジュールに関する。そのようなジョインナモジュールを、ジョインナハブモジュールまたはジョインナハブアセンブリと呼ぶことができる。
【００９４】
本明細書において閉管ジョインナハブアセンブリ２０１と呼ばれることもある図６Ａに示されている閉管ジョインナモジュールの一例は、ピボットロックスプロケット２１６を有するジョインナ閉管ハウジング２１５内に収容されたジョインナレセプタクルアセンブリ２２０によって形成されたジョインナレセプタクル２１１と、ジョインナ閉管ハウジング２１５の長手軸に沿って外へと延びている雄コンポーネント７０とを備える。雄部材横マウントアセンブリ１１０が、ジョインナ閉管ハウジング２１５の側面に着脱可能に係合し、ジョインナ閉管ハウジング２１５の側面から半径方向に延びて図示されている。ジョインナモジュール２０１は、ユーティリティまたは構造支持アセンブリにおいて９０°のエルボジョイントを提供することができ、あるいはユーティリティまたは構造支持アセンブリにおいてＴ字ジャンクションを提供することができる。
【００９５】
５方向閉管ジョインナハブアセンブリ２１０の一例が、図６Ｂおよび図７に示されており、一端のジョインナレセプタクル２１１と他端の雄コンポーネント７０とを有するジョインナ閉管ハウジング２１５を備え、３つの雄部材横マウントアセンブリ１１０がジョインナ閉管ハウジング２１５から半径方向外側へと延びている。ジョインナレセプタクル２１１は、４本のねじ２３でジョインナ閉管ハウジング２１５内の４つのねじ山付きの管端部ねじスロット２１８に固定されたジョインナレセプタクルアセンブリ２２０を備える。ジョインナレセプタクルアセンブリ２２０は、（ｉ）外側ブッシュ２６のための外側ブッシュチャネル２２４と、（ｉｉ）内側ブッシュ３０のための内側ブッシュチャネル２２８と、（ｉｉｉ）保持ロック５０または横マウント孔２３８のいずれかに整列するように四角ナット３６をジョインナ閉管ハウジング２１５内に固定するための四角ナットスロット２３４とを協働して定めるロックばねジョインナハーフソケット２２１およびロック解除ジョインナハーフソケット２２２を備える。
【００９６】
図６Ｂおよび図７に示される５方向閉管ジョインナハブアセンブリ２１０は、６０ｍｍという２単位の直径に一致する２単位のモジュール長を有することができ、これは、本明細書において単位スケールと称される３０ｍｍ単位の典型的なシステムフォーマットサイジングであるが、これは、あくまでも例示の目的で示されているにすぎず、本明細書における開示をこれらの値または割合に限定しようとするものではないことに、留意すべきである。
【００９７】
本明細書に開示されるように、システムアセンブリの別のモジュールの雄コンポーネント７０を、このジョインナモジュールのジョインナレセプタクル２１１に、ジョインナレセプタクルアセンブリ２２０内に収容された保持ロックハーフ５２，５４を操作することによって着脱可能に係合させることができる。別のモジュール（この場合は、第２のモジュール）の雄コンポーネント７０がジョインナモジュールのジョインナレセプタクル２１１へと挿入されるとき、雄コンポーネント７０の遠位側カラー８７ａの保持ロック面取り部８６が、ばねレセプタクル付き保持ハーフロック５２を押し戻し、雄コンポーネント７０のジョインナレセプタクル２１１への進入を可能にする。ハーフロック５２は、雄コンポーネント７０の遠位側カラー８７ａおよび外側の４つの突起８２がハーフロック５２を通過し、ハーフロック５２が雄コンポーネント７０のネック部８８に整列し、ばねの張力５６によってハーフロック５２がネック部８８において解除ボタン付きハーフロック５４に対して係合するまで、押し戻されたままである。オペレータは、ジョインナ閉管ハウジング２１５の解除ボタン穴２４４を通って解除ボタン５５を押して、解除ボタン付き保持ハーフロック５４を内向きに移動させることにより、ばねレセプタクル付き保持ハーフロック５２が第２のモジュールのネック部８８から外れて第２のモジュールをジョインナモジュールから取り外すことが可能になるまで、ばねレセプタクル付き保持ハーフロック５２をばね５６に逆らって外向きに移動させることによって、第２のモジュールをジョインナモジュールから切り離すことができる。
【００９８】
保持ロック止めねじ４０を使用して、ばね５６を有するハーフロック５２が雄コンポーネント７０のネック部８８へと加える張力を調整することができる。ハーフロック５２に対する止めねじ４０の位置を、ジョインナ閉管ハウジング２１５に設けられた保持ロック止めねじ用孔（図６および図７においては見て取ることができない）を介して張力調整ねじノブ５８（図１に示されている）または他の種類のねじ回しを使用し、ロックばねジョインナハーフソケット２２１内に設けられた四角ナットスロット２３４内に収容された四角ナット３６において、調節および固定することができる。保持ロック止めねじ４０を、保持ロックハーフ５２と第２のモジュールのネック部８８との接触にさまざまな範囲の圧力をもたらすように、後退位置と係合位置との間で調整することができる。完全に係合したときの止めねじ４０の位置は、保持ロック５０の移動を防止することにより、第２のモジュールの雄コンポーネント７０をジョインナレセプタクル２１１から取り外すことができるようにするために止めねじ４０が後退させられ、ハーフロック５２をばね５６に逆らって再び押し戻すことができるようになるまで、第２のモジュールの切り離しを防止する。
【００９９】
第２のモジュールの雄部材アセンブリをローテータレセプタクル１１内で３６０°回転させることが可能であるローテータモジュールの第２のモジュールとの確実な係合を提供する図１および図２に示したローテータレセプタクル１１とは異なり、ジョインナモジュールのジョインナレセプタクル２１１は、ジョインナレセプタクル２１１に取り付けられる第２のモジュールの雄部材アセンブリについて、堅固に固定された回転不可能な係合を提供する。図６および図７に示されるジョインナレセプタクル２１１の例は、合計４つの突起保持スロット２２３を形成する２つのハーフソケット２２１，２２２を有するジョインナレセプタクルアセンブリ２２０を備えており、別のモジュールの雄コンポーネント７０の挿入時に、雄コンポーネント７０の８つの突起８２が突起保持スロット２２３に整列し、しっかりと固定される。さらに、ジョインナレセプタクルアセンブリ２２０は、ブッシュチャネル２２４，２２８にそれぞれ収容された外側ブッシュ２６および内側ブッシュ３０をさらに備え、外側ブッシュ２６および内側ブッシュ３０は、雄部材アセンブリがジョインナレセプタクル２１１に挿入されたときに、突起保持スロット２２３と協働し、それぞれ雄部材アセンブリの幅広ピボットセグメント／コンポーネントおよび細いピボットセグメント８４によって雄部材アセンブリに係合する。
【０１００】
最大５つの他のモジュールコンポーネントとの５つの着脱可能な係合点を提供する５方向閉管ジョインナハブアセンブリ２１０は、ジョインナ閉管ハウジング２１５内のジョインナレセプタクル２１１と、ジョインナレセプタクル２１１に直線的に整列した雄コンポーネント７０と、ジョインナ閉管ハウジング２１５から半径方向外向きに延びる３つの雄部材横マウントアセンブリ１１０とを含む。レセプタクルに直線的に整列した雄コンポーネント７０は、その八角形の凹部８１においてジョインナ閉管ハウジング２１５へと、コネクタねじ９０によってハウジングの幅広ピボットセグメントの八角形のボスにおいて取り付けられる（八角形のボスおよび幅広ピボットセグメントは、図６Ｂおよび図７では見て取ることができない）。３つの雄部材横マウントアセンブリ１１０の各々は、雄コンポーネント７０、幅広ピボットコンポーネント１１６、およびピボットロックスプロケット１１２の中心を通り、次いでジョインナ閉管ハウジング２１５の横マウント孔２３８を通り、ジョインナハーフソケット２２１、２２２の外側の四角ナットスロット２３４のうちの１つに固定された四角ナット３６に螺合するボルト１２０によって、ジョインナ閉管ハウジング２１５に係合する。
【０１０１】
ジョインナ閉管ハウジング２１５は、ハウジングの周囲に４５°の間隔で配置された８つの横マウント孔２３８を備えることができる。これらの孔２３８は、さまざまな閉管ジョインナハブアセンブリにおける最大４つの雄部材横マウントアセンブリ１１０の取り付けのために、さまざまな角度方向および隔たりの程度を提供する。８つの横マウント孔２３８のうち６つは、四角ナットスロット２３４に収容された６つの四角ナット３６に対応する。残りの２つの横マウント孔２３８は、２つのジョインナハーフソケット２２１、２２２の継ぎ目に隣接して位置し、例えば両側レセプタクル延長管ジョインナモジュール４６０または図１７に示される雄／レセプタクル延長管ジョインナモジュール４６５などの延長管ジョインナモジュールの構成において延長管ハウジングの四角ナットチャネルに整列するハーフソケットの凹部ゆえに、ジョインナ閉管ハウジング２１５の壁内にねじ山付きのインサートが必要である。
【０１０２】
本明細書で開示されるいくつかの実施形態は、第２のモジュールの雄部材アセンブリをジョインナモジュールの側面から着脱可能に係合させることができるオープンフェイスまたは閉鎖型の横接続部を必要とし得るユーティリティまたは構造支持システムアセンブリの構成に使用するための一群の横開口ジョインナモジュールのうちの１つ以上に関する。雄／レセプタクル横開口ジョインナモジュール２５１の一例が、図８Ａおよび図８Ｂに示されており、第２のモジュールの雄コンポーネント７０／雄部材アセンブリを堅固に、または着脱可能に係合させることができる横開口レセプタクル２５２を有している。
【０１０３】
雄／レセプタクル横開口ジョインナモジュール２５１は、管端部ねじスロット２５７に螺合する２本のねじ２３によって一端部に横開口レセプタクルコンポーネント２６０が固定された延長管ハウジング２５５と、雄部材管端部プレート２７１に設けられたねじ穴２７８を通り、延長管ハウジング２５５の４つの管端部ねじスロット２５７に螺合する４本のねじ２３によって他端部に固定された雄部材延長管端部アセンブリ２７０とを備える。横開口レセプタクルコンポーネント２６０および雄部材管端部プレート２７１の挿入部分の両方における管レールチャネルが、各々のコンポーネントを延長管ハウジング２５５の背中合わせの四角ナットチャネル２５６の内向きの縁の間に固定することを可能にする。
【０１０４】
第２のモジュール用の雄部材横マウントアセンブリ１１０が、図８Ｂ（第２のモジュールは図示されていない）において、横開口レセプタクル２５２への挿入および確実な係合のために整列させられた状態で図示されている。第２のモジュールの雄部材アセンブリの横開口レセプタクルコンポーネント２６０への出し入れを容易にし、横開口レセプタクルコンポーネント２６０における確実な係合を可能にするために、挿入される雄部材アセンブリの雄コンポーネント７０上の突起８２の形状および整列に対応する突起保持スロット２６２が、横開口レセプタクルコンポーネント２６０内に設けられる。協働するモジュールの確実な係合のために、横コネクタねじ２６５を、延長管ハウジング２５５および横開口レセプタクルコンポーネント２６０の両方に設けられた孔（これらの孔は、図８Ｂでは見て取ることができない）を通って挿入し、雄コンポーネント７０のネック部８８のねじ孔８９のうちの１つに螺合させることができる。必要に応じて、横開口レセプタクルカバー２６８をレセプタクルコンポーネント２６０にさらに係合させて、係合した雄部材アセンブリの保護蓋をもたらすことも可能である。システムアセンブリの使用および／または動作の最中に横開口ジョインナモジュールと第２のモジュールとの分離が必要とされる場合には、横コネクタねじ２６５および横開口レセプタクルカバー２６８をアセンブリから除くことができ、第２のモジュールの雄部材アセンブリは、レセプタクルから持ち上げられるまで、または開いたレセプタクルが下向きにされるまで、一時的にその場にとどまることができる。
【０１０５】
図８Ａおよび図８Ｂに示されているこの例の雄／レセプタクル横開口ジョインナモジュール２５１の反対側の端部に設けられた雄部材延長管端部アセンブリ２７０は、システムアセンブリの他のモジュールとの着脱可能な係合のための幅広ピボットセグメント２７４とピボットロックスプロケット２７２とを有する雄部材管端部プレート２７１に取り付けられた雄コンポーネント７０を備える。雄部材管端部プレート２７１は、ねじ穴２７８を通って延長管ハウジング２５５に設けられたねじスロット２５７に螺合する４本のねじ２３によって延長管ハウジング２５５に固定される。
【０１０６】
雄部材管端部プレート２７１の外側端面は、延長管ハウジング２５５の四角ナットチャネル２５６に整列するスロットを備えることができ、したがって、完成したモジュールにおいて、四角ナット３６を、雄部材横マウントアセンブリ１１０との着脱可能な係合のために、管端部プレート２７１の端面を通って四角ナットチャネルへと挿入することができる。
【０１０７】
この例では、最大４つの雄部材横マウントアセンブリ１１０を、各々の四角ナット３６を横マウント孔２５８に整列させて位置させる６つの四角ナットスロットを有する中間四角ナットホルダ１８０によって管ハウジング内にしっかりと保持された四角ナット３６に６つの横マウント孔２５８のうちの１つを通って螺合するボルトによって、延長管ハウジング２５５から放射状に取り付けることができる。中間四角ナットホルダ１８０は、モジュールの組み立て時に、図８Ｂに示されるように、ハウジングの四角ナットチャネル２５６の内向きのレールを管レールチャネル１８２内に位置させて、延長管ハウジング２５５の内部に配置される。四角ナットチャネル２５６は、内向きのレールをもたらすだけでなく、１つ以上の四角ナット３６をスライドさせることができるチャネルをもたらし、四角ナット３６が、雄部材横マウントアセンブリ１１０をオペレータによって選択される延長管ハウジング２５５に沿った位置にボルト１２０で取り付けるための螺合点をもたらすことで、幅広くさまざまな特有のハブアセンブリの構成を可能にできる。
【０１０８】
いくつかの態様によれば、延長管ハウジング２５５の長さを、例えば２ｃｍ、４ｃｍ、５ｃｍ、６ｃｍ、８ｃｍ、１０ｃｍ、１５ｃｍ、２０ｃｍ、２５ｃｍ、３０ｃｍ、３５ｃｍ、４０ｃｍ、４５ｃｍ、５０ｃｍ、５５ｃｍ、６０ｃｍ、６５ｃｍ、７０ｃｍ、７５ｃｍ、８０ｃｍ、８５ｃｍ、９０ｃｍ、９５ｃｍ、１００ｃｍ、１１０ｃｍ、１２０ｃｍ、１３０ｃｍ、１４０ｃｍ、１５０ｃｍ、１６０ｃｍ、１７０ｃｍ、１８０ｃｍ、１９０ｃｍ、２００ｃｍ、２１０ｃｍ、２２０ｃｍ、２３０ｃｍ、２４０ｃｍ、およびこれらの間など、２ｃｍ〜２４０ｃｍの範囲から選択することができる。４ｃｍ以上の長さの延長管ハウジングを有する横開口ジョインナモジュールの構造においては、延長管ハウジング２５５の長さの中に１つ以上の中間四角ナットホルダ１８０を挿入することが望ましい場合がある。随意により、より長い横開口ジョインナモジュールの組み立て時に、中間四角ナットホルダ１８０を移動させて所定の位置に保持しつつ、選択された横マウント孔２５８の組に整列させて固定するために、中間四角ナットホルダ１８０をねじ孔１８４において配置用ねじロッドに一時的に係合させることができる。中間四角ナットホルダ１８０の望ましくない移動を防止するために、ひとたび定位置に位置すると、短い位置決め用止めねじ１８６を、横マウントアセンブリ１１０が係合しないときの利用可能な横マウント孔２５８へと挿入することができる。中間四角ナットホルダは、延長管ハウジング内での望ましくない移動を防止するために、外縁にクラッシュリブを含んでもよい。
【０１０９】
本開示の別の実施形態は、ユーティリティまたは構造支持システムの他のモジュールのレセプタクルと着脱可能に係合するための２つの雄の端部を有している両側雄（ｄｏｕｂｌｅ−ｍａｌｅ）ジョインナモジュールに関する。
【０１１０】
必要に応じてユーティリティまたは構造支持システムの２つのモジュールの２つの隣接して位置するレセプタクルを着脱可能に係合させるために使用される両側雄ジョインナモジュール２８１の一例が、図９Ａおよび図９Ｂに示されている。両側雄ジョインナモジュール２８１は、ピボットロックスプロケット２８４と幅広ピボットセグメント２８６とを有する両側を備える両側雄コンポーネント２８２を備え、幅広ピボットセグメント２８６は、ねじ孔が貫通している外向きの八角形のボス２８８を有している。雄コンポーネント７０の近位端が、八角形のボス２８８とスライドにて係合するように構成された八角形の凹部８１を有することに留意されたい。各々の雄コンポーネント７０は、八角形のボス２８８へと取り付けられ、次いでコネクタねじ９０を雄コンポーネント７０を通って挿入して八角形のボスに設けられたねじ孔に螺合させることによって、両側雄コンポーネント２８２へと固定される。
【０１１１】
別の実施形態は、２つの雄端部アセンブリの間に延長管ハウジングを介装した両側雄ジョインナモジュールに関する。両側雄延長管ジョインナモジュール２９１の一例が、図１０Ａおよび図１０Ｂに示されており、各々の端部において雄部材延長管端部アセンブリ２７０に係合する延長管ハウジング２９５を備えている。
【０１１２】
延長管ハウジング２９５は、長手方向に延びる１対の反対向きの四角ナットチャネル２９６と、延長管ハウジング２９５の両端部の間に延在する４つの等間隔で位置する長手方向のねじスロット２９７とを有する。１つ以上の中間四角ナットホルダ１８０を、延長管ハウジング２９５の内部へと挿入することができ、中間四角ナットホルダ１８０の管レールチャネル１８２が、延長管ハウジング２９５の１対の長手方向に延びる四角ナットチャネル２９６の内向きの表面に沿ってスライドすることができる。この例では、最大６つの四角ナット３６を、中間四角ナットホルダ１８０の同数のスロットへと挿入し、最大４つの雄部材横マウントアセンブリ１１０を横マウント孔２９８を介して着脱可能に係合させることができる。位置決め用止めねじ１８６を使用して、雄部材横マウントアセンブリ１１０が係合していないときも、中間四角ナットホルダ１８０の位置を維持することができる。やはりこの目的のために、中間四角ナットホルダ１８０は、その外縁の周りに、延長管ハウジング２９５の内面を把持するためのクラッシュリブを備えることができる。雄部材横マウントアセンブリ１１０を、四角ナットチャネル２９６内の延長管ハウジング２９５に沿ったさまざまな位置に取り付けることで、さまざまな範囲の特有のハブアセンブリを可能にすることもできる。
【０１１３】
両側雄延長管ジョインナモジュールは、雄部材延長管端部アセンブリ２７０を有し、雄部材延長管端部アセンブリ２７０は、雄部材管端部プレート２７１のねじ穴２７８を通って延び、延長管ハウジング２９５の内壁内の管端部ねじスロット２９７と螺合するねじ２３によって、延長管ハウジング２９５の各々の端部に固定される。八角形のボス２７５が、各々の雄コンポーネント７０の近位端の八角形の凹部にスライドにて係合し、その後に、コネクタねじ９０が、雄コンポーネント７０の遠位端を通って挿入され、八角形のボス２７５に設けられたねじ孔に螺合する。
【０１１４】
本開示の多係合点ジョインナハブアセンブリの別の例が、図１１Ａおよび図１１Ｂに示されている。６方向延長管ジョインナハブアセンブリ３０１は、図１０Ａおよび図１０Ｂに示した両側雄延長管ジョインナモジュール２９１を備えることができ、これに延長管ハウジング２９５から外方向に延びる４つの雄部材横マウントアセンブリ１１０が取り付けられる。２つの反対向きの雄部材横マウントアセンブリ１１０は、雄部材横マウントアセンブリ１１０を貫いて挿入されるボルト１２０を四角ナットチャネル２９６へと挿入された四角ナット３６に螺合させることによって、延長管ハウジング２９５に取り付けられる。残りの２つの反対向きの雄部材横マウントアセンブリ１１０は、雄部材横マウントアセンブリ１１０を貫いて挿入され、次いで横マウント孔２９８を通過するボルト１２０を、延長管ハウジング２９５の内側に配置された中間四角ナットホルダ１８０（図１１Ａおよび図１１Ｂでは見て取ることができない）に収容された四角ナット３６へと螺合させることによって、延長管ハウジング２９５に取り付けられる。
【０１１５】
本開示の別の実施形態は、異なる寸法を有し、随意により雄の端部の突起の数などのシステムフォーマット特性が異なっている雄のアセンブリおよびレセクタプルを有するモジュールについて、単一のユーティリティまたは構造支持アセンブリへの係合を容易にするクロスフォーマット両側雄アダプタジョインナモジュールに関する。両側雄アダプタジョインナモジュール３１１の一例が、図１２Ａおよび図１２Ｂに示されている。
【０１１６】
両側雄アダプタジョインナモジュール３１１は、（ｉ）雄コンポーネント７０が取り付けられた雄部材管端部プレート２７１を備え、雄コンポーネント７０は、雄コンポーネント７０の遠位端を通って挿入され、雄部材管端部プレート２７１の八角形のボス２７５に設けられたねじ孔に螺合するコネクタねじ９０によって、雄部材管端部プレート２７１に取り付けられ、両側雄アダプタジョインナモジュール３１１は、（ｉｉ）アダプタジョインナコンポーネント３１２をさらに備え、アダプタジョインナコンポーネント３１２は、（ｉｉｉ）異なるシステムフォーマットのレセプタクルへの着脱可能な係合のために、雄コンポーネント７０とは直径および長さならびに突起の数が異なっている別の雄部材コンポーネント３１４を有している。雄部材管端部プレート２７１は、ねじ２３をねじ穴２７８へと挿入し、アダプタジョインナコンポーネント３１２のねじスロット３１６に螺合させることによって、アダプタジョインナコンポーネント３１２に固定される。
【０１１７】
雄部材マウントモジュール
本開示のさらなる実施形態は、雄部材横マウントブラケットモジュールおよび雄部材取り付けブロックモジュールを含むことができる種々の雄部材マウントモジュールに関する。とくには、雄部材横マウントブラケットモジュールは、他の機能の中でもとりわけ、取り付けられた雄部材アセンブリを特別な角度方向にて細長い管状支持要素上に着脱可能かつ固定または回転可能／スライド可能に係合させるためにシステムアセンブリに含まれてよい独特なハブアセンブリを提供し、そこに取り付けられたモジュールの取り外しを必要とせずに迅速に配置を変更することが可能である。一方で、雄部材取り付けブロックモジュールは、さまざまなすべてが雄のハブアセンブリを提供する。
【０１１８】
延長管ハウジングなどの細長い管状支持要素に着脱可能に係合することができる２方向３０°横マウントブラケットモジュール３２０の例が、図１３Ａに示されている。３０°横マウントブラケットモジュール３２０は、３０°の角度の雄部材マウントブラケット３２２およびクランプブラケット３２８を備えており、これらを、雄部材マウントブラケット３２２およびクランプブラケット３２８を細長い管状支持要素の周囲に配置し、クランプブラケットねじ３２９をクランプブラケット３２８に設けられた孔を通って挿入し、これらのねじ３２９を３０°の角度の雄部材マウントブラケット３２２に設けられた孔に螺合させることによって、細長い管状支持要素（図示せず）に確実に係合させることができる。雄部材マウントブラケット３２２とクランプブラケット３２８との組み合わせを「カラークランプ」と呼ぶことができることに留意されたい。３０°の角度の雄部材マウントブラケット３２２は、最大２つの雄部材横マウントアセンブリ１１０を係合させるための１対のねじ孔（図１３Ａでは見て取ることができない）を備え、雄部材横マウントアセンブリ１１０は、各々がモジュールの中心から３０°の角度で外方向に延び、あるいは対の間の６０°の角度（３２６）で外方向に延びる。３０°の角度の雄部材マウントブラケット３２２は、３０°横マウントブラケットモジュール３２０を細長い管状支持要素へと、例えば延長管ハウジングの四角ナットチャネルまたは中間四角ナットホルダ１８０に収容された四角ナットに螺合する取り付けねじ３２５によって係合させることを可能にするために、１つ以上の取り付けねじ穴３２３を備えることができる。
【０１１９】
４方向多角度横マウントブラケットモジュール３３０の一例が、図１３Ｂに示され、延長管ハウジングなどの細長い管状支持要素を取り囲んでこれに締め付けられる１対の対向する多角度雄部材マウントブラケット３３５を備えており、各々のブラケット３３５は、ブラケット３３５の各々の端部に、ブラケットねじ３３８を受け入れて対向するブラケットの対応する孔に螺合させるための１対の対向するブラケットねじ孔３３６を有している。ブラケット３３５を細長い管状支持要素に係合させるために、マウントねじ３３２を受け入れるための少なくとも１つのマウントねじ穴３３１が、各々のブラケット３３５の長手軸の中心点に沿って設けられ（図１３Ｂには３つの穴３３１が示されている）、反対側にはワッシャ３３９が設けられる。各々の多角度雄部材マウントブラケット３３５は、外方向に延びる２つの雄部材横マウントアセンブリ１１０を着脱可能に固定するためにボルト１２０と螺合する３つの間隔を空けて位置するねじ孔３３４の２つの対向する組を有する。３つの間隔を空けて位置するねじ孔３３４の各組は、雄部材横マウントアセンブリ１１０をモジュールの中心から３０°または４５°または６０°の角度で取り付けることを可能にし、あるいはブラケット３３５に取り付けられる雄部材横マウントアセンブリ１１０のペアの間の角度を６０°または９０°または１２０°にすることを可能にする。この例では、２つの４５°の孔３３４が、ブラケット３３５の内側取り付け円周から例えば３０ｍｍという単位スケールの延長に取り付け位置を提供する。
【０１２０】
単一の多角度雄部材マウントブラケット３３５を、１つ以上の取り付けねじ３３２を使用して延長管ハウジングに取り付けられる場合、またはスタンドアローンの特殊角度ハブとして使用される場合、単独で使用することができる。
【０１２１】
２方向９０°オフセット横マウントブラケットモジュール３４０の一例が、図１３Ｃに示され、９０°角度オフセット雄部材マウントブラケット３４１を備えており、マウントブラケット３４１は、マウントブラケット３４１を取り付けねじ３２５によって延長管ハウジング（図示せず）などの細長い管状支持要素へと固定できるように、ねじアクセス開口部３４６を介して取り付けねじ３２５およびねじ回し（図示せず）によってアクセスすることができる取り付けねじ穴３４２を有している。この９０°オフセット横マウントブラケットモジュール３４０のこの例には、横マウントブラケットモジュール３４０を着脱可能に係合させることができる細長い管状支持要素に平行に配置される長手方向に延びる２つの反対向きの雄部材横マウントアセンブリ１１０が取り付けられている。雄部材マウントブラケット３２２、３４１、３３５、などのいずれかと、クランプブラケット３２８、３３５、などのいずれか、またはプレートくさび４４５などとの組み合わせを、「カラークランプ」と呼ぶことができることに留意されたい。
【０１２２】
１方向４５°オフセット横マウントブラケットモジュールの一例が、図１３Ｄに示されており、平坦な表面への雄部材の着脱可能な係合を可能にするために、本明細書に開示のとおりのシステムアセンブリに設けられてよい雄部材フラットマウントアセンブリの例に着脱可能に係合する円柱形４５°オフセット雄部材マウントブラケット３５１を備えている。雄部材フラットマウントアセンブリ３６１は、さらに詳しく後述される平坦な表面と取り合うピボットロック６０との可逆的な固定のためのピボットロックスプロケット３６２の別の例と他端において係合する幅広ピボットコンポーネント３６７の別の例に取り付けられた上述のとおりの雄コンポーネント７０（ボルト１２０によって接続される）を備える。
【０１２３】
ピボットロックスプロケット３６２を配置して４つのペグ３６５によって係合させるための４つのペグ穴３５４を有する平坦な表面が、円柱形のマウントブラケット３５１の一端に設けられている。４つのコネクタ歯３６８を一端から延在させて有している幅広ピボットコンポーネント３６７が、ピボットロックスプロケット３６２に設けられたスロット３６６へと挿入される（図１４Ａにおいて最もよく見て取ることができる）。幅広ピボットコンポーネント３６７の他端は、雄コンポーネント７０に設けられた八角形の凹部へと延びる八角形のボス３６９を有する。雄アセンブリ３６１は、雄コンポーネント７０、幅広ピボットコンポーネント３６７、およびピボットロックスプロケット３６２（中央孔３６３による）に設けられた孔を通って挿入され、円柱状マウントブラケット３５１の端面に設けられた中央孔３５３に螺合するボルト１２０によって、円柱状マウントブラケット３５１に固定される。ブラケット３５１の反対側の端部には、図示されていない延長管ハウジングなどの細長い管状支持要素の外面と嵌合するように構成された斜めの凹面が存在する。反対側を貫いて凹面へと取り付けねじ穴３５２が設けられ、四角ナットをチャネル内に有し、あるいは中間四角ナットホルダによって収容している延長管ハウジングなどの細長い管状支持要素にブラケットを着脱可能に係合させるために、内側においてワッシャ３３９を受け入れ、他方側から取り付けねじ３３２を受け入れる。さらなる実施形態によれば、円柱状マウントブラケットは、平坦な取り付け面に対して４５°以外の角度で凹面を有することができる。さらなる実施形態によれば、円柱状マウントブラケットは、雄部材横マウントアセンブリを横方向に取り付けるために設けられた横マウント孔を周囲に有することができる。
【０１２４】
エルボ雄部材取り付けブロックモジュール３５５の例が、図１４Ａに示されており、この例においては互いに９０°の２つの端面を有する２方向エルボ雄部材取り付けブロック３７０と、各々の端面に係合した雄部材フラットマウントアセンブリ３６１とを備えている。取り付けブロック３７０の各々の端面は、雄部材フラットマウントアセンブリ３６１のピボットロックスプロケット３６２の位置決めおよび係合のための４つのペグ穴３７２を有する。雄部材フラットマウントアセンブリ３６１が、アセンブリ３６１の孔を通って挿入されて取り付けブロック３７０の端面に設けられた中央孔３７１に螺合するボルト１２０によって、取り付けブロック３７０の端面に係合する。さらなる実施形態によれば、２方向エルボ雄部材取り付けブロックは、端面の間の角度が９０°以外の角度であってよい。
【０１２５】
立方体雄部材取り付けブロックモジュール３５６の一例が、図１４Ｂに示されている。６方向立方体雄部材取り付けブロック３７３は、最大６つの雄部材フラットマウントアセンブリ３６１（図１４Ｂには、２つの雄部材フラットマウントアセンブリ３６１が示されている）と係合するための６つの対称な外向き面を有する。取り付けブロック３７３の各々の外向き面は、ピボットロックスプロケット３６２のペグ３６５を受け入れて係合するための４つのペグ穴３７５と、雄部材フラットマウントアセンブリ３６１を確実に取り付けるためにボルト１２０と螺合する中央のねじ孔３７４とを有する。
【０１２６】
三角形雄部材取り付けブロックモジュール３５７の一例が、図１４Ｃに示されており、最大５つの雄部材フラットマウントアセンブリ３６１（図１４Ｃには、２つの雄部材フラットマウントアセンブリが示されている）と着脱可能に係合するための５つの面を有する５方向三角形取り付けブロック３７６を備えている。三角形取り付けブロック３７６の各々の面は、雄部材フラットマウントアセンブリ３６１を受け入れて雄部材フラットマウントアセンブリ３６１と係合するための４つのペグ穴および中央のねじ孔を有する。
【０１２７】
ピラミッド型雄部材取り付けブロックモジュール３５８の一例が、図１４Ｄに示され、４つの対称な外向き面を有する４方向ピラミッド型取り付けブロック３７７を備えており、外向き面の各々は、図１４Ｂに示した立方体雄部材取り付けブロックモジュール３５６について説明したように、雄部材フラットマウントアセンブリ３６１と着脱可能に係合するように構成されている。ピラミッド型雄部材取り付けブロックモジュール３５８は、図１４Ｄにおいて（図８に示した）２つの雄／レセプタクル横開口ジョインナモジュール２５１と着脱可能に係合して図示されており、さらに２つの追加の雄／レセプタクル横開口ジョインナモジュール２５１が、対応する２つの雄部材フラットマウントアセンブリ３６１と共に、着脱可能な係合のために整列させられた状態の分解図にて示されている。
【０１２８】
六角形雄部材取り付けブロックモジュール３５９の一例が、図１４Ｅに示され、最大６つの雄部材フラットマウントアセンブリ３６１と着脱可能に係合するように構成された６つの側面と、上面および下面とを有する８方向六角形取り付けブロック３７８を備えており、各々の面は、アセンブリ３６１の中央孔を通過して取り付けブロック３７８の取り付け面の中央の孔に螺合するボルトによって、１つの雄部材フラットマウントアセンブリ３６１と着脱可能に係合するように構成されている。
【０１２９】
八角形雄部材取り付けブロックモジュール３６０の一例が、図１４Ｆに示され、最大８つの雄部材フラットマウントアセンブリ３６１と着脱可能に係合するように構成された８つの側面と、上面および下面とを有する１０方向八角形取り付けブロック３７９を備えており、各々の面は、１つの雄部材フラットマウントアセンブリ３６１と着脱可能に係合するように構成されている。
【０１３０】
５°刻みで調節可能な雄部材マウントモジュール３８０の一例が、図１５Ａおよび図１５Ｂに示されており、雄マウントハーフハウジング３８１と、雄部材アセンブリが着脱可能に係合する回転調整ハーフハウジング３８６とを備える、雄マウントハーフハウジング３８１および回転調整ハーフハウジング３８６の内向き端面に、回転調整ハーフハウジング３８６を雄マウントハーフハウジング３８１に対して５°刻みで位置調整可能に係合させることができる相互嵌合歯３８８が設けられ、したがって図１５Ｂにおいてはブラケット３９０ａ、３９０ｂから分解されて図示されている２つの下方の雄部材フラットマウントアセンブリ３６１の間の角度の隔たりを、正確な５°刻みで調整および設定することができ、２つの下方の雄部材フラットマウントアセンブリ３６１は、ブラケット３９０ａ、３９０ｂに、中央の孔３９３に螺合するコネクタボルト１２０によってペグ穴３９４において取り付けられる。ブラケット３９０ａ、３９０ｂは、フラットマウントアセンブリ３６１との係合に先立って、雄マウントハーフハウジング３８１および回転調整ハーフハウジング３８６に、孔３９２を通って取り付け孔３８９（図１５Ｂにおいては、回転調整ハーフハウジング３８６においてのみ見て取ることができる）に螺合するねじ３９１によって取り付けられる。次いで、各々の雄部材フラットマウントアセンブリ３６１を取り付けることができる。次いで、調整ねじ３８５が、雄マウントハーフハウジング３８１の貫通穴３８３に通され、回転調整ハーフハウジング３８６の内向き端部のねじ孔３８７に螺合する。随意により、雄マウントハーフハウジング３８１の外面に、ペグ穴３８４および貫通穴３８３においてフラットマウントアセンブリ３６１を追加で取り付けることができるが、追加のフラットマウントアセンブリ３６１がアセンブリに含まれない場合よりも長いバージョンの調整ねじ３８５が必要となる。この段階で、調整可能なハブアセンブリが生み出され、調整ねじ３８５を緩めることによって、ハウジング３８１，３８６の歯３８８の嵌合を外し、ハウジングの相対位置を回転させることができ、次いで調整ねじ３８５を再び締めることによって、５°刻みのうちの１つにおいて再び嵌合させることができる。上述したように、ブラケット３９０ａ、３９０ｂに取り付けられる２つの雄アセンブリ３６１の間の角度の隔たりを、最大の１８０°から２つのブラケットが接触するであろう最小の６０°まで５°刻みで設定することができる。
【０１３１】
図１５に示されるように、随意による雄部材フラットマウントアセンブリ３６１を、回転調整ハーフハウジング３８６の外面に、中央孔３８７の外側の余分に螺合するボルト１２０によって取り付けることができる。加えて、随意により、雄部材横マウントアセンブリの本明細書に開示のとおりの別の２つの例が、雄マウントハーフハウジング３８１の外周の横マウント孔３８２に取り付けられて図示されている。いくつかの実施形態によれば、雄部材横マウントアセンブリ３９５は、幅広ピボットコンポーネント３６７に取り付けられた上述の雄コンポーネント７０を備え、幅広ピボットコンポーネント３６７は、コンポーネント３６７を係合させることができる幅広ピボットコンポーネントスロット３９９を有するピボットロックスプロケット３９６の別の例に取り付けられ、この場合に、アセンブリ３９５を、外側のコンポーネント７０，３６７を通過し、ピボットロックスプロケット３９６の中央孔３９７を通り、横マウント孔に螺合するボルト１２０によって、横マウント孔３８２または他のモジュールに着脱可能に係合させることができる。図１５に示されるように、横マウントアセンブリ３９５は、さまざまな調整可能なハブアセンブリを提供することができるが、それらの使用において、５°刻みで調整可能な雄部材マウントモジュール３８０の角度設定の調整可能範囲が、回転調整ハーフハウジング３８６上のブラケット３９０ｂがブラケット３９０ａに接触する場所から、雄マウントハーフハウジング３８１上の直近の雄部材横マウントアセンブリ３９５に接触する場所までに限られることに、留意すべきである。
【０１３２】
ツール支持モジュールおよび荷重支持モジュール：
ベースプレートモジュール
本開示のいくつかの実施形態は、ユーティリティ支持システムへのカメラまたはマイクロホンまたは音響器具などのツールならびに他の種類のツールとの着脱可能な係合を可能にするために、ユーティリティ支持システムへと組み込まれるベースプレートアセンブリに関する。例えば、本明細書で開示されるベースプレートアセンブリは、カメラマウントプレートならびにマットボックスホルダおよびフォーカス引き込み装置などのカメラ付属品を取り付けるためのものであってよい。ベースプレートアセンブリは、さまざまなツールおよび荷物を着脱可能に係合させるために、ねじマウントまたはクリップまたは蟻ほぞプレートまたはボックスまたはトレイまたはバスケットなどを備えることができる。
【０１３３】
フィルムカメラ、高解像度ビデオカメラ、ＤＳＬＲ、他の装置、あるいは追加のインターフェース用マウントプレートまたは蟻ほぞプレートとの着脱可能な係合に適したベースプレートアセンブリ４００の例が、図１６Ａおよび図１６Ｂ（それぞれ、斜視図および分解斜視図）に示されている。ベースプレートモジュール４００のこの例は、ベースプレートねじ４０６によってベースプレート底板４０２ｂに固定されたベースプレート上部プレート４０２ａを有するベースプレート本体アセンブリ４０２を備える。１つ以上の取り付けねじ４０４（必要に応じたサイズとされる）が、カメラまたは他の装置あるいは取り付けられたコンポーネントの底に設けられた１つ以上の取り付け孔に螺合するように、ベースプレート本体アセンブリ４０２のスロットを通って設けられる。
【０１３４】
この例では、ベースプレート上部プレート４０２ａおよび底板４０２ｂが協働し、１〜３つのオフセットされて協働する取り付けブラケット４１０を、さまざまなサイズのカメラおよび他の適切な荷物に係合して支持するための選択された位置にて、本体アセンブリ４０２へと固定することを可能にする３つの取り付けブラケットスロット４０８を定めている。各々の取り付けブラケット４１０は、（ｉ）ベースプレート本体アセンブリ４０２の取り付けブラケットスロット４０８にスライド可能に係合するように構成されたブラケットアーム４１２と、（ｉｉ）ブラケットアーム４１２に係合し、ブラケットアーム４１２から上方へと延びるブラケット側板４１５と、（ｉｉｉ）ブラケット側板４１５の外向き面に着脱可能に係合した雄部材プレートアセンブリ４２０とを備える。
【０１３５】
雄部材プレートアセンブリ４２０は、取り付けプレート４２２に係合した雄コンポーネント７０を備え、取り付けプレート４２２は、外側に面した幅広ピボットセグメント４２４と、八角形のボス４２５と、ピボットロックスプロケット４２３と、平坦な内向きプレート面とを有し、平坦な内向きプレート面を、取り付けプレート４２２のねじ穴４２６を通って挿入されてブラケット側板４１５に設けられたねじ山孔４１６に螺合するねじ４２８によって、選択された位置においてブラケット側板４１５の外向き面に着脱可能に係合させることができる。
【０１３６】
支持パッド４１８が固定された内向きの支持プレート４１７が、ブラケット側板４１５の内向きの面にねじ４１９で取り付けられている。支持パッド４１８を、取り付けねじ４０４を補い、あるいは取り付けねじ４０４に代わってカメラまたは他の荷物を固定するように、さらに詳しく後述されるように配置可能なカメラまたは他の荷物に対して直接的に配置することができる。
【０１３７】
ブラケットアーム４１２は、アーム４１２の長手軸に沿って等間隔に配置された複数のねじ孔４１３を有する。ねじ孔４１３の選択は、孔４０５を通って挿入されるベースプレートねじ４０６との螺合のために、ベースプレート底板４０２ｂの孔４０５に対応するようにオペレータによって調節される。ブラケットアーム４１２の安全な外への延伸の距離を、この例においてはモジュールアセンブリ４００の対向する雄部材プレートアセンブリ４２０の間の全幅について種々のサイズのシステムフォーマット単位スケール幅を生み出すように、孔４０５を通って挿入されるベースプレートねじ４０６に螺合する間隔を空けて位置するねじ孔４１３の選択によって調整することができる。
【０１３８】
この例に示される雄部材プレートアセンブリ４２０は、本明細書に開示のローテータモジュールまたはローテータアセンブリのレセプタクルコンポーネント、あるいは本明細書に開示のジョインナモジュールまたはジョインナアセンブリのレセプタクルコンポーネント、あるいはレセプタクルコンポーネントを有する本明細書に開示のとおりの他のアセンブリと、着脱可能に係合することができることに留意すべきである。この例において、ブラケットアーム４１２の中心からのブラケット側板４１５の中心のオフセットが、隣接する取り付けブラケットスロット４０８が使用されるときに、２つの対向する側板４１５および取り付けられた雄部材プレートアセンブリ４２０を整列させて、反対向きの雄部材プレートアセンブリ４２０の間にただ１つの軸をもたらすことができることに、留意すべきである。図示されているように、ベースプレートアセンブリは、システムアセンブリにおけるベースプレートアセンブリ４００の枢動可能な係合または固定された係合のための追加の軸をもたらすために、ベースプレート本体アセンブリ４０２の下面に着脱可能に係合した雄部材プレートアセンブリ４２０をさらに含むことできる。
【０１３９】
例えばカメラとの着脱可能な係合に適したベースプレートモジュールの別の例が、図１７Ａおよび図１７Ｂ（それぞれ、斜視図および分解斜視図）に示されている。ベースプレートアセンブリ４３０のこの例は、２つの雄／レセプタクル延長管ジョインナモジュール４６５の間に挟まれた両側レセプタクル延長管ジョインナモジュール４６０に係合したツールマウントプレート４３５を備える。図１３Ｂに関してすでに説明したとおりの１対の多角度雄部材マウントブラケット３３５が、横並びにて両側レセプタクル延長管ジョインナモジュール４６０の下側長手方向部分に対して取り付けられ、プレートくさび４４５の穴４４７を通って挿入されて多角度ブラケット３３５に設けられた孔に螺合する４本のブラケットねじ３３８によって、２組のプレートくさび４４５に係合する。反対方向において、４本のブラケットねじ３３８を孔３３６に挿入し、プレートくさび４４５の下面の孔に螺合させることができる。ブラケットねじ３３８が緩められると、ジョインナモジュール４６０との係合は、ジョインナモジュール４６０の所与の長さにおいてスライド可能または枢動可能である。確実な保持のために、ブラケットねじ３３８を締め付けることができる。随意により、多角度ブラケット３３５を、ジョインナモジュールまたはローテータモジュールに、対応するモジュールの四角ナットチャネル内にスライド可能に係合した四角ナット３６に螺合する１本以上の取り付けねじ３３２によって、直接係合させることが可能である。
【０１４０】
ツールマウントプレート４３５は、プレートねじ穴４４０を通って挿入されてプレートくさび４４５のねじ孔４４６に螺合するねじ４４２によって、プレートくさび４４５に固定される。例えばカメラなどのツールまたは他の装置、あるいはカメラまたはカメラ付属品と補助的に取り合うカメラマウントプレートを、ツール取り付けスロット４３７を通って挿入されてツールまたは装置の底に設けられた１つ以上の取り付け孔に螺合する取り付けねじ４３６によって、ツールマウントプレート４３５に固定することができる。
【０１４１】
雄部材フラットマウントアセンブリ３６１が、雄マウントスライダコンポーネント４５０に係合し、雄マウントスライダコンポーネント４５０は、多角度ブラケット３３５に設けられた孔３３６を通って挿入されて雄マウントスライダコンポーネント４５０のブラケットねじ孔４５６に螺合し、さらにはスライダコンポーネント４５０の対向する孔４５６を通って挿入されて多角度ブラケット３３５の対向する孔３３６の第２の対に螺合するブラケットねじ３３８により、多角度ブラケット３３５によって雄／レセプタクル延長管ジョインナモジュール４６５に締め付けられる。互いに締め付けられたスライダコンポーネント４５０および多角度ブラケット３３５のジョインナモジュール４６５上での位置を、ブラケットねじ３３８を緩め、新たな位置を選択し、次いでブラケットねじ３３８を再び締め付けることによって、変更することが可能である。
【０１４２】
互いに締め付けられた雄マウントスライダコンポーネント４５０および多角度ブラケット３３５について、雄／レセプタクル延長管ジョインナモジュール４６５に沿った位置を、以下のようにさらに固定および調整することができる。１対の四角ナット３６が、反対向きの長手方向チャネル４６６の各々に挿入される。２本の取り付けねじ３３２が、多角度ブラケット３３５に設けられた取り付け穴３３１を通って挿入され、一方の１対の四角ナット３６に螺合する（１対のワッシャ３３９が、多角度ブラケット３３５の内面と延長管ジョインナモジュール４６５との間に介装される）。２本の取り付けねじ４５３が、雄マウントスライダコンポーネント４５０に設けられた取り付け穴４５２を通って挿入され、他方の１対の四角ナット３６に螺合する（１対のワッシャ３３９が、雄マウントスライダコンポーネント４５０の内面と延長管ジョインナモジュール４６５との間に介装される）。取り付けねじ４５３および取り付けねじ３３２を緩めた後に、互いに締め付けられた雄マウントスライダコンポーネント４５０および多角度ブラケット３３５を、雄／レセプタクル延長管ジョインナモジュール４６５に沿って選択された位置へとスライドさせることができ、その後にねじ４５３および３３２が再び締め付けられる。随意により、１対のねじ４５３，３３２だけを、ただ１つの四角ナットチャネル４６６と共に使用してもよい。
【０１４３】
ベースプレートアセンブリまたは他のモジュールアセンブリが、雄マウントスライダコンポーネント４５０を単独で使用でき、あるいは多角度ブラケット３３５との組み合わせにおいて上述と同じやり方でペアにて互いに締め付けて使用できることに、留意すべきである。雄マウントスライダコンポーネント４５０が、その幅によって、その中央雄部材取り付け孔４５４について、取り付け先のモジュールの外周からの例えば３０ｍｍの単位スケールの延長を提供できることに、留意すべきである。ベースプレートアセンブリ４３０の例において、この特徴は、モジュール全体にわたる単位スケールの幅を提供する。
【０１４４】
ペグ穴４５５によって位置決めされ、中央孔４５４に螺合するボルトによって固定され、雄のマウントスライダコンポーネント４５０からベースプレートアセンブリ４３０の中心に向かって延びている雄部材フラットマウントアセンブリ３６１が、両側レセプタクル延長管ジョインナモジュール４６０の両端のレセプタクルに着脱可能に係合する。ねじ３３２および四角ナット３６がジョインナモジュール４６０の下側の長手方向のチャネルに係合していないアセンブリにおいては、支持されたツールマウントプレート４３５を、ツールマウントプレート４３５に設けられたアクセス孔４４１および多角度ブラケット３３５に設けられたブラケットねじ孔３３６を通って挿入されるツールでブラケットねじ３３８をわずかに緩め、次いでツールマウントプレート４３５を所望の位置へと回転させ、その後にブラケットねじ３３８を再び係合させることによって、両側レセプタクル延長管ジョインナモジュール４６０の周囲で所望の位置へと回転させることができる。あるいは、外側アセンブリへのツールマウントプレート４３５の開放かつ間欠的に固定可能な３６０°の枢動可能な接続のために、ジョインナモジュール４６０を、図４に示した上述の典型的なローテータモジュール１５１などの両側レセプタクルローテータモジュールで置き換えることができる。
【０１４５】
ベースプレートアセンブリ４３０を、より大きなユーティリティまたは構造支持アセンブリ内に、２つのジョインナモジュール４６５のレセプタクルの一方または両方あるいは２つのジョインナモジュール４６５の雄部材延長管端部アセンブリ２７０の一方または両方によって確実に係合させることができ、あるいはジョインナモジュール４６５または多角度ブラケット３３５の一方に雄部材横マウントアセンブリ１１０，３９５（図示せず）を追加することによって確実に係合させることができる。
【０１４６】
トレイモジュール
本開示のいくつかの実施形態は、ユーティリティシステムアセンブリに取り入れることができるトレイモジュールに関する。トレイモジュールアセンブリ４７０の一例が、図１８Ａおよび図１８Ｂ（それぞれ、斜視図および部分分解斜視図）に示されており、各々の角部にオリフィス４７２を有するトレイ底部４７１を備えている。トレイ底部が、矩形または正方形または台形または三角形または五角形または六角形または七角形または八角形であってよいことに留意されたい。正方形のトレイ底部４７１の例が、随意によりシステムアセンブリの構造的な角部支柱として機能することができる種々の長さの延長管ジョインナモジュールまたは延長管ローテータモジュールの挿入および可逆的係合のための各々の角部の４つのオリフィス４７２を有して図示されている。各々のオリフィス４７２に隣接して、トレイ底部４７１は、カラー孔４７３をさらに備えており、カラー４７４が、カラー４７４のねじ孔へとカラー孔４７３を通過するカラーねじ４７６によってトレイ底部４７１に着脱可能に固定される。
【０１４７】
トレイモジュール４７０のこの例では、両側レセプタクル延長管ジョインナモジュール４７５（ここでは、図１７にすでに示したジョインナモジュール４６０よりも長い）の第２の例が４つ設けられ、組み合わされた４つのカラー４７４およびトレイ底部４７１に通される。延長管ジョインナモジュール４７５を、カラーの横向きの孔を通過し、長手方向の四角ナットチャネル４７７内に配置された四角ナット３６に螺合し、あるいはモジュールの延長管ハウジング内のレセプタクルソケットアセンブリまたは中間四角ナットホルダに収容された四角ナット３６に螺合するカラーねじ４７６によって、各々のカラー４７４の中心に着脱可能に固定することができる。カラー４７４は、横向きのねじ孔をさらに備えることができ、これらの横向きのねじ孔において、サイドパネル４７８を、サイドパネル４７８の孔を通過してカラー４７４に螺合するサイドパネルねじ４７９によって着脱可能に固定することができる。追加の補強のために、随意により、延長管ジョインナモジュール４７５およびサイドパネル４７８の上端は、図示のように４つの追加のカラー４７４に固定される。カラー４７４が角部モジュールの四角ナットチャネル４７７に沿って係合するアセンブリにおいては、カラー底部４７１とサイドパネル４７８とのアセンブリを、カラーねじ４７６を緩め、新たな位置を選択し、次いでカラーねじを再び締めることによって、角部モジュール上で上昇または下降させることができる。本明細書に開示のトレイ底部およびトレイ側面が、「平らなシートストック」とも呼ばれ得ることに留意されたい。
【０１４８】
このようなトレイモジュールを、器具、ツール、資材、消耗品、などを作業現場または他の場所において保持および運搬するために用い、あるいは棚システムまたはステージプラットフォームにおいて用いるために、ユーティリティシステムアセンブリに組み込むことができる。トレイモジュールを、所望であればローテータモジュールに取り付けられて荷重ダンピング機能をもたらすように、ユーティリティシステムアセンブリへと枢動可能に係合させることができる。また、トレイモジュールを、プラットフォームアセンブリまたはテーブルアセンブリまたはワークステーションアセンブリに組み込むことも可能である。
【０１４９】
テーブルモジュール
本開示のいくつかの実施形態は、本明細書に開示のモジュールのうちのいくつかを使用して組み立てることができ、ステージプラットフォームを組み立てるためにも使用することができるテーブルおよびデスクおよび棚モジュールアセンブリに関する。デスクアセンブリ４８０の一例が、図１９Ａに示されており、両側レセプタクル横開口ジョインナモジュール４８８の一例を各々の角部に係合させたデスクトップ４８１を備えている。デスクトップまたはテーブルトップが、矩形または正方形または台形または三角形または五角形または六角形または七角形または八角形または円形または楕円形であってよいことに留意されたい。必要に応じて、棚４８２を、例えばデスクトップ４８１に取り付けられた１対の第２の例の両側レセプタクル横開口ジョインナモジュール４８９に係合させて設けることができる。両側レセプタクル横開口ジョインナモジュール４８８をデスクトップ４８１に係合させる方法の一例が、図１９Ｂに示されている。図１９Ｂでは見て取ることができないが、デスクトップ４８１の上面の凹部４８３と同一の凹部が、各々の角部においてデスクトップ４８１の底面に設けられている。中央ねじ孔４８５を有する取り付け板４８４が、凹部へと挿入され、例えば取り付け板４８４に設けられた孔４８６を通って挿入される５本のねじ４８７によってデスクトップ４８１に確実に取り付けられる。取り付け板が、円形または楕円形または三角形または正方形または矩形または台形または六角形または八角形であってよく、さまざまな数のねじ孔４８６を用意できることに留意されたい。
【０１５０】
雄部材フラットマウントアセンブリ３６１が、ねじ孔４８５に螺合する取り付けボルトによってプレート４８４に取り付けられる。次に、雄部材フラットマウントアセンブリ３６１は、両側レセプタクル横開口ジョインナモジュール４８８の端部のレセプタクルに挿入され、図８Ｂを参照して横開口ジョインナモジュール２５１について説明したように定位置に固定される。あるいは、１つ以上のローテータモジュール、または例えば図１７Ｂを参照して説明した両側レセプタクル延長管ジョインナモジュール４６０などの１つ以上のジョインナモジュールを取り付けることができる。棚４８２が追加される場合、プレート４８４が、デスクの上面に設けられた凹部４８３へと挿入され、孔４８６を通って挿入されるねじ４８７で定位置に固定される。雄部材フラットマウントアセンブリ３６１が、ねじ孔４８５に螺合する取り付けボルトによってプレート４８４に取り付けられ、その後に、雄部材フラットマウントアセンブリ３６１は、両側レセプタクル横開口ジョインナモジュール４８９の端部のレセプタクルに挿入され、あるいは他の両側レセプタクルモジュールのレセプタクルに挿入される。１対のプレート４８４および雄部材フラットマウントアセンブリ３６１が、棚４８２の底部に取り付けられ、図示のように両側レセプタクル横開口ジョインナモジュール４８９の他端のレセプタクルに固定される。
【０１５１】
照明マウントモジュール
照明器具または他の同種の器具をいくつかのユーティリティシステムアセンブリに着脱可能に係合させるための取り付け手段を提供する照明マウントモジュールのいくつかの実施形態が、図２０Ａ〜図２０Ｄに示されている。照明マウントモジュール４９０の一例が、図２０Ａおよび図２０Ｂに示されており、一端に固定された雄部材延長管端部アセンブリ２７０を有している延長管ハウジング４９２を備えている。スピゴット４９８が、スピゴット取り付け板４９４に、スピゴット取り付け板４９４のねじ孔４９６を通って挿入されるねじ４９７によって螺合する。次いで、スピゴットアセンブリは、延長管ハウジング４９２の他端に、延長管ハウジング４９２に設けられたねじ孔に螺合するねじによって取り付けられる。
【０１５２】
照明マウントモジュール５００の別の例が、図２０Ｃおよび図２０Ｄに示され、幅広ピボットセグメント５０７を一端に備えているスピゴットアダプタ雄部材コンポーネント５０１を備えており、幅広ピボットセグメント５０７の八角形のボスの孔に螺合するねじ９０によって雄コンポーネント７０が取り付けられている。スピゴットアダプタ雄部材コンポーネント５０１は、その中間点の周りに位置するピボットロックスプロケット５０６と、他端に位置するスピゴットレセプタクル５０３とを有する。スピゴット５０２が、スピゴットレセプタクル５０３へと挿入され、ねじ孔５０５を通って挿入されて張力調整ねじノブ５８または他のねじ回しによって締め込まれる止めねじ５０４によって所定の位置に固定される。
【０１５３】
ベースモジュール：
レール転がりモジュール
本開示のいくつかの実施形態は、例えば映画制作またはビデオ撮影においてレール軌道システムに沿って移動させることができる動画カメラの着脱可能な係合のために構成されたレール転がりモジュールおよびアセンブリに関する。同様のアセンブリを使用し、作業現場または他の場所において、他の装置、ツール、器具、資材、所有物、などをレール軌道システムに沿って搬送することができる。レール転がりモジュールおよびアセンブリのいくつかの例が、図２１Ａ、図２１Ｂ、および図２２に示されている。
【０１５４】
レール転がりモジュール５１０の一例（図２１Ａおよび図２２）は、キャリッジプレート５１２に係合した２対のばね懸架ローラアセンブリ５１４を備え、上向きに延びる雄部材プレートアセンブリ４２０を有している。各々のローラアセンブリ５１４は、下方へと延びる端部を有しているアクスルブロック５１６を備え、下方へと延びる端部は、アクスルボルト５２０を受け入れるための貫通孔を有する。ワッシャ、次にローラ５１８、別のワッシャ、その後にロックナットが、各々のアクスルボルト５２０へと配置され、ロックナットは、ローラ５１８をアクスルブロック５１６へと回転可能に固定する。ばねブロック５２２の一端が、懸架ボルト５２４によってアクスルブロック５１６の一端の付近に回転可能に取り付けられる。ばねブロック５２２の他端は、ばねテンションプレート５２８と、アクスルブロック５１６の他端に対して付勢されるばね５３０とを収容するための凹部を有する。ばねの張力を、ばねブロック５２２に設けられたばね張力止めねじ５２６を締め、あるいは緩めることによって調整することができる。１対のばね懸架ローラアセンブリ５１４が、キャリッジプレート５１２の上部に設けられたねじ孔へとばねブロック５２２の孔を通過するねじ（図示せず）によって、キャリッジプレートの両端部に取り付けられる。随意により、キャリッジプレートのほぼ中央にスペーサプレート５３２をねじ（図示せず）によって取り付けることができ、取り付けプレート４２２に係合した雄コンポーネント７０を備える雄部材プレートアセンブリ４２０が、スペーサプレート５３２の上面に取り付けられ、レール転がりモジュール５１０が完成する。随意により、所望であれば、レール軌道システムに沿ったレール転がりモジュール５１０の移動速度を調節するために、キャリッジプレート５１２のレールに面する表面に、レールに面する摩擦パッド５４２を有する摩擦パッドプレート５４０を追加で取り付けることができる。摩擦パッドプレート５４０は、キャリッジプレート５１２に設けられた孔に上部が螺合する１対の一部分にねじ山が設けられた張力調整ノブ５４４によって、キャリッジプレート５１２に取り付けられる。各々のノブ５４４のねじ山のない下部（摩擦パッドプレート５４０のねじ山のない孔を途中まで通過する）の周りに、上方から下方へと、ノブのシャフトの上部ネック部（ねじ山部分の下方に隣接）に保持される上側保持リング５４８と、このリングとプレート５４０との間に介装されるばね５４６とが設けられ、ノブ５４４が回転によって下方へと伸ばされるとき、上側保持リング５４８がプレート５４０に対してばねに圧力を加えることで、レール（図示せず）に対する摩擦パッド５４２の張力を増加させる。ノブのシャフト残りの部分は、プレート５４０を通過し、シャフトの下部ネック部に保持された第２の下側保持リング５４８が、プレート５４０のノブ５４４からの分離を防止される。
【０１５５】
あるいは、レール転がりモジュールは、レールに対するモジュールのばね荷重による懸架が望まれない場合には、２つのばね懸架ローラアセンブリ５１４の代わりに、２つの固定式ローラアセンブリ５３５（さらに詳細には後述）を備えてもよい。
【０１５６】
レール包囲転がりモジュールアセンブリ５３７の一例（図２１Ｂおよび図２２）は、少なくとも１つの側板５３８を使用し、随意により２つの側板５３８を使用して、レール転がりモジュール５１０へと取り付けられた第２のキャリッジプレート５１２（各々の端部に固定式ローラアセンブリ５３５が係合している）を備える。各々の固定式ローラアセンブリ５３５は、ばね懸架ローラアセンブリ５１４について説明したように１対のローラ５１８が取り付けられたアクスルブロック５３６を備える。２つのアクスルブロック５３６は、第２のキャリッジプレート５１２へとねじ（図示せず）によって取り付けられ、第２のキャリッジプレート５１２は、側板５３８の一端へとねじ（図示せず）によって取り付けられる。レール転がりモジュール５１０が、側板５３８の反対側の端部に係合することで、レール包囲転がりモジュールアセンブリ５３７が形成される。レール包囲転がりモジュールアセンブリ５３７は、垂直または傾斜したレールならびに１つ以上の湾曲したレールを含む水平に平坦ではないレール軌道システムに沿ってカメラ器具、あるいは他の装置、ツール、器具、または被支持の荷物を安全かつ確実に搬送するために、とくに有用である。随意により、構造支持システムにおけるモジュールアセンブリの相互接続のために設けられる最大４つの外方向に延びる雄部材アセンブリのために、雄部材プレートアセンブリ４２０を第２のスペーサプレート５３２ならびに／あるいは１つまたは２つの側板５３８に取り付けることによって、レール包囲転がりモジュールアセンブリ５３７を変更することができる。随意により、所望であれば、１〜４つのスペーサプレート５３２を排除し、雄部材プレートアセンブリ４２０をキャリッジプレート５１２および側板５３８に直接係合させることで、反対向きの雄部材プレートアセンブリ４２０の間の幅を変化させ、随意によりモジュール単位スケールの幅または他の全幅を可能にすることができる。
【０１５７】
あるいは、さらなるレール包囲転がりモジュールは、４つのばね懸架ローラアセンブリ５１４または４つの固定式ローラアセンブリ５３５を有するアセンブリを備えることができる。あるいは、さらなるレール包囲転がりモジュールは、１つまたは２つの摩擦パッドプレート５４０および摩擦パッド５４２を有し、あるいは摩擦パッドプレート５４０および摩擦パッド５４２を有さないアセンブリを備えてもよい。さらに、レール包囲転がりモジュールを、キャリッジプレート５１２ならびにローラアセンブリ５１４または５３５が外方向を向き、今や内側を向く雄部材プレートアセンブリ４２０に着脱可能に係合した両側レセプタクルモジュールの１つによって中央において接続され、２つの対向するレールに係合するアセンブリ５３７とは逆の構成にて組み立てることもできる。
【０１５８】
ホイールモジュール
本開示の他の実施形態は、ユーティリティシステムアセンブリにおいて輸送機能または移動機能を提供することができるホイールモジュールに関する。さまざまなホイールモジュールおよびホイールモジュールアセンブリは、操舵可能アセンブリまたは開かれた３６０°枢動可能キャスタアセンブリまたはキャスタ型アセンブリを含む。
【０１５９】
ホイールモジュールアセンブリ５５０の一例が、図２３Ａおよび図２３Ｂに示されており、ホイール５５２がアクスルボルト５５４によって回転可能に係合するホイールアクスル／レセプタクル横開口ジョインナモジュール５５５を備えている。横開口ジョインナモジュール５５５は、反対向きの長手方向の四角ナットチャネル２５６と、内部に収容された中間四角ナットホルダ１８０とを有する延長管ハウジング２５５、横開口レセプタクルカバー２６８を有する横開口レセプタクルコンポーネント２６０、および取り付けねじと係合するホイールアクスル管端部コンポーネント５５１を含む。ホイールアクスル管端部コンポーネント５５１は、中央のねじ孔５５１ａと、２つのオフセットされたねじ孔５５１ｂとを有する。アクスルボルト５５４は、中央のねじ孔５５１ａまたは２つのオフセットされたねじ孔５５１ｂの一方に螺合可能であり、オフセットされた孔５５１ｂは、ホイールモジュールアセンブリがキャスタとして作用することを可能にする。
【０１６０】
本開示によるホイールモジュールの他の例は、枢動または固定キャスタホイール５６８がマウントコンポーネント５６２に設けられた孔に螺合する図２３Ｃおよび図２３Ｄに示されるキャスタホイールモジュールアセンブリ５６０である。雄部材フラットマウントアセンブリ３６１が、ピボットロックスプロケット３６２のペグをペグ穴５６６内に位置させ、ボルト１２０をねじ孔５６４に螺合させることにより、マウントコンポーネント５６２に係合する。
【０１６１】
フットモジュール
水平出しフットモジュール５８０の一例が、図２４Ａおよび図２４Ｂ（それぞれ、斜視図および分解斜視図）に示されており、図２３Ｄを参照してキャスタアセンブリ５６０について説明したやり方と同じやり方でマウントコンポーネント５６２に係合する雄部材フラットマウントアセンブリ３６１を備えている。調整可能なフットコンポーネント５８１が、フット端部５８３を有しており、このフット端部５８３から、ナット５８４が螺合する水平出し用ねじロッド５８２が延びている。調節可能なフットコンポーネント５８１は、マウントコンポーネント５６２に設けられた孔に、ナット５８４をコンポーネントの底に当接させて締め付けることができるまで螺合する。フット端部５８３のマウントコンポーネント５６２からの安定した延伸距離を、水平出し用ねじロッド５８２をマウントコンポーネント５６２の孔に螺合させる前に、ナット５８４をフット端部５８３に近付き、あるいはフット端部５８３から遠ざかるように水平出し用ねじロッド５８２に沿って回転させることによって調整することができる。
【０１６２】
フットプレートモジュール５８５の一例が、図２４Ｃに示され、フットプレート５８６を備えており、フットプレート５８６は、フットプレート５８６の中心の周囲にねじ孔５８７を有しており、雄部材プレートアセンブリ４２０が、取り付けプレート４２２の孔を通って挿入されるねじ４２８を孔５８７に螺合させることによってフットプレート５８６に取り付けられる。
【０１６３】
枢動可能支持モジュール
枢動可能支持モジュール５９０の一例が、図２５Ａ〜図２５Ｃに示され、枢支ブラケット５９２に固定された雄部材プレートアセンブリ４２０を備えており、雄部材プレートアセンブリ４２０は、取り付けプレート４２２および枢支ブラケット５９２に設けられた孔を通って挿入されてロックナット５９３に螺合する取り付けプレートねじ４２８によって、枢支ブラケット５９２に固定されている。反対向きのねじ孔５９５を有する枢動可能パッドコンポーネント５９４が、枢支ブラケット５９２へと挿入され、ノブ５９８をねじ孔５９５に螺合させることによって所望の位置に固定される（図２５Ａおよび図２５Ｂ）。パッドコンポーネント５９４の位置の回転可能な調整が所望されるときに、ノブをパッドコンポーネント５９４に対して容易に緩めたり、締め込んだりできるように、ワッシャ５９９を、ノブ５９８をねじ孔５９５に螺合させる前に、ノブ５９８のねじ山付きの部分を超えて挿入することができる。枢動可能支持モジュール５９０は、ガラスまたは他の滑らかな表面との着脱可能な係合のために、図２５Ｃにおいては吸着カップコンポーネント５９６に回転可能に係合して図示されている。
【０１６４】
ウエイトモジュール
ウエイトモジュールアセンブリ６００の一例が、図２６Ａおよび図２６Ｂに示されており、図４および図５を参照して両側レセプタクル延長管ローテータモジュール１５１および１５２について説明したように複数の四角ナット３６がスライド可能に係合する１対の反対向きの長手方向の四角ナットチャネル６０８を有する延長管ハウジング６０６を備える両側レセプタクル延長管ローテータモジュール６０５の別の例に着脱可能に係合したウエイトコンポーネント６０２を備えている。第１のウエイトコンポーネント６０２の内面が、延長管ハウジング６０６に当接し、ボルト６０４が、ウエイトコンポーネント６０２に設けられた外孔６０３ａに挿入された後に、四角ナットチャネル６０８に収容された四角ナット３６に螺合する。第２のボルト６０４が、第１のウエイトコンポーネント６０２に設けられた他の外孔６０３ａに挿入された後に、四角ナットチャネル６０８に収容された第２の四角ナット３６に螺合する。第２のウエイトコンポーネント６０２が、第１のウエイトコンポーネント６０２の反対側で延長管ハウジング６０６に当接し、第２のウエイトコンポーネント６０２の孔６０３ａを通って挿入される２本のボルト６０４によって反対側の四角ナットチャネル６０８に収容された四角ナット３６に螺合する。あるいは、ウエイトコンポーネント６０２の一方または対を、中央孔６０３ｂによって、延長管ハウジングの横マウント孔を通ってそのモジュールのレセプタクルアセンブリまたは中間四角ナットホルダによって保持された四角ナットと螺合するボルト６０４で、取り付けることも可能である。随意により、ウエイトモジュールアセンブリ６００においてより重い釣り合いバランスウエイトまたはベースウエイトが望まれる場合、１つ以上の追加のウエイトコンポーネント６０２を延長管ハウジング６０６に同様に螺合させることが可能である。
【０１６５】
伸縮延長モジュール
典型的な伸縮延長モジュール６１０が、図２７Ａ、図２７Ｂ、および図２７Ｃ（それぞれ、斜視図、分解斜視図、および縦断面図）に示されており、一般に、雄コンポーネント７０が取り付けられる雄部材管端部プレート２７１を有する延長管ハウジング６１２を備えている。延長管ハウジング６１２の他端に、４本のねじ２３で延長管ハウジング６１２の端部に取り付けられるロッド保持コンポーネント６１４を備える伸縮アセンブリが取り付けられる。ねじロッド６２０を受け入れるための中心孔を有するロッド保持プレート６１６が、ロッド保持コンポーネント６１４の内向きの面に当接しつつ、内側部分がロッド保持コンポーネント６１４の中央を通過している調整カラーコンポーネント６１８の内向きの表面へとねじ６１９で取り付けられる。カラーコンポーネント６１８およびプレート６１６は、アセンブリをねじ２３によって延長管ハウジング内に固定するロッド保持コンポーネント６１４を、確実かつ回転可能に挟む。調整カラーコンポーネント６１８を、ねじロッド６２０と螺合するねじ孔が貫通している。ねじロッド６２０の遠位端は、スペーサプレート６２２に設けられた孔を通って挿入され、ワッシャおよびロックナット６２４との螺合によってスペーサプレート６２２に固定されるより細い直径のねじ部分６２１を有する。雄部材プレートアセンブリ４２０（図１６Ｂおよび関連の説明を参照）が、取り付けプレート４２２に設けられた孔を通って挿入され、スペーサプレート６２２に設けられたねじ孔に螺合するねじ４２８によって、スペーサプレート６２２に取り付けられる。
【０１６６】
オペレータは、雄部材プレートアセンブリ４２０の所望の外への伸張が達成されるまで、調整カラーコンポーネント６１８を時計回りに回転させてねじロッド６２０および取り付けられた雄部材プレートアセンブリ４２０を外へと進めることにより、雄部材プレートアセンブリ４２０を延長管ハウジング６１２から遠ざかるように伸ばすことができる。オペレータは、調整カラーコンポーネント６１８を反時計回りの方向に回転させることによって、雄部材プレートアセンブリ４２０を逆方向に引き込むことができる。おおむね所望のロッド突出長が達成されると、必要に応じて、取り付けられた雄コンポーネント７０および対応するレセプタクルモジュール（図示せず）を適切な向きとするために、雄部材プレートアセンブリ４２０およびねじロッド６２０をいずれかの方向にわずかな量だけ回転させることができる。
【０１６７】
端部キャップモジュール：
図２８〜図３３に示される端部キャップモジュールの以下の例は、ハンドグリップまたは足またはバンパーまたは接地パッドあるいはシステムアセンブリの露出した雄アセンブリまたはレセプタクルアセンブリの一般的な保護蓋などの用途のための種々の構造的な端部コンポーネントの機能を提供する。
【０１６８】
随意によりハンドグリップまたは足またはバンパーとして使用することができるグリップ端部キャップモジュール６２５の例が、図２８Ａ〜図２８Ｅに示されており、ハンドルグリップコンポーネント６２６およびハンドルグリップコンポーネント６２６と回転可能に協働する外側スリーブ６３１を備えている。ハンドルグリップコンポーネント６２６は、一端の半円形端部キャップ部分６２７と、中間の細長いハンドグリップ部分６２８と、他端の内側スリーブ６２９とを備える。この例では、４つの突起保持スロット６３０が、ハンドグリップ部分６２８の内側の空洞内に凹部の形態で設けられており、協働するモジュールの雄コンポーネント７０（図示せず）の突起の対応する数の直線状の組を受け入れて固定することができる。図２８Ｄに示される開位置にあるとき、雄コンポーネント７０を含む協働するモジュールの雄部材アセンブリを、グリップ端部キャップモジュール６２５へと挿入することができ、その後に、外側スリーブ６３１を図２８Ｅに示されるとおりの閉位置へと回転させることで、保持タブ６３２を突起保持スロット６３０に重ね、突起８２（例えば、図１および図２に示されている）を突起保持スロット６３０内に固定することにより、雄コンポーネント７０を固定することができる。
【０１６９】
端部キャップモジュールの別の例は、雄／レセプタクル延長管ローテータモジュール６４０に取り付けられる図２９Ａおよび図２９Ｂに示されるシェル端部キャップモジュール６３５である。シェル端部キャップモジュール６３５は、１対の一致するハーフシェルキャップ６３６を備え、これらのハーフシェルキャップ６３６は、これらのハーフシェルキャップに設けられた孔６３８を通って挿入されて雄コンポーネント７０のネック部のねじ孔８９に螺合するねじ６３７によって、雄／レセプタクル延長管ローテータモジュール６４０の雄コンポーネント７０に着脱可能に係合する。
【０１７０】
雌ドームパッド端部キャップモジュール６４１の一例が、図３０Ａおよび図３０Ｂに示されており、中央オリフィス６４５を備えるつぶれることができるフレームワーク６４３を有する雌ドームパッド６４２を備えている。雌ドーム取り付け板６４６が、取り付け板６４６に設けられた孔６４７を通って挿入されてフレームワーク６４３に設けられたねじ溝またはねじインサートと螺合するねじ６４８によって、フレームワーク６４３に取り付けられる。雌ドーム取り付け板６４６は、フレームワーク６４３のオリフィス６４５に整列したオリフィス６４９を有する。オリフィス６４９，６４５は、雄／レセプタクル延長管ローテータモジュール６４０または他のモジュールに係合したシェル端部キャップモジュール６３５（図２９に示されている）とスライド可能かつ摩擦を伴って係合するようなサイズである。
【０１７１】
雄ドームパッド端部キャップモジュール６５０の一例が、図３０Ｃおよび図３０Ｄに示されており、つぶれることができるフレームワーク６５３を有する雄ドームパッド６５２を備えている。雄部材フラットマウントアセンブリ３６１が、ボルトによって雄ドーム取り付け板６５４へとねじ孔６５６およびペグ穴６５７において取り付けられている。雄ドーム取り付け板６５４は、取り付け板６５４の孔６５８を通って挿入されてつぶれることができるフレームワーク６５３に設けられたねじ溝またはねじインサートに螺合するねじ６４８によって、フレームワーク６５３に取り付けられる。
【０１７２】
本明細書で開示されるモジュールのいくつかの実施形態は、乗用ドリー機構のために構成されたユーティリティシステム装置あるいはスツールまたはベンチアセンブリに取り入れることができる座席端部キャップモジュールを含む。座席モジュール６６０の一例が、図３１Ａおよび図３１Ｂに示され、座席パッド６６２を備えており、雄部材プレートアセンブリ４２０が、取り付けプレート４２２に設けられた孔を通って挿入されて座席パッド６６２に設けられたねじ孔（図３１では見て取ることができない）に螺合するねじ４２８によって、座席パッド６６２に取り付けられている。
【０１７３】
バンパー端部キャップモジュール６７０の一例が、図３２Ａおよび図３２Ｂにおいて、横方向に延びる雄部材横マウントアセンブリ１１０（図３Ａに最初に示されている）を有する閉管ローテータハブアセンブリ１００に取り付けられて図示されている。バンパーコンポーネント６７２が、ローテータハブアセンブリ１００の幅広ピボットセグメント７８に被せられ、バンパーコンポーネント６７２に設けられたオリフィスを通って挿入され、幅広ピボットセグメント７８から上方へと延びている八角形のボス７９のねじ孔に螺合するねじ６７４によって、動かぬように固定される。
【０１７４】
本開示のいくつかの実施形態による種々のさらなる端部キャップコンポーネントが、図３３Ａ〜図３３Ｆに示されている。軟質端部キャップコンポーネント６８０の一例が、図３３Ａ〜図３３Ｃに示されており、ねじ孔を有する４つのインサート６８６が係合した軟質半球状ドームコンポーネント６８８を備えている。４つの孔６８３を有する一体の取り付け板６８２を有する細長い脚コンポーネント６８１が、４つの孔６８３を通って挿入されてドームコンポーネント６８８内の４つのインサート６８６に螺合する４つのねじ６８５によって、ドームコンポーネント６８８に取り付けられる。軟質端部キャップコンポーネント６８０を、例えば、図３３Ｃに示されるように、閉管ローテータハブアセンブリ１００のレセプタクルコンポーネントに係合させることができる。横開口レセプタクルにおいて使用される場合には、コンポーネント６８０を、ねじ孔６８９に螺合するねじによって堅固に係合させることができる。
【０１７５】
本開示による任意のユーティリティシステムアセンブリに組み込まれたローテータモジュールまたはジョインナモジュール内の未使用のレセプタクルを覆って保護するために有用な硬質端部キャップコンポーネント６９０の例が、図３３Ｄおよび図３３Ｅに示されている。硬質端部キャップコンポーネント６９０のこの例は、平坦な外向き面６９３と、細長い下方へと延びる脚コンポーネント６９１とを有しており、面６９３は、面６９３を横切って延びるプルタブを備え、脚コンポーネント６９１は、半径方向保持ロック面取り部６９２を備え、半径方向保持ロック面取り部６９２が、硬質端部キャップコンポーネント６９０がローテータレセプタクルアセンブリ２０またはジョインナレセプタクルアセンブリ２２０のレセプタクルへと挿入されるときに、協働するばね受け付き保持ハーフロック５２を通過するまでこのハーフロックを押し戻すことにより、硬質端部キャップコンポーネント６９０が保持ロック５０が解除されるまでレセプタクル内に固定される。図３３Ｅは、閉管ローテータハブアセンブリ１００のローテータレセプタクルアセンブリに係合した硬質端部キャップコンポーネント６９０を示している。
【０１７６】
図３３Ｆに示される単純な平坦端部キャップコンポーネント６９５を、本明細書で開示される任意の種類の延長管ハウジングの開放端に固定することができる。平坦端部キャップコンポーネント６９５は、外周に４つの孔６９６を有しており、これらの孔を通ってねじ２３を挿入し、他端において雄部材延長管端部アセンブリ２７０に係合する典型的な延長管ハウジング６９７の一端に設けられたねじ山付きのねじスロット６９８に螺合させることができる。
【０１７７】
単位スケール
本明細書に開示の典型的なモジュールを、さまざまな用途で使用するためのユーティリティシステムおよび支持構造の組み立てを容易にするために、さまざまな範囲のサイズのさまざまな材料で構成することができる。使用の容易さ、ならびにシステム全体のモジュールの相互接続性および相互互換性のために、モジュール単位スケールを、システムフォーマットのすべてのモジュールにおいて使用することができる。さまざまな実施形態の構成において、単位スケールは、モジュラーシステムの意図される用途に応じてさまざまなサイズを有することができる。提示および図示されるサイズおよび比率は、あくまでも互いに相互接続されるモジュールの相対的な機能および互換性を知らせる説明の目的のためのものにすぎず、本開示のモジュールをこれらの値または割合に限定しようとするものではない。
【０１７８】
本開示のいくつかの実施形態によれば、適切なシステムフォーマットは、２単位の直径という単位スケール標準の管モジュールを有し、ここで１単位は、例えば３０ミリメートルに等しくてよい。レセプタクル１１，２１１および相補的な雄部材アセンブリ７１，１１０，２７０，３６１，３９５，４２０は、２単位よりも長くてよいが、閉管モジュール１０／２０１は、２単位×２単位の立方体のモジュール単位スケールを有するハブアセンブリを容易にする２単位のモジュール単位スケール長を提供する閉管ハウジング１５／２１５を備え、レセプタクルアセンブリ２０，２２０が閉管ハウジング１５／２１５の幅広ピボットセグメントの中空中心内に重なる。いくつかの実施形態によれば、典型的なレール転がりモジュール５１０およびレール包囲転がりモジュールアセンブリ５３７は、それぞれ最大２方向または４方向の単位スケール構成を提供することができ、協働するサイズのスペーサプレート５３２に取り付けられた雄部材プレートアセンブリ４２０が、レール転がりモジュール５１０、５３７を横切って雄部材プレートアセンブリ４２０の間に例えば６単位のモジュール幅をもたらすように結合し、同じシステムフォーマットの他のモジュールとの並列構成可能性を可能にする。
【０１７９】
システムフォーマットのモジュール全体に単位スケールを使用することによって、最終使用のアセンブリに到達するために必要な部品の計算および構成が容易になる。さらに、例えばレール転がりモジュール５１０，５３７を移動させることができる長さを提供する一連の延長管モジュールの場合に、単位スケール長は、接続点あるいは延長管の長さに沿って含まれてよいモジュールの横マウント孔によって、オペレータに移動距離の視覚的な案内を提供することができ、例えば延長管モジュールレール軌道アセンブリに沿った所望の位置に例えばストッパとして配置される端部キャップモジュールのための接続点ももたらすことができる。
【０１８０】
キット
本明細書で開示されるいくつかの実施形態によれば、本明細書に開示される種々の種類のモジュールのうちの１つ以上からなるグループを、種々の機能の要件のための特定の種類のモジュール式ユーティリティシステムアセンブリまたは支持構造へと組み立てるためのキットにて、まとめて提供することができる。本開示のキットは、最終使用のシステムアセンブリあるいはモジュールの種類または数にかかわらず、システムの組み立てを支援するための機器またはツール、ならびに／あるいはシステムの組み立てについての印刷物またはソフトウェアによる指示をさらに含むことができ、もしくはこれらと一緒に梱包されてよい。
【０１８１】
カスタマイズ可能なアセンブリ
本開示のモジュール式ユニットを相互接続し、多種多様な用途に向けて設計されてよい多種多様なユーティリティシステムアセンブリおよび支持構造アセンブリとすることができる。このようにして、所与のシステムフォーマットの相互接続モジュールの選択された組み合わせを使用し、あるいは複数のシステムフォーマットのアダプタジョインナモジュール３１１または他のファスナモジュールを使用して、ユーティリティシステムまたは支持構造を特定の用途に合わせてカスタマイズすることができる。幅広い範囲の構成可能性は、幅広い範囲のエンドユーザの要件に合わせた幅広い範囲のサイズおよび機能設計にてシステムを組み立てることを可能にする。例えば、本開示のモジュールを相互接続して、これらに限られるわけではないが、カート、ドリー、軌道、クレーン、リフト、スタンド、ラック、テーブル、ワークステーション、座席、ベッドフレーム、棚、保管場所、ステージ、手すり、仕切り、玩具システム、などを含むユーティリティシステムまたは支持構造を形成できると考えられる。随意により、システムアセンブリを、さまざまなエンドユーザの要件に合わせて、第三者のツール、機構、およびシステムと組み合わせることが可能である。
【０１８２】
いくつかの実施形態によれば、本明細書に開示のモジュールを、これらに限られるわけではないがカメラ、マイクロホン、および照明の配置用および移動用の支持システムなど、例えば映画制作および／またはビデオ撮影および／またはスチール写真の用途において使用されるように構成されてよい複数のカスタマイズされたツール／荷重支持アセンブリを組み立てるように選択および相互接続することができ、他の実施形態においては、種々の産業または家庭の用途における他の器具および所有物のためのカートまたはスタンドとして選択および相互接続することができる。
【０１８３】
本明細書で開示される実施形態のより良い理解を得るために、ユーティリティシステムアセンブリおよび支持構造アセンブリの以下の実施例が説明される。
【実施例】
【０１８４】
カート、ドリー、軌道、クレーン、リフト、スタンド、ラック、テーブル、ワークステーション、座席、ベッドフレーム、棚、保管場所、ステージ、手すり、仕切り、玩具システム、などのさまざまなユーティリティシステムアセンブリおよび支持アセンブリの組み立てにおけるモジュールの多用途性をさらに説明するために、アセンブリのいくつかの実施例が、本明細書に記載のモジュールコンポーネントコンポーネントのさまざまな多機能性の態様を示すために提示される。図３４〜図４３に示される実施例１〜１０は、さまざまな種類のカメラと共に使用されるように構成されている。しかしながら、図示のアセンブリを、マイクロホン、照明、望遠鏡、レーザ、ならびに測定および測量ツールなど、他の種類の装置について使用してもよい。図４４に示される実施例１１は、工業用照明と共に使用されるように構成されている。図４５〜図４７に示される実施例１２〜１４は、さまざまな種類の資材、用品、器具などの運搬用のさまざまな種類のユーティリティカートとして使用されるように構成されている。本明細書で開示されるモジュールを、図４８に示されるように、家具または保管場所として使用されるアセンブリへと構成することも可能である。
【０１８５】
実施例１：クラブ操舵ドリーシステム
図３４は、本明細書に開示のモジュールおよびアセンブリのうちのいくつかを用いて構成されたクラブ操舵ドリーシステム７００の一実施例の斜視図を示しており、映画セットまたは他の場所においてカメラまたは他の装置を運搬するための軌道レスのオペレータによって制御されるクラブ操舵アセンブリを提供するように設計されている。この実施例において、「後方」または「後部」への言及が、図面の図においてアセンブリのうちのドリーシステムを操縦するオペレータが立つであろう場所に面する側を意味し、「前方」または「前部」が、図面の図においてアセンブリのうちの遠ざかる方を向いた側を意味することに、留意されたい。クラブ操舵ドリー７００は、２つのサブアセンブリを備えており、第１のサブアセンブリは、１対のレール包囲転がりモジュールアセンブリ５３７によって支持された枢動可能かつ回転可能な装置支持構造であり、第２のサブアセンブリは、（ｉ）レール包囲転がりモジュール５３７を移動させることができる細長いレールアセンブリと、（ｉｉ）各々の角部の１対のクラブ操舵ホイールモジュール５５０と、（ｉｉｉ）ホイールモジュールの枢動可能な制御のための操舵アセンブリとを備える操舵可能なドリーフレームワークである。
【０１８６】
装置支持サブアセンブリは、カメラまたは他のねじで取り付けられる装置を取り付けることができるベースプレートアセンブリ４００を備える。ベースプレートアセンブリ４００の右側に、オペレータがベースプレートの方向および位置を手動で制御できるように、パン／チルト／ジブ操作ハンドルバーアセンブリが係合しており、パン／チルト／ジブ操作ハンドルバーアセンブリは、６単位の長さの両側レセプタクル延長管ローテータモジュール１５１と、硬質端部キャップコンポーネント６９０が取り付けられ、かつ下方へと延びるグリップ端部キャップモジュール６２５を有している閉管ローテータハブアセンブリ１００とを備えている。ベースプレートモジュール４００の左側から、４単位の長さの雄／レセプタクル横開口ジョインナモジュール２５１が延びており、ベースプレートの右側のハンドルバーアセンブリによって制御することができる間欠的にロック可能な張力調整式の３６０°の装置チルト枢支点をもたらすために、閉管ローテータハブアセンブリ１００に取り付けられている。グリップ端部キャップモジュール６２５が、追加のハンドグリップをもたらすためにハブアセンブリ１００の左向きの雄部材に係合している。ローテータハブアセンブリ１００から下方へと、１０単位の両側レセプタクル延長管ローテータモジュール７１０が延びており、この両側レセプタクル延長管ローテータモジュール７１０は、別のローテータハブアセンブリ１００と出会う場所においてロック可能、またはオフセンターの３６０°の装置パン枢支点をもたらすことができ、上記別のローテータハブアセンブリ１００には、６単位の長さの両側レセプタクル延長管ジョインナモジュール４６０が取り付けられ、この両側レセプタクル延長管ジョインナモジュール４６０に、上向きの幅広ピボットセグメントにバンパーコンポーネント６７２を係合させたもう１つの閉管ローテータハブアセンブリ１００が続き、３単位の雄／レセプタクル延長管ジョインナモジュール７２０と出会う下方の場所に、カメラまたは他の特定の装置の下方に中心を有し、張力調整ねじノブ５８を使用して枢支の張力を調整することができる間欠的にロック可能な張力調整式の３６０°の装置パン枢支点をもたらしている。
【０１８７】
ジョインナモジュール７２０の下方に閉管ローテータハブアセンブリ１００が存在し、この閉管ローテータハブアセンブリ１００の両側に、２つのさらなる閉管ローテータハブアセンブリ１００（各々にグリップ端部キャップモジュール６２５が取り付けられている）が係合し、これら２つのさらなる閉管ローテータハブアセンブリ１００から、２つの１２単位の長さの両側レセプタクル延長管ジョインナモジュール４７５がそれぞれのローテータハブアセンブリ１００（上方のアセンブリのためのジブチルト枢支点を内側にもたらす）へと下方に延び、これらのローテータハブアセンブリ１００は、中央において２つのさらなるローテータハブ１００（上方のアセンブリのためのジブパン枢支点をもたらす）の積み重ねに係合している。ジブチルトおよびジブパンを、ゼロ単位の長さの両側雄ジョインナモジュール２８１（見て取ることができない）によって１８単位の両側レセプタクル延長管ジョインナモジュール７３０の端部に取り付けられたグリップ端部キャップモジュール６２５を使用して制御することができる。ジョインナモジュール７３０には、釣り合いバランスウエイトモジュールアセンブリ６００がさらに取り付けられている。
【０１８８】
上記の２つの積み重ねられたローテータハブ１００の下方において、装置支持構造は、レール包囲転がりモジュールアセンブリ５３７の上にそれぞれ取り付けられる閉管ローテータハブアセンブリを各側に有している６単位の長さの両側レセプタクル延長管ジョインナモジュールを介して、レール包囲転がりモジュールアセンブリ５３７へと取り付けられ、この実施例においては、各々の端部において閉管ローテータハブアセンブリおよび６単位の両側レセプタクル延長管ジョインナモジュール４６０を介して中央で係合した２つの平行な３６単位の両側レセプタクル延長管ジョインナモジュール７４０に沿って走行し、下方のドリーアセンブリに対する小さなトラッキングの移動を可能にしており、上記両側レセプタクル延長管ジョインナモジュール４６０の下方において、横取り付けの４単位の雄／レセプタクル延長管ジョインナモジュール７５０および続く閉管ローテータハブアセンブリが、上述の装置支持構造およびレールアセンブリを操舵可能なドリーサブアセンブリに係合させる。
【０１８９】
操舵可能なドリーサブアセンブリは、装置支持サブアセンブリを支持し、レール包囲転がりモジュールアセンブリ５３７によってレールアセンブリに係合させるシャーシ構造を提供する。シャーシアセンブリは、その中央に４方向閉管ジョインナハブアセンブリ２０１を有し、そこから４つの方向のすべてに４つの延長管ジョインナモジュールが延びており、最長はアセンブリの中央から後方への１８単位の両側レセプタクル延長管ジョインナモジュール７３０であり、ここで４方向閉管ローテータハブアセンブリ１００が、上方においてレールアセンブリに結合し、両横においてシャーシの２つの後方角部へと続く１２単位の両側レセプタクル延長管ジョインナモジュール４７５に結合している。中央の４方向閉管ジョインナハブアセンブリ２０１から、１２単位のジョインナモジュールが前方へと延びており、前部においてレールアセンブリに係合する４単位のジョインナモジュールへと続いている。中央のジョインナハブアセンブリ２０１の横向きの面の各々から、シャーシアセンブリの２つの前方角部へと続く２つの１２単位のジョインナモジュールが延びている。
【０１９０】
シャーシアセンブリの各々の角部に、閉管ローテータハブアセンブリ１００が係合し、その各々から下方へと６単位の雄／レセプタクル延長管ローテータモジュール６４０が係合し、それぞれのホイールモジュールアセンブリ５５０に方向枢支点を提供している。これらのローテータ６４０の各々の下方に、ホイールモジュール５５０の対の中央に位置する４方向閉管ローテータハブアセンブリ１００が係合している。これらのハブアセンブリの各々の後方から、６単位の両側レセプタクル延長管ジョインナモジュール４６０が延び、もう１つのローテータハブアセンブリ１００に出会い、そこから操舵アセンブリの枢支点をもたらす６単位の両側レセプタクル延長管ローテータモジュール１５１が上方へと延びている。
【０１９１】
上方へと延びている後方のローテータモジュール６４０の各々に、ローテータハブアセンブリ１００、２単位の両側雄ジョインナモジュール２９１、およびもう１つのローテータハブアセンブリ１００が直列に取り付けられている。上方へと延びている前方のローテータモジュール６４０の各々に、４単位の両側雄延長管ジョインナモジュール７５６およびローテータハブアセンブリ１００が取り付けられている。ドリーの左側および右側において、１８単位の両側レセプタクル延長管ジョインナモジュール７３０が、ホイールモジュール５５０に相互接続された前方および後方のローテータモジュールのための操舵アセンブリの上部ローテータハブアセンブリを相互接続している。１対の１２単位の両側レセプタクル延長管ジョインナモジュール４７５が、後方の上方へと延びているローテータモジュール６４０に載せられた下側のローテータハブアセンブリ１００から内側へと延び、別の構成の４方向閉管ジョインナハブアセンブリに係合している。ジョインナハブアセンブリから後方へと、６単位の両側レセプタクルジョインナモジュール上のウエイトモジュールアセンブリ６００が延びている。ジョインナハブアセンブリから上方へと、３つのグリップ端部キャップモジュール６２５を有する４単位の両側雄延長管ジョインナモジュール７５６に係合した１２単位の雄／レセプタクル延長管ジョインナモジュール７５４が延びている。この段落において説明したサブアセンブリは、オペレータにとってクラブ操舵ドリー７００をグリップ端部キャップモジュール６２５によって押し引きしながら操縦することを可能にする操舵アセンブリを備える。この実施例では、オペレータが操舵アセンブリへと加える力によって、ホイールの約１４０°の回転半径が可能となり、アセンブリを前方および左側に押すとホイールモジュール５５０が右を向き、その反対に、前方および右側に押すとホイールモジュールの向きが左に変わる。
【０１９２】
実施例２：垂直レールトラッキングドリーシステム
垂直レールトラッキングドリーシステム７６０の一実施例が、図３５に示されており、スチールカメラまたはビデオカメラまたはフィルムカメラなどの搭載された装置を動画または静止画の取得の最中に垂直方向の上下移動にて制御可能に移動させるための安定した支持を提供するために使用することができる。ホイールモジュールが、オペレータが搭載された装置を操作しながら所望のとおりに垂直レールトラッキングドリーシステム７６０を押し引きすることを可能にする。
【０１９３】
垂直レールトラッキングドリーシステム７６０は、２つのサブアセンブリを備え、第１のサブアセンブリは、各々の角部の１対のホイールモジュール５５０と、レール包囲転がりモジュールアセンブリ５３７を移動させることができる垂直な細長いレール構造とが設けられたドリーフレームワークであり、第２のサブアセンブリは、ドリーフレームワーク上に設けられた垂直な細長いレール構造に沿って上下に移動する１対のレール包囲転がりモジュールアセンブリ５３７を備えた枢動可能かつ回転可能なカメラ支持構造である。
【０１９４】
ドリーフレームワークサブアセンブリは、間隔を空けて位置する第１の対の１８単位の両側レセプタクル延長管ジョインナモジュール７３０によって構成され、これらの両側レセプタクル延長管ジョインナモジュール７３０は、それぞれの端部において、間隔を空けて位置する第２の対の１８単位の両側レセプタクル延長管ジョインナモジュール７３０に横から取り付けられ、第２の対の両側レセプタクル延長管ジョインナモジュール７３０は、それぞれの端部において、硬質ソケットキャップコンポーネント６９０が取り付けられた閉管ローテータハブアセンブリ１００に係合している。各々のローテータハブアセンブリ１００から、６単位の雄／レセプタクル延長管ローテータモジュール６４０が下方へと延びており、各々の延長管ローテータモジュール６４０の底に位置するローテータハブアセンブリ１００の両側に横から取り付けられたドリーシステムのホイールモジュール５５０の方向枢支点をもたらしている。この実施例では、ホイール５５２は、対応するアクスルオフセットねじ孔５５１ｂ（見て取ることができない）においてホイールモジュール５５０のホイールアクスル／レセプタクル横開口ジョインナモジュール５５５にボルトで取り付けられているため、これらのホイールモジュールアセンブリは、大型のキャスタとして機能し、オペレータがドリーアセンブリへと加える方向性の力に整列する方向へと自然に回転する。図３５に示されるように、ホイールモジュールアセンブリは、ローテータハブアセンブリの中央の第３の面から延びる平坦端部キャップコンポーネント６９５を有するジョインナモジュールに横から取り付けられたウエイトモジュールアセンブリ６００を含んでいる。
【０１９５】
垂直な細長いレール構造は、２つのレールを備え、各々のレールは、上側の１８単位の雄／レセプタクル延長管ジョインナモジュール７６５に係合した下端の１８単位の両側レセプタクル延長管ジョインナモジュール７３０で構成されている。レール構造の下端は、水平に設けられた第１の対のジョインナモジュール７３０の長手方向の四角ナットチャネルに横から取り付けられている。レール構造の上端には、２つのレセプタクルの保護囲いとしての硬質ソケットキャップコンポーネント６９０が挿入されている。
【０１９６】
第２のサブアセンブリ、すなわち枢動可能かつ回転可能なカメラ支持構造は、カメラまたは他のねじで取り付けられる装置を取り付けることができるベースプレートアセンブリ４００を備える。ベースプレートアセンブリ４００の（図３５に示されている図における）左側に、オペレータがベースプレートの方向および位置を手動で制御できるように、パン／チルト／ジブ操作ハンドルバーアセンブリが係合しており、パン／チルト／ジブ操作ハンドルバーアセンブリは、第１の両側レセプタクル延長管ローテータモジュール１５１と、硬質ソケットキャップコンポーネント６９０が取り付けられ、かつ下方へと延びるグリップ端部キャップモジュール６２５を有している閉管ローテータハブアセンブリ１００とを備えている。ベースプレートアセンブリ４００の右側から、雄／レセプタクル横開口ジョインナモジュール２５１が延びており、間欠的にロック可能な張力調整式の３６０°のチルト軸をもたらすことによって、ベースプレートアセンブリの左側のハンドルバーアセンブリによってベースプレートアセンブリ４００を制御することができるように、閉管ローテータハブアセンブリ１００に係合している。グリップ端部キャップモジュール６２５が、補助の把持点として、ローテータハブアセンブリ１００の外側の雄部材アセンブリに取り付けられている。ローテータハブアセンブリ１００から、１０単位の両側レセプタクル延長管ローテータモジュール７１０が下方へと延びており、これは、閉管ジョインナハブアセンブリ２０１と出会う下部においてオフセンターのパン軸をもたらすことができ、閉管ジョインナハブアセンブリ２０１の側面に、第１の両側レセプタクル延長管ジョインナモジュール４６０が取り付けられ、次いで第１の両側レセプタクル延長管ジョインナモジュール４６０は、３６０°のチルト軸での回転によってハブアセンブリに誤って衝突し得るカメラまたは他の装置の保護のためにバンパーコンポーネント６７２を上向きの幅広ピボットセグメントに係合させて有している閉管ローテータハブアセンブリ１００に係合している。ローテータハブアセンブリ１００は、３単位の雄／レセプタクル延長管ジョインナモジュール７２０に出会う場所においてベースプレートアセンブリの間欠的にロック可能な張力調整式パン軸を提供し、雄／レセプタクル延長管ジョインナモジュール７２０は、ローテータハブアセンブリから下方に延び、第２の両側レセプタクル延長管ジョインナモジュール４６０に横から取り付けられている。１対の１８単位の両側レセプタクル延長管ジョインナモジュール７３０が、第２のジョインナモジュール４６０の両端に係合し、第２のローテータモジュール１５１の両端に回転可能に係合し、第３のジョインナモジュール４６０に係合している。釣り合いバランスウエイトモジュールアセンブリ６００が、１対の両側レセプタクル延長管ジョインナモジュール７３０の各々の下端の近くに横から取り付けられている。別の１８ユニットの両側レセプタクル延長管ジョインモジュール７３０の一端が、回転可能に係合した第２のローテータモジュール１５１に横から取り付けられ、他端が、第３のローテータモジュール１５１に横から取り付けられている。別の延長管ジョ��ンナモジュール７３０が、一端によって第３のローテータモジュール１５１の反対側に横から取り付けられ、反対側の端部に取り付けられた釣り合いバランスウエイトモジュールアセンブリ６００を有している。硬質端部キャップコンポーネント６９０と外側グリップ端部キャップモジュール６２５とを有する１対のローテータハブアセンブリ１００が、第３のローテータモジュール１５１の両端のレセプタクルに係合しており、したがって支持アセンブリの上部を上下に枢動させることができ、アセンブリの延在する垂直部分を、所望であれば第２のローテータモジュール１５１における回転によって垂直に保つことができる。１対のローテータハブアセンブリ１００の下方に、１対の両側レセプタクル延長管ジョインナモジュール４６０が係合し、次いで別の両側レセプタクル延長管ジョインナモジュール４６０によって相互接続された１対のジョインナハブアセンブリ２０１に取り付けられている。１対のジョインナハブアセンブリ２０１のレールに面するレセプタクルに、レール包囲転がりモジュールアセンブリ５３７が取り付けられている。
【０１９７】
レール包囲転がりモジュールアセンブリ５３７は、ドリーフレームワークサブアセンブリ上に構成された垂直な細長いレール構造の周りを滑るように動き、第３のローテータモジュール１５１に係合した１対のローテータハブアセンブリ１００の側面および転がりモジュールアセンブリ５３７の側面に取り付けられたグリップ端部キャップモジュール６２５を使用するオペレータによって、垂直な細長いレール構造に沿って上下に移動可能である。レール包囲転がりモジュールアセンブリ５３７が垂直な細長いレール構造の最下部へと移動するときにカメラの運動を緩衝するために、１対の雌ドームパッド端部キャップモジュール６４１を、第２のサブアセンブリの中間の水平な両側レセプタクル延長管ジョインナモジュール４６０および第１のサブアセンブリの対応する１８単位の延長管ジョインナモジュール７３０へと横から取り付けることができる。
【０１９８】
実施例３：横置きレールトラッキングドリーシステム
横置きレールトラッキングドリーシステム７７０の一実施例が、図３６に示されている。この形式のアセンブリの構成は、２枚の壁あるいは車両の内部のドアまたは窓の２つの間など、２つの対向する安定な垂直支持物の間に堅固に固定することができる水平レールシステムをもたらすために使用可能である。１つ以上のレール包囲転がりモジュールアセンブリ５３７（あるいは、随意により、レール転がりモジュール５１０）に係合した装置支持アセンブリを、オペレータが水平レールシステムに沿って制御可能に往復移動させることができる。
【０１９９】
この実施例において、水平レールシステムは、パッドコンポーネント５９４が取り付けられた枢動可能な支持モジュール５９０に一端において着脱可能に係合した３６単位の両側レセプタクル延長管ジョインナモジュール７４０を備えている。ジョインナモジュール７４０の他端は、パッドコンポーネント５９４が取り付けられた枢動可能な支持モジュール５９０に取り付けられた伸縮延長モジュール６１０に係合している。水平レールシステムを、２つの垂直な支持面の間の所定の場所に、伸縮延長モジュール６１０によるこれら２つの面との伸縮可能な係合によって堅固に取り付けることができる。必要であれば、類似の代案のアセンブリ（図示せず）を、２つの水平な支持面の間に垂直に係合させることも可能である。
【０２００】
この実施例では、図１７に示したベースプレートアセンブリ４３０が、各々の６単位の雄／レセプタクル延長管ジョインナモジュール４６５の上端において、３単位の雄／レセプタクル延長管ジョインナモジュール７２０に横から取り付けられている。ジョインナモジュール４６５の雄部材管端部アセンブリ２７０の各々の下向きの幅広ピボットセグメントが、バンパーコンポーネント６７２に係合している（図１７に示されている雄コンポーネント７０は、ここでは除かれている）。３単位のジョインナモジュール７２０の外側の雄の端部は、閉管ローテータハブアセンブリ１００にそれぞれ係合している。下向きに延びるグリップ端部キャップモジュール６２５および左向きのバンパーコンポーネント６７２が、ベースプレートアセンブリ４３０の左側のローテータハブアセンブリ１００に係合している一方で、ベースプレートアセンブリ４３０の右側のローテータハブアセンブリ１００には、右向きのバンパーコンポーネント６７２と、６単位の両側レセプタクルローテータモジュール１５１に係合した３ユニットの雄／レセプタクル延長管ジョインナモジュール７２０からなる下方へと延びるアセンブリとが係合しており、６単位の両側レセプタクルローテータモジュール１５１は、閉管ジョインナハブアセンブリ２０１に係合している。６単位の両側レセプタクル延長管ジョインナモジュール４６０の対応する端部が、ジョインナハブアセンブリ２０１から延びる横向きに取り付けられた雄部材アセンブリに係合する一方で、ジョインナモジュール４６０の他端は、レール包囲転がりモジュールアセンブリ５３７上の雄部材プレートアセンブリに回転可能に係合したローテータハブアセンブリ１００に係合しており、ローテータハブアセンブリ１００は、このローテータハブアセンブリ１００がもたらす間欠的にロック可能な３６０°のパン軸の枢支張力を調整するための張力調整ねじノブ５８を有している。右側の水平な３単位の雄／レセプタクルジョインナモジュール７２０がハブアセンブリ１００の対応するローテータレセプタクル１１内に回転可能に係合する場所にもたらされる３６０°のチルト軸におけるベースプレートアセンブリ４３０の回転によってハブアセンブリ１００に誤って接触する可能性があるカメラまたは他の装置の保護のために、バンパーコンポーネント６７２が、パン軸ローテータハブアセンブリ１００の上向きの幅広ピボットセグメントに係合している。
【０２０１】
実施例４：転がりジブシステム
転がりジブシステム７８０の一実施例が、図３７に示されており、スチールカメラまたはビデオカメラまたはフィルムカメラなどの荷物または装置を支持するためのコンパクトで軽量な転がりスタンドシステムを提供するように構成されている。このようなジブアセンブリを、例えばマイクロホンまたは照明器具などを外向きに延ばすように構成することができる。
【０２０２】
この実施例においては、１対の１０単位のホイールアクスル／レセプタクル横開口ジョインナモジュール８００の各々が、一端において第１の閉管ローテータハブアセンブリ１００の両側面に横から取り付けられている。他端において、ホイール５５２が、各々のホイールアクスル管端部コンポーネント５５１の中心孔に回転可能に係合している。１８単位の両側レセプタクル延長管ジョインナモジュール７３０の一端が、第１のローテータハブアセンブリ１００から外へと延びている雄部材アセンブリに係合している。ジョインナモジュール７３０の他端は、第２の閉管ローテータハブアセンブリ１００の雄部材アセンブリに取り付けられている。第２のローテータハブアセンブリ１００の外向きのレセプタクルに、平坦な端部キャップコンポーネント６９５が取り付けられた雄のジョインナ上のウエイトモジュールアセンブリ６００が係合している。下向きに延びるグリップ端部キャップモジュール６２５が、第２のローテータハブアセンブリ１００に横から取り付けられている。第３のローテータハブアセンブリ１００が、グリップ端部キャップモジュール６２５から９０°の間隔で側方に取り付けられている。上方へと延びる３６単位の両側レセプタクル延長管ジョインナモジュール７４０が、第３のローテータハブアセンブリ１００に横から取り付けられている。
【０２０３】
この実施例においては、ベースプレートアセンブリ４００に（図３７に示される図において）右側へと延びる第１の両側レセプタクル延長管ジョインナモジュール４６０が係合しており、この第１の両側レセプタクル延長管ジョインナモジュール４６０に、ベースプレートアセンブリのチルトおよびパン動作を取り扱うために３つのグリップ端部キャップモジュール６２５が９０°間隔で配置された第４のローテータハブアセンブリ１００が係合している。第２の両側レセプタクル延長管ジョインナモジュール４６０の一端が、ベースプレートアセンブリ４００の左側に取り付けられる一方で、他端には、下方へと延びる１０単位の両側レセプタクル延長管ジョインナモジュール７９０に係合した第５のローテータハブアセンブリ１００が係合している。第６のローテータハブアセンブリ１００が、ジョインナモジュール７９０の他端に係合している。第３の両側レセプタクル延長管ジョインナモジュール４６０の一端が、第６のローテータハブアセンブリ１００に横から取り付けられている。第３のジョインナモジュール４６０の他端は、両側雄延長管ジョインナモジュール２９１に係合し、両側雄延長管ジョインナモジュール２９１は、他端において第７のローテータハブアセンブリ１００に係合することで、上方のベースプレートアセンブリ４００にチルト軸を提供している。下方に隣接して、第８のローテータハブアセンブリ１００の上向きのローテータレセプタクル１１が、第７のローテータハブアセンブリ１００から下方へと延びている雄部材横マウントアセンブリ１１０または３９５に回転可能に係合する場所で、上方のベースプレートアセンブリ４００に、中心に位置する３６０°のパン軸を提供している。第９のローテータハブアセンブリ１００が、第８のローテータハブアセンブリ１００の側方に取り付けられ、この場所で、高張力の設定またはピボットロック６０を用いる間欠的にロック可能な回転において、ジブアームジョインナモジュール７４０の下端に係合した第３のローテータハブアセンブリ１００と第２のローテータハブアセンブリ１００との回転可能な係合の場所から第９のローテータハブアセンブリ１００に係合したジブアームジョインナモジュール７４０が上方または下方へと動かされるときに、パン軸ローテータハブアセンブリ１００および上方のモジュールを再び水平にすることができる。
【０２０４】
雌ドームパッド端部キャップモジュール６４１が、ジョインナモジュール７３０に側方から取り付けられ、上方のジブアームアセンブリをジョインナモジュール７３０に隣接する位置まで下降させることが望まれる場合に、ジブアームアセンブリを緩衝する。第４のローテータハブアセンブリ１００に取り付けられた３つのグリップ端部キャップモジュール６２５は、オペレータの手による支持アセンブリのチルトおよびパン回転の制御のために設けられている。このハンドグリップアセンブリを保持し、随意によりジブアーム（すなわち、ジョインナモジュール７４０）も把持することによって、オペレータは、ジブアームを持ち上げて下方へと延びているグリップ端部キャップモジュール６２５を上昇させ、次いで転がりジブアセンブリ７８０を押し引きすることによって、転がりジブアセンブリ７８０を転がすことができる。
【０２０５】
実施例５：ローアングルベースプレート支持システム
ローアングルベースプレート支持システム８１０の一実施例が、図３８に示されており、２つのサブアセンブリから立ち姿勢または歩行中のオペレータの届く範囲内へと上方に延びている２つのハンドルアタッチメントを把持するオペレータの押し引きによって駆動および回転の運動が実行されるコンパクトで低い転がりベースプレートシステムを提供するように構成されている。このアセンブリを、シャーシ操舵バーアセンブリを持ち上げるときにオペレータによって転がすことができ、シャーシ操舵バーアセンブリは、閉管ローテータハブアセンブリ１００（２つの側方に取り付けられたグリップ端部キャップモジュール６２５を有する）を備え、この閉管ローテータハブアセンブリ１００に雄／レセプタクル延長管ジョインナモジュール４６５が接続され、次いで１８単位の両側レセプタクル延長管ジョインナモジュール７３０が存在し、この両側レセプタクル延長管ジョインナモジュール７３０は、持ち上げられたときに２つの後方角部グリップ端部キャップモジュール６２５を地面から離してシステムアセンブリを前進させることができるようにするシャーシアセンブリの後部を形成する１８単位の両側レセプタクル延長管ローテータモジュール８３０の真ん中に、横から取り付けられている。
【０２０６】
２つの後方角部ローテータハブアセンブリ１００の下方において、グリップ端部キャップモジュール６２５の延在の長さは、おおむねシャーシアセンブリを２つのホイールモジュール５５０の半径に対して水平に位置するように整列させる１ユニットの両側雄延長管ジョインナモジュール８４０にそれぞれ組み合わせられる。２つの後方角部ローテータハブアセンブリ１００の各々から、６単位の両側レセプタクル延長管ジョインナモジュール４６０が前方へと延び、２つの前部ローテータハブアセンブリ１００に接続され、前部ローテータハブアセンブリ１００の各々の外側に、ホイールモジュールアセンブリ５５０が取り付けられている。前部の２つのローテータハブアセンブリ１００から、２つの４単位の雄／レセプタクル延長管ローテータモジュール８２０が上方へと延びており、これらの上に２つのローテータハブアセンブリ１００が係合し、これら２つのローテータハブアセンブリ１００の各々が内側へと向いたローテータレセプタクル１１を有していることで、各側のローテータハブアセンブリに回転可能に係合した２つの雄／レセプタクル延長管ジョインナモジュール４６５の間に係合するベースプレートアセンブリ４００に、チルト軸が提供される。チルト軸操舵バーアセンブリが、左側のジョインナモジュール４６５に側方から取り付けられており、チルト軸操舵バーアセンブリは、下方のシャーシ操舵バーアセンブリと同じモジュールを含んでいるが、水平なグリップ端部キャップモジュール６２５の向きが反対にされており、ここではベースプレートアセンブリ４００のチルト運動を操作するように構成され、さらにはシステムの操舵および転がり前進のために把持されるように構成されている。
【０２０７】
実施例６：横方向地上レールトラッキングドリーシステム
横方向地上レールトラッキングドリーシステム８５０の一実施例が、図３９に示されており、映画制作または同様の性質の他の最終用途の要件においてカメラまたは他の装置を転がすための固定レール軌道システムを提供するように構成されている。
【０２０８】
この実施例は、３つのサブアセンブリを備えており、第１のサブアセンブリは、固定レール軌道システムであり、第２のサブアセンブリは、枢動可能かつ回転可能なカメラ支持構造であり、第３のサブアセンブリは、２対のレール転がりモジュール５１０を備えている第２のサブアセンブリのための支持フレームワークである。
【０２０９】
第１のサブアセンブリは、１対のレール軌道を備えており、各々のレール軌道は、ローテータハブアセンブリ１００によって相互接続された２つの３６単位の両側レセプタクル延長管ジョインナモジュール７４０で構成され、ジョインナモジュール７４０の外向きの端部に係合したローテータハブアセンブリ１００を有している。１８単位の延長管ジョインナモジュール７３０が、レール軌道の各々の端部のローテータハブアセンブリ１００に側方から取り付けられている。第１のサブアセンブリ内の６つのローテータハブアセンブリの各々に、下方へと延びる両側レセプタクル延長管ジョインナモジュール４６０の一端が側方から取り付けられており、下方へと延びる両側レセプタクル延長管ジョインナモジュール４６０の他端は、水平出しフットモジュール５８０に係合している。ジョインナモジュール７３０が、レール軌道サブアセンブリに構造的支持を提供するために、２つの中間の下方へと延びているジョインナモジュール４６０の側方に取り付けられている。
【０２１０】
第２のサブアセンブリは、カメラまたは他のねじで取り付けられる装置を取り付けることができるベースプレートアセンブリ４００を備える。ベースプレートアセンブリ４００の右側に、オペレータがベースプレートの方向および位置を手動で制御できるように、パン／チルト／ジブ操作ハンドルバーアセンブリが係合しており、パン／チルト／ジブ操作ハンドルバーアセンブリは、６単位の長さの両側レセプタクル延長管ローテータモジュール１５１と、硬質端部キャップコンポーネント６９０が取り付けられ、かつ下方へと延びるグリップ端部キャップモジュール６２５を有している閉管ローテータハブアセンブリ１００とを備えている。ベースプレートモジュール４００の左側から、４単位の長さの雄／レセプタクル横開口ジョインナモジュール２５１が延びており、ベースプレートの右側のハンドルバーアセンブリによって制御することができる間欠的にロック可能な張力調整式の３６０°の装置チルト枢支点をもたらすために、閉管ローテータハブアセンブリ１００に取り付けられている。グリップ端部キャップモジュール６２５が、追加のハンドグリップをもたらすためにハブアセンブリ１００の左向きの雄部材に係合している。ローテータハブアセンブリ１００から下方へと、１０単位の両側レセプタクル延長管ローテータモジュール７１０が延びており、この両側レセプタクル延長管ローテータモジュール７１０は、別のローテータハブアセンブリ１００と出会う場所においてロック可能、またはオフセンターの３６０°の装置パン枢支点をもたらすことができ、上記別のローテータハブアセンブリ１００には、６単位の長さの両側レセプタクル延長管ジョインナモジュール４６０が取り付けられ、この両側レセプタクル延長管ジョインナモジュール４６０に、上向きの幅広ピボットセグメントにバンパーコンポーネント６７２を係合させたもう１つの閉管ローテータハブアセンブリ１００が続き、３単位の雄／レセプタクル延長管ジョインナモジュール７２０と出会う下方の場所に、カメラまたは他の特定の装置の中心の下方に中心を有し、張力調整ねじノブ５８を使用して枢支の張力を調整することができる間欠的にロック可能な張力調整式の３６０°の装置パン枢支点をもたらしている。
【０２１１】
ジョインナモジュール７２０の下方に閉管ローテータハブアセンブリ１００が存在し、この閉管ローテータハブアセンブリ１００の両側に、２つのさらなる閉管ローテータハブアセンブリ１００（各々にグリップ端部キャップモジュール６２５が取り付けられている）が係合し、これら２つのさらなる閉管ローテータハブアセンブリ１００から、２つの１２単位の長さの両側レセプタクル延長管ジョインナモジュール４７５がそれぞれのローテータハブアセンブリ１００（上方のアセンブリのためのジブチルト枢支点を内側にもたらす）へと下方に延び、これらのローテータハブアセンブリ１００は、中央において閉管ジョインナハブアセンブリ２０１に係合しており、この閉管ジョインナハブアセンブリ２０１の側面に取り付けられて下方へと延びる両側レセプタクルローテータモジュール１５１が、第３のサブアセンブリとの回転可能な係合の場所で、上方のアセンブリのためのジブパン枢支点をもたらしている。ジブチルトおよびジブパンを、ゼロ単位の長さの両側雄ジョインナモジュール２８１（見て取ることができない）によって１８単位の両側レセプタクル延長管ジョインナモジュール７３０の端部に取り付けられたグリップ端部キャップモジュール６２５を使用して制御することができる。ジョインナモジュール７３０には、釣り合いバランスウエイトモジュールアセンブリ６００がさらに取り付けられている。
【０２１２】
第３のサブアセンブリは、各々の端部において閉管ジョインナハブアセンブリ２０１に係合したジョインナモジュール７３０で構成された転がりフレームワークを備える。両側レセプタクルジョインナモジュール４６０が、各々のジョインナモジュール２０１から側方に延びている。各々のジョインナモジュール４６０の外向きの端部に、別の閉鎖ジョインナハブアセンブリ２０１が係合している。レール転がりモジュール５１０の上向きの雄部材プレートアセンブリ４２０が、閉管ジョインナハブアセンブリ２０１のレセプタクルに係合している。閉管ジョインナハブアセンブリ２０１の上向きの雄の端部には、グリップ端部キャップモジュール６２５が設けられている。上記段落で述べたように、両側レセプタクル延長管ローテータモジュール１５１の一端が、ジョインナモジュール７３０の側面に取り付けられ、他端は、第２のサブアセンブリにおいて下側の１対のローテータハブアセンブリ１００を相互接続している閉管ジョインナハブアセンブリ２０１に回転可能に係合している。
【０２１３】
実施例７：２連ベースプレートＡ型フレームドリーシステム
２連ベースプレートＡ型フレームドリーシステム８６０の一実施例が、図４０に示されており、並んだ２台のカメラまたは他のそのような装置を組み合わせて移動させる必要があり得る映画制作などの用途において使用されるように構成されている。この実施例は、２つのサブアセンブリを備えており、第１のサブアセンブリは、転がりＡ型フレームドリー構造であり、第２のサブアセンブリは、２つのカメラまたは他のそのような装置のための回転支持構造である。
【０２１４】
第１のサブアセンブリは、２つのＡ型フレームで構成されたＡ型フレームワークを有し、各々のＡ型フレームは、３つの３６単位の両側レセプタクル延長管ジョインナモジュール７４０を、下方の２つの接合部の２つの２方向３０°横マウントブラケットモジュール３２０（図１３Ａを参照）および上部の接合部の３０°の角度の雄部材マウントブラケット３２２によって、相互接続することによって構成されている。２つのＡ型フレームは、（ｉ）２つの３６単位の両側レセプタクル延長管ジョインナモジュール７４０にスライド可能または堅固に締め付けられる底部、および（ｉｉ）マウントブラケット３２２が１８単位の延長管ジョインナモジュール７３０にジョインナモジュール７３０の両側の長手方向のチャネルに設けられた四角ナットにそれぞれ螺合する２本の取り付けねじ３２５によって取り付けられる上部において、相互接続される。第１のサブアセンブリは、４組のホイールアセンブリを有し、各組は、ローテータハブアセンブリ１００の両側に取り付けられた１対のホイールモジュール５５０を備える。この実施例では、各々のホイール５５２は、対応するアクスルオフセットねじ孔５５１ｂ（見て取ることができない）において対応するホイールアクスル／レセプタクル横開口ジョインナモジュール５５５にボルトで取り付けられているため、それらは大型のキャスタとして機能し、オペレータがドリーアセンブリへと加える方向性の力に整列する方向へと自然に回転する。アセンブリは、ローテータハブアセンブリ１００の中央の第３の面から延びる平坦端部キャップコンポーネント６９５を有するジョインナモジュールに横から取り付けられたウエイトモジュールアセンブリ６００を含んでいる。ローテータハブアセンブリ１００の上向きのローテータレセプタクル１１内で３６０°の回転が可能であるように、上方へと延びる雄／レセプタクル延長管ローテータモジュール６４０が、その雄の端部によってローテータハブアセンブリ１００に回転可能に係合している一方で、ローテータモジュール６４０の他端は、対応する３６単位の両側レセプタクルジョインナモジュール７４０の対応する外向きのジョインナレセプタクル２１１内の雄部材横マウントアセンブリ１１０または３９５に堅固に係合している。
【０２１５】
第２のサブアセンブリは、２つの離れて位置するベースプレートモジュール４００を有し、ベースプレートモジュール４００は、個々の３６０°のパン軸枢支点をそれぞれ有すると共に、中央のパン軸枢支点において一緒に３６０°回転させることも可能であってよい。各々のベースプレートモジュール４００は、モジュール４００の左側および右側の雄部材プレートアセンブリ４２０に取り付けられた１対のグリップ端部キャップモジュール６２５を有する。両側レセプタクル延長管ローテータモジュール１５１の一端が、モジュール４００の下方へと延びる雄部材プレートアセンブリ４２０に取り付けられ、ローテータモジュール１５１の他端は、閉管ジョインナハブアセンブリ２０１の雄の端部に相互接続されている。下方へと延びるグリップ端部キャップモジュール６２５が、ゼロ単位の両側雄ジョインナモジュール２８１（見て取ることができないが、図９を参照）によって各々のジョインナレセプタクル２１１に係合している。各々のジョインナハブアセンブリ２０１から内側へと延びる雄部材横マウントアセンブリに係合したジョインナモジュール７３０が、中央の３６０°のパン軸点を提供するローテータハブアセンブリ１００の両側に相互接続されている。シェル端部キャップモジュール６３５が、ローテータハブアセンブリ１００の上部に係合している一方で、ローテータハブアセンブリ１００の下側の雌の端部は、４単位の雄／レセプタクルジョインナモジュール７５０の雄の端部に回転可能に係合している。ジョインナモジュール７５０の雌の端部は、２つのＡ型フレームを相互接続するジョインナモジュール７３０に側方から取り付けられている。中央のパン操作ハンドルバーを提供するジョインナモジュール７３０が、ローテータハブアセンブリ１００の第３の側面から延び、外側の端部においてゼロ単位の両側雄ジョインナモジュール２８１（見て取ることができない）によって取り付けられたグリップ端部キャップモジュール６２５に係合している。
【０２１６】
実施例８：４キャスタベースプレートドリーシステム
４キャスタベースプレートドリーシステム８７０の一実施例が、図４１に示されており、転がりフレームワークに取り付けられたカメラまたは他のそのような装置をできる限り地面またはプラットフォームまたはテーブルなどに近付けることが望まれる映画制作などの用途に使用されるように構成されている。
【０２１７】
この実施例は、図２３Ｃおよび図２３Ｄを参照して説明したとおりの２対のキャスタホイールモジュールアセンブリ５６０で構成される。各々の対は、３６０°の枢動が可能な２つのキャスタアセンブリ５６０を備え、各々のアセンブリ５６０は、両側レセプタクル延長管ジョインナモジュール４６０の一端に係合し、両側レセプタクル延長管ジョインナモジュール４６０は、他端において閉管ローテータハブアセンブリ１００に係合している。２つのローテータハブアセンブリ１００は、ジョインナモジュール４６０に相互接続されている。ベースプレートアセンブリ４００の右側の雄部材プレートアセンブリ４２０が、第１の両側レセプタクルローテータモジュール１５１の一端に係合している。第１の両側レセプタクルローテータモジュール１５１の他端は、対応する１対のキャスタアセンブリ５６０を相互接続している右側のジョインナモジュール４６０に横から取り付けられている。ベースプレートアセンブリ４００の左側の雄部材プレートアセンブリ４２０が、第２の両側レセプタクルローテータモジュール１５１の一端に係合している。第２のローテータモジュール１５１の他端は、他方の１対のキャスタアセンブリ５６０を相互接続している左側のジョインナモジュール４６０に横から取り付けられている。２つのローテータモジュール１５１の組み合わせは、ベースプレートモジュール４００を取り付けられた装置の長さにもよるが３６０°回転させることができ、あるいは雄部材プレートアセンブリ４２０のピボットロックスプロケット４２３（見て取ることができない）と係合するピボットロック６０の一方または両方によって間欠的にロックすることができるチルト軸点を提供する。
【０２１８】
実施例９：手持ちカメラスタビライザアセンブリ
カメラ支持用の手持ちスタビライザアセンブリ８８０の一実施例が、図４２に示されており、ベースプレートアセンブリに取り付けることができるカメラなどのツールまたは装置について手持ちの支持が必要とされる用途において使用されるように構成されている。この実施例では、ベースプレートアセンブリ４００の右側の雄部材プレートアセンブリ４２０に、両側レセプタクルジョインナモジュール４６０の一端が係合し、他端は第１の閉管ローテータハブアセンブリ１００に係合している。下方へと延びる１８単位の雄／レセプタクル延長管ジョインナモジュール７６５の雌の端部が、ローテータハブアセンブリ１００の雄の端部に係合する一方で、ジョインナモジュール７６５の雄の端部には、グリップ端部キャップモジュール６２５が設けられている。ベースプレートアセンブリ４００の左側の雄部材プレートアセンブリ４２０が、両側レセプタクルローテータモジュール１５１の一端に係合している。ローテータモジュール１５１の他端は、第２のローテータハブアセンブリ１００に係合している。横方向に延びる１８単位の雄／レセプタクル延長管ジョインナモジュール７６５の一端が、第２のローテータハブアセンブリ１００に係合する一方で、ジョインナモジュール７６５の他端は、雌ドームパッド端部キャップモジュール６４１に係合している。
【０２１９】
オペレータは、横方向に延びるジョインナモジュール７６５または雌ドームパッド端部キャップモジュール６４１を自身の肩に載せ、あるいは雌ドームパッド端部キャップモジュール６４１を自身の胸に押し当てるようにジョインナモジュール７６５を自身の左手で保持すると同時に、下方へと延びるグリップ端部キャップモジュール６２５を自身の右手で保持することによって、ベースプレートモジュール４００に取り付けられたカメラを安定に操縦することができ、両側レセプタクルローテータモジュール１５１によってもたらされるチルト軸点においてカメラの角度を上下に傾けることができる。
【０２２０】
実施例１０：垂直レールトラッキングスタンドアセンブリ
垂直レールトラッキングスタンドアセンブリ９００の一実施例が、図４３に示されており、カメラなどのツールまたは荷物を設定された立ち位置において垂直方向に上下移動させる必要がある用途において使用されるように構成されている。この実施例は、２つのサブアセンブリを備えており、第１のサブアセンブリは、垂直レールスタンドであり、第２のサブアセンブリは、カメラあるいは他の種類の装置またはツールのための枢動可能かつ回転可能な転がり支持体である。
【０２２１】
第１のサブアセンブリは、３６単位の両側レセプタクル延長管ジョインナモジュール７４０と相互接続された１８単位の雄／レセプタクル延長管ジョインナモジュール７６５を備える垂直レールであり、ジョインナモジュール７４０は、フットプレートモジュール５８５の重み付けされたフットプレート５８６の上の雄部材プレートアセンブリ４２０に取り付けられている。
【０２２２】
第２のサブアセンブリは、レール包囲転がりモジュールアセンブリ５３７が取り付けられた枢動可能かつ回転可能なカメラ支持構造を備える。ダブルレセプタクルローテータモジュール１５１の一端が、（図４３に示されているとおりの）ベースプレートアセンブリ４００の左側の雄部材プレートアセンブリ４２０に係合する一方で、ローテータモジュール１５１の他端は、レール包囲転がりモジュールアセンブリ５３７から外向きに延びている雄部材プレートアセンブリ４２０に係合し、そこにベースプレートアセンブリのための随意によるチルト軸点をもたらしている。ウエイトコンポーネント６０２を、ベースプレートモジュール４００とレール包囲転がりモジュールアセンブリ５３７との間に介装されたローテータモジュール１５１上に設けることができる。両側レセプタクル延長管ジョインナモジュール４６０の一端が、レール包囲転がりモジュールアセンブリ５３７の反対側から外向きに延びている雄部材プレートアセンブリ４２０に係合している。ジョインナモジュール４６０の他端は、ローテータハブアセンブリ１００に係合している。雄ドームパッド端部キャップモジュール６５０が、ローテータハブアセンブリ１００の下向きのレセプタクルに取り付けられている。
【０２２３】
第２のサブアセンブリのレール包囲転がりモジュールアセンブリ５３７が、第１のサブアセンブリの垂直レール上を滑り、オペレータの必要のとおりに垂直レールに沿って上下に移動可能である。雄ドームパッド端部キャップモジュール６５０は、ベースプレートモジュール４００に取り付けられ得るツールまたはデバイスを、第２のサブアセンブリが第１のサブアセンブリの垂直レールの底部に達する場合に緩衝するために設けられている。
【０２２４】
実施例１１：照明支持ラックシステム
照明支持ラックシステム９１０の一実施例が、図４４に示されており、産業用の照明またはグリップ器具が使用される映画制作などの用途において使用されるように構成可能である。この種の構成は、オーディオ器具、ビデオ表示器具、などの他の種類の荷物の支持にも有用であり得る。
【０２２５】
この実施例では、３シャフトの照明支持ラックアセンブリが、ウエイトが取り付けられた４キャスタのベースアセンブリから垂直に延びている。ベースアセンブリは、各々が１８単位の両側レセプタクル延長管ジョインナモジュール７３０を有している４つの一致するウエイト付きキャスタ脚アセンブリを備えており、これらのウエイト付きキャスタ脚アセンブリは、２つの多角度雄部材マウントブラケット３３５上のペアにて、照明支持ラックアセンブリの底部の水平な３６単位の両側レセプタクル延長管ジョインナモジュール７４０の側面から延びており、多角度雄部材マウントブラケット３３５において２つの脚の延在の間に１２０°の隔たりの角度が形成されるように６０°の角度の孔に取り付けられている。両側レセプタクル延長管ジョインナモジュール７３０の各々の外側端に、もう１つのマウントブラケット３３５が、このブラケットの６０°の角度の孔にて、第２の６０°の角度の孔が地面に対して垂直に整列するように接続され、この第２の６０°の角度の孔に、垂直に整列した６単位のダブルレセプタクル延長管ジョインナモジュール４６０およびキャスタモジュールアセンブリ５６０が接続され、各々の脚アセンブリを完成させている。上向きの照明支持ラックアセンブリの荷物の釣り合いバランスが必要とされる場合、図４４に示されるように、一連のウエイトコンポーネント６０２を１８ユニットの両側レセプタクル延長管ジョインナモジュール７３０の側面に固定することができる。
【０２２６】
各々が２つの３６単位の両側レセプタクル延長管ローテータモジュール９２０をゼロ単位の両側雄ジョインナモジュール２８１によって接続して備えている３つの取り付けシャフトが、照明支持ラックアセンブリの底部の水平な３６単位の両側レセプタクル延長管ジョインナモジュール７４０から上方へと延びている。各々のローテータモジュール９２０上に、配置の変更が可能な９０°オフセットの横マウントブラケットモジュール３４０が取り付けられ、これらの横マウントブラケットモジュール３４０の各々に、閉管ジョインナモジュールハブアセンブリ２０１と、これに続く６単位の両側レセプタクル延長管ジョインナモジュール４６０と、さまざまな産業照明器具を支持することができるスピゴット４９８を有している垂直方向に整列した５／８インチのスピゴット照明マウントモジュール４９０が接続されたさらなる閉管ジョインナモジュールハブアセンブリ２０１とを備えるＬ字形のマウントアームアセンブリが取り付けられている。取り付けられた器具の垂直位置を、３６単位の両側レセプタクル延長管ローテータモジュール９２０に沿った四角ナットチャネル内の対応する四角ナット上の９０°オフセットの横マウントブラケットモジュール３４０の位置を変えることによって、調整することができる。取り付けられた器具を、器具のサイズまたは間隔が許すのであれば、３６単位の両側レセプタクル延長管ローテータモジュール９２０を回転させることによって水平面上で３６０°枢動させることも可能であり、ここで、両側レセプタクル延長管ローテータモジュール９２０のうちの３つは、水平な３６単位の両側レセプタクル延長管ジョインナモジュール７４０の上に接続され、３つは最初の３つの上に接続されている。これらの形式の照明支持ラックアセンブリの構造的完全性のために、追加の水平な３６単位の両側レセプタクル延長管ジョインナモジュール７４０が、上側の３つの３６単位の両側レセプタクル延長管ローテータモジュール９２０の端部に接続され、照明マウントアセンブリの矩形のフレームを完成させる。
【０２２７】
実施例１２：Ａ型フレームスプーリングカートシステム
Ａ型フレームスプーリングカートシステム９３０の一実施例が、図４５に示されており、ケーブル、ワイヤ、ロープ、ホース、布、などの種々の荷物を集め、現場で移動させるために移動カートを使用することができる用途において使用されるように構成されている。
【０２２８】
この実施例においては、スプールバーアセンブリが、Ａ型フレームの上部においてカートの全幅を横切っており、ジョインナボックスサブアセンブリから外方向に各側から延びているグリップ端部キャップモジュール６２５においてアセンブリ９３０を保持することによって、オペレータが６単位の両側レセプタクル延長管ローテータモジュール１５１上で３６０°回転させることができる。ジョインナボックスサブアセンブリの各々は、３つの６単位の両側レセプタクル延長管ジョインナモジュール４６０と、６単位の雄／レセプタクル横開口ジョインナモジュール９４０と、３つの角部の３つの閉管ジョインナハブアセンブリ２０１とを備える。ジョインナボックスサブアセンブリの第４の角部は、２つの雄部材横マウントアセンブリ１１０によってスプールアセンブリの横バーに取り付けられている。
【０２２９】
Ａ型フレーム転がりシャーシは、３つの３６単位の両側レセプタクル延長管ジョインナモジュール７４０を下部の２つの接合部の２つの２方向３０°横マウントブラケットモジュール３２０（図１３Ａを参照）および上部の接合部の３０°の角度の雄部材マウントブラケット３２２によって相互接続することによって構成された２つのＡ型フレームを備えている。２つのＡ型フレームは、（ｉ）２つの３６単位の両側レセプタクル延長管ジョインナモジュール７４０に締め付けられた底部と、（ｉｉ）スプールバーアセンブリの端部に位置する２つのローテータモジュール１５１を有する上部とにおいて相互接続されている。Ａ型フレーム転がりシャーシの４つの角部において、４つの閉管ジョインナハブアセンブリ２０１が、底部の４つの３６単位の両側レセプタクル延長管ジョインナモジュール７４０のうちの２つのジョインナモジュール７４０の端部に取り付けられている。各々のジョインナハブアセンブリ２０１から、６単位の雄／レセプタクル延長管ローテータモジュール６４０が下方へと延びており、各々の延長管ローテータモジュール６４０の底に位置するローテータハブアセンブリ１００の両側に横から取り付けられたカートシステムのホイールモジュール５５０の方向枢支点をもたらしている。この実施例では、ホイール５５２は、対応するアクスルオフセットねじ孔５５１ｂ（見て取ることができない）においてホイールモジュール５５０のホイールアクスル／レセプタクル横開口ジョインナモジュール５５５にボルトで取り付けられているため、これらのホイールモジュールアセンブリは、大型のキャスタとして機能し、オペレータがドリーアセンブリへと加える方向性の力に整列する方向へと自然に回転する。ホイールモジュールアセンブリは、ローテータハブアセンブリの中央の第３の面から延びる平坦端部キャップコンポーネント６９５を有するジョインナモジュールに横から取り付けられたウエイトモジュールアセンブリ６００を含んでいる。
【０２３０】
実施例１３：引っ張りカートアセンブリ
ゴルフバッグに適した引っ張りカートアセンブリ９５０の一実施例が、図４６に示されている。そのようなアセンブリを、加圧ガスキャニスタのような他の種類の背の高い縦型の荷物を運ぶように構成することができる。この実施例では、引っ張りカートアセンブリ９５０は、第１のベースプレートモジュール４００を有する垂直シャフトサブアセンブリと、第２のベースプレートモジュール４００を有する水平ホイールサブアセンブリと、脚支持サブアセンブリとを備える。
【０２３１】
垂直シャフトサブアセンブリは、２つのレセプタクルを接続するゼロ単位の両側雄ジョインナモジュール２８１によって１０単位の両側レセプタクル延長管ジョインナモジュール７９０と相互接続された１８単位の両側レセプタクル延長管ジョインナモジュール７３０を備える。ジョインナモジュール７９０の開放端に、第１のローテータハブアセンブリ１００の一方側が係合している一方で、第１のローテータハブアセンブリ１００の他方側は、３単位の雄／レセプタクル延長管ジョインナモジュール７２０に係合している。第２のローテータハブアセンブリ１００が、ジョインナモジュール７２０の他端に係合している。バンパー端部キャップモジュール６７０が、両方のローテータハブアセンブリ１００の幅広ピボットセグメントに取り付けられており、３つのグリップ端部キャップモジュール６２５が、９０°の間隔で第２のローテータハブアセンブリ１００の側面に取り付けられている。
【０２３２】
水平ホイールサブアセンブリは、第３のローテータハブアセンブリ１００を備え、このローテータハブアセンブリ１００に、１対の１０単位のホイールアクスル／レセプタクル横開口ジョインナモジュール８００が、このハブアセンブリ１００の両側面において係合している。ホイール５５２が、各々のホイールアクスルモジュール８００の中心孔にボルトで取り付けられている。
【０２３３】
脚支持サブアセンブリは、下方へと延びる３単位の両側雄伸張管ジョインナモジュール９５５を備え、その底部に、グリップ端部キャップモジュール６２５が係合している。第４のローテータハブアセンブリ１００が、ジョインナモジュール９５５の上部に係合している。側方へと延びる１０単位の両側レセプタクル延長管ローテータモジュール７１０が、第４のローテータハブアセンブリ１００の側面に取り付けられている。第５のローテータハブアセンブリ１００が、ローテータモジュール７１０の開放端に側面で取り付けられている一方で、第５のローテータハブアセンブリ１００の他方の側面に、４単位の雄／レセプタクル延長管ジョインナモジュール７５０が取り付けられている。第２のベースプレートアセンブリ４００が、第５のローテータハブアセンブリ１００に取り付けられている。ジョインナモジュール７５０の開放端が、水平ホイールサブアセンブリの第３のローテータハブアセンブリ１００に取り付けられている。
【０２３４】
第１のローテータハブアセンブリ１００に取り付けられた第１のベースプレートモジュール４００を、例えば、ゴルフバッグの側面をしっかりと把持するように調整することができ、後にゴルフバッグの側面を解放するように再び調整することができる。第５のローテータハブアセンブリ１００に取り付けられた第２のベースプレートモジュール４００を、ゴルフバッグの底部をしっかりと把持するように調整することができ、後にゴルフバッグの底部を解放するように再び調整することができる。
【０２３５】
実施例１４：ユーティリティカートおよび棚アセンブリ
図４７が、本明細書に開示される典型的なモジュールのいくつかを備える典型的なユーティリティカートアセンブリ９６０の斜視図である。図示のようなシステムアセンブリは、作業現場または他の場所で器具、所有物、資材、材料、消耗品、などを運ぶための開放トレイおよび箱形トレイの両方のキャリッジ機能を提供する。随意により、ホイールモジュールの代わりに、棚および保管アセンブリを立たせるための足モジュール５８０，５８５またはグリップ端部キャップモジュール６２５によって、同様のアセンブリを構成することも可能である。
【０２３６】
この実施例では、ユーティリティカートシステム９６０は、実施例２、実施例７、および実施例１２において説明したキャスタ式ホイールモジュールアセンブリと同様の４対の３６０°の枢動が可能なキャスタ式ホイールモジュールアセンブリ５５０を、それらのホイールアクスル／レセプタクル横開口ジョインナモジュール５５５の中心からずらされた位置にある孔を使用しつつ備えている。これらのホイールアセンブリの対応するローテータモジュール６４０のそれぞれの上方に、カートのフレームの基本を提供する３６単位の両側レセプタクル延長管ジョインナモジュール７４０が、ゼロ単位の両側雄ジョインナモジュール２８１によって係合している。これらの角部の柱のジョインナモジュール７４０に、トレイ底部４７１と荷物を収容するための３つまたは４つの横パネル４７８とをそれぞれが有しているカートの３つのトレイモジュールアセンブリが、トレイカラー４７４を介して固定されている（図１８に関する説明を参照）。ユーティリティカートを３６０°の枢動が可能なホイールモジュールアセンブリ５５０上で任意の方向に押し引きするために、グリップ端部キャップモジュール６２５が、ジョインナモジュール７４０のうちの２つのジョインナモジュール７４０の上部に設けられ、それぞれゼロ単位の両側雄ジョインナモジュール２８１によって係合している。
【０２３７】
実施例１５：モジュール式作業ステーションアセンブリ
モジュール式作業ステーションアセンブリ９８０の一実施例が、図４８に示されている。
【０２３８】
この実施例は、矩形のテーブルトップ９９０と、テーブルトップ９９０の上方に位置する棚４８２と、アセンブリの右側に隣接してテーブルトップ９９０の直下に取り付けられた回転可能な下部棚９９５とを備える。
【０２３９】
テーブルトップ９９０の各々の角部の近くにおいて、テーブルトップ９９０の底面に４つの円形凹部が設けられている（図１９Ｂを参照）。各々の凹部は、取り付けプレート４８４を受け止めて収容するように構成されている。中央ねじ孔４８５を有する取り付け板４８４が、凹部へと挿入され、例えば取り付け板４８４に設けられた孔４８６を通って挿入される５本のねじ４８７によってテーブルトップ９９０に確実に取り付けられる。雄部材フラットマウントアセンブリ３６１が、ねじ孔４８５に螺合する取り付けボルトによって取り付け板４８４に取り付けられる。次に、雄部材フラットマウントアセンブリ３６１は、２４単位の両側レセプタクル横開口ジョインナモジュール４８８の端部のレセプタクルに挿入され、図８Ｂを参照してジョインナモジュール２５１について説明したように定位置に固定される。４つのモジュール４８８はすべて、このやり方でテーブルトップ９９０の４つの角部に取り付けられる。４つのジョインナモジュール４８８の底に、図示の４つの軟質端部キャップコンポーネント６８０などの足コンポーネントを設けることができる。
【０２４０】
この実施例においては、テーブルトップ９９０の底面に、雄部材フラットマウントアセンブリ３６１に取り付けられた第５の取り付け板４８４を受け入れてこれと係合する第５の凹部が設けられている。この実施例に示されている下部棚９９５の上面において、この棚９９５の後縁の付近に、雄部材フラットマウントアセンブリ３６１に取り付けられた第６の取り付け板４８４を受け入れて取り付けるための凹部が設けられている。６単位の両側レセプタクル延長管ローテータモジュール１５１の一端が、第５の取り付け板４８４から下方へと延びている雄部材フラットマウントアセンブリ３６１に係合している一方で、他端は、第６の取り付け板４８４から上方へと延びている雄部材フラットマウントアセンブリ３６１に係合している。下部棚９９５の右辺が、テーブルトップ９９０の下方から右前に向かって回転させられたときに対応するモジュール４８８の側面に嵌合するように輪郭付けられていることに留意されたい。１つ以上のさらなる棚９９５を、テーブルトップ９９０の底部に同様に係合させることが可能である。
【０２４１】
さらに、この実施例は、テーブルトップ９９０の後部において左辺に隣接して設けられた棚４８２を示している。テーブルトップ９９０の後縁に沿って２つの適切な間隔で位置する凹部４８３が設けられ、これらの凹部４８３に、（図１９Ｂに示されるように）雄部材フラットマウントアセンブリ３６１へと取り付けられた取り付け板４８４が挿入され、ねじ４８７で取り付けられる。棚４８２の底面に、雄部材フラットマウントアセンブリ３６１に取り付けられた１対の取り付け板４８４が挿入される１対の相補的な凹部が設けられている。６単位の両側レセプタクル横開口ジョインナモジュール４８９の一端が、棚４８２の底面の凹部に取り付けられた取り付け板４８４から下方へと延びる雄部材フラットマウントアセンブリ３６１と係合する一方で、他端は、テーブルトップ９９０の上面に取り付けられた取り付け板４８４から上方へと延びる雄部材フラットマウントアセンブリ３６１に係合している。
【０２４２】
テーブルトップが、正方形、矩形、台形、三角形、五角形、六角形、七角形、八角形、十角形、円形、インゲン豆形、および波形であってよく、さらには他の形態の対称および非対称な曲線形状を有してよいことに、留意されたい。本明細書に開示のモジュール式テーブルアセンブリは、４本の脚を備えることが最も一般的であるが、随意により、三角形のテーブルトップに３本の脚を設けてもよいし、あるいは非使用時に壁に対して折り畳まれ、使用が望まれるときに展開されるように構成されていてよいテーブルトップの前縁に、２本の脚を設けてもよい。このような２本脚の構成においては、脚部を、テーブルトップが折り畳まれるときにテーブルトップの底面へと折り畳み、テーブルトップが使用のために展開されるときに延ばすことができる。さらに、随意により、Ａ型フレームの構成または図２４Ｃに関して説明した足プレートモジュール５８５などの幅広の足アセンブリ上に１つまたは２つの脚を備えるテーブルの構成を提供するも可能である。
【符号の説明】
【０２４３】
１０  閉管ローテータモジュール（図１および図２）
１１  ローテータレセプタクル
１５  閉管ハウジング
１８  管端部ねじスロット
２０  ローテータレセプタクルアセンブリ（図５）
２１  ロックばねローテータハーフソケット
２２  ロック解除ローテータハーフソケット
２３  ねじ
２４  外側ブッシュチャネル
２６  外側ブッシュ
２８  内側ブッシュチャネル
３０  内側ブッシュ
３２  ピボットロックチャネル
３４  四角ナットスロット
３６  四角ナット
３８  横マウント孔
４０  保持ロック止めねじ
４２  保持ロックねじ孔
４４  解除ボタン穴
５０  保持ロック
５２  ばねレセプタクル付き保持ハーフロック
５４  解除ボタン付き保持ハーフロック
５５  保持ロック解除ボタン
５６  付勢ばね
５８  張力調整ねじノブ
６０  ピボットロック
６２  ピボットロックインデキシングペグ
６４  ピボットロックボタン
６５  ロック保持タブ
７０  雄コンポーネント
７１  雄部材閉管端部アセンブリ
７４  ピボットロックスプロケット
７８  幅広ピボットセグメント
７９  八角形のボス
８１  八角形の凹部
８２  突起
８４  細いピボットセグメント
８６  保持ロック面取り部
８７ａ  第１のカラー（前方面取り部８６を有する）
８７ｂ  第２のカラー
８８  ネック部
８９  ねじ孔
９０  コネクタねじ
１００  閉管ローテータハブアセンブリ（図３Ａ）
１０１  ６方向閉管ローテータハブアセンブリ（図３Ｂ）
１１０  雄部材横マウントアセンブリ（図３Ａおよび図３Ｂ）
１１２  ピボットロックスプロケット
１１６  幅広ピボットコンポーネント
１１８  八角形のボス
１２０  ボルト
１５１  ダブルレセプタクル延長管ローテータモジュール（図４）
１５２  ４方向両側レセプタクル延長管ローテータハブアセンブリ（図５）
１５５  延長管ハウジング
１６０  横マウント孔
１６２  保持ロックねじ孔
１６４  解除ボタン穴
１６８  管端部ねじスロット
１７０  長手方向の四角ナットチャネル
１８０  中間四角ナットホルダ
１８２  管レールチャネル
１８４  位置決めロッドねじ孔
１８６  位置決め用止めねじ
２０１  閉管ジョインナハブアセンブリ（図６Ａ）
２１０  ５方向閉管ジョインナハブアセンブリ（図６Ｂおよび図７）
２１１  ジョインナレセプタクル
２１５  ジョインナ閉管ハウジング
２１６  ピボットロックスプロケット
２１８  管端部ねじスロット
２２０  ジョインナレセプタクルアセンブリ
２２１  ロックばねジョインナハーフソケット
２２２  ロック解除ジョインナハーフソケット
２２３  突起保持スロット（図６および図７）
２２４  外側ブッシュチャネル
２２８  内側ブッシュチャネル
２３４  四角ナットスロット
２３８  横マウント孔
２４４  解除ボタン穴
２５１  雄／レセプタクル横開口ジョインナモジュール（図８）
２５２  横開口レセプタクル
２５５  延長管ハウジング
２５６  長手方向の四角ナットチャネル
２５７  管端部ねじスロット
２５８  横マウント孔
２６０  横開口レセプタクルコンポーネント
２６２  突起保持スロット
２６５  横コネクタねじ
２６８  横開口レセプタクルカバー
２７０  雄部材延長管端部アセンブリ
２７１  雄部材管端部プレート
２７２  ピボットロックスプロケット（図８Ｂおよび図１０）
２７４  幅広ピボットセグメント
２７５  八角形のボス
２７８  ねじ穴
２８１  両側雄ジョインナモジュール（図９）
２８２  両側雄コンポーネント
２８４  ピボットロックスプロケット（図９）
２８６  幅広ピボットセグメント
２８８  八角形のボス
２９１  両側雄延長管ジョインナモジュール（図１０）
２９５  延長管ハウジング
２９６  四角ナットチャネル
２９７  管端部ねじスロット
２９８  横マウント孔
３０１  ６方向延長管ジョインナハブアセンブリ（図１１）
３１１  両側雄アダプタジョインナモジュール（図１２）
３１２  アダプタジョインナコンポーネント
３１４  別の雄部材コンポーネント
３１６  ねじ山付きねじスロット
３２０  ２方向３０°横マウントブラケットモジュール（図１３Ａ）
３２２  ３０°アングル雄部材マウントブラケット
３２３  取り付けねじ穴
３２５  取り付けねじ
３２６  １１０の間の６０度の角度
３２８  クランプブラケット
３２９  クランプブラケットねじ
３３０  ４方向多角度横マウントブラケットモジュール（図１３Ｂ）
３３１  取り付けねじ穴
３３２  取り付けねじ
３３４  ３０°／４５°／６０°の斜め孔
３３５  多角度雄部材マウントブラケット
３３６  ブラケットねじ孔
３３８  ブラケットねじ
３３９  ワッシャ
３４０  ２方向９０°オフセット横マウントブラケットモジュール（図１３Ｃ）
３４１  ９０°角度オフセット雄部材マウントブラケット
３４２  取り付けねじ穴
３４６  ねじアクセス開口部
３５０  １方向４５°オフセット横マウントブラケットモジュール（図１３Ｄ）
３５１  円柱形４５°オフセット雄部材マウントブラケット
３５２  取り付けねじ穴
３５３  中央孔
３５４  ペグ穴
３５５  エルボ雄部材取り付けブロックモジュール
３５６  立方体雄部材取り付けブロックモジュール
３５７  三角形雄部材取り付けブロックモジュール
３５８  ピラミッド型雄部材取り付けブロックモジュール
３５９  六角形雄部材取り付けブロックモジュール
３６０  八角形雄部材取り付けブロックモジュール
３６１  雄部材フラットマウントアセンブリ
３６２  ピボットロックスプロケット（図１３）
３６３  中央孔
３６５  ペグ
３６６  幅広ピボットコンポーネントスロット
３６７  幅広ピボットコンポーネント
３６８  コネクタ歯
３６９  八角形のボス
３７０  ２方向エルボ雄部材取り付けブロック
３７１  中央孔
３７２  ペグ穴
３７３  ６方向立方体雄部材取り付けブロック
３７４  中央孔
３７５  ペグ穴
３７６  ５方向三角形取り付けブロック
３７７  ４方向ピラミッド型取り付けブロック
３７８  ８方向六角形取り付けブロック
３７９  １０方向八角形取り付けブロック
３８０  ５°刻みで調整可能な雄部材マウントモジュール（図１５）
３８１  雄マウントハーフハウジング
３８２  横マウント孔
３８３  調整ねじ貫通穴
３８４  ペグ穴
３８５  調整ねじ
３８６  回転調整ハーフハウジング
３８７  ねじ孔
３８８  ５°刻みの歯
３８９  ブラケットねじ孔
３９０ａ  ブラケット１
３９０ｂ  ブラケット２
３９１  ブラケットねじ
３９２  ブラケットねじ孔
３９３  中央孔
３９４  ペグ穴
３９５  別の雄部材横マウントアセンブリ
３９６  ピボットロックスプロケット
３９７  中央孔
３９９  幅広ピボットコンポーネントスロット
４００  ベースプレートアセンブリ（図１６）
４０２  ベースプレート本体アセンブリ
４０２ａ  ベースプレート天板
４０２ｂ  ベースプレート底板
４０４  取り付けねじ
４０５  ベースプレート孔
４０６  ベースプレートねじ
４０８  取り付けブラケットスロット
４１０  取り付けブラケット
４１２  ブラケットアーム
４１３  ねじ孔
４１５  ブラケット側板
４１６  側板のねじ孔
４１７  支持プレート
４１８  支持パッド
４１９  側板ねじ
４２０  雄部材プレートアセンブリ
４２２  取り付け板
４２３  ピボットロックスプロケット
４２４  幅広ピボットセグメント
４２５  八角形のボス
４２６  ねじ穴
４２８  ねじ
４３０  ベースプレートアセンブリ（図１７）
４３５  ツールマウントプレート
４３６  取り付けねじ
４３７  ツール取り付けスロット
４４０  プレートねじ穴
４４１  アクセス孔
４４２  ねじ
４４５  プレートくさび
４４６  プレートねじ孔
４４７  ブラケットねじ穴
４５０  雄マウントスライダコンポーネント
４５２  取り付け穴
４５３  取り付けねじ
４５４  中央孔
４５５  ペグ穴
４５６  ブラケットねじ孔
４６０  両側レセプタクル延長管ジョインナモジュール（図１７）
４６５  雄／レセプタクル延長管ジョインナモジュール（図１７）
４６６  長手方向のチャネル
４７０  トレイモジュールアセンブリ（図１８）
４７１  トレイ底部
４７２  オリフィス
４７３  カラー孔
４７４  カラー
４７５  両側レセプタクル延長管ジョインナモジュール
４７６  カラーねじ
４７７  長手方向の四角ナットチャネル
４７８  側板
４７９  側板ねじ
４８０  デスクアセンブリ（図１９）
４８１  デスクトップ
４８２  棚
４８３  プレート凹部
４８４  取り付け板
４８５  ねじ孔
４８６  ねじ孔（片側につき５つ）
４８７  プレートねじ（片側につき５本）
４８８  両側レセプタクル横開口ジョインナモジュール
４８９  両側レセプタクル横開口ジョインナモジュール
４９０  照明マウントモジュール（図２０Ａおよび図２０Ｂ）
４９２  延長管ハウジング
４９４  スピゴットマウントプレート
４９５  管端部ねじ孔
４９６  ねじ孔
４９７  ねじ
４９８  着脱式の５／８インチのスピゴット
５００  照明マウントモジュール（図２０Ｃおよび図２０Ｄ）
５０１  スピゴットアダプタ雄部材コンポーネント
５０２  スピゴット
５０３  スピゴットレセプタクル
５０４  止めねじ
５０５  ねじ孔
５０６  ピボットロックスプロケット
５０７  幅広ピボットセグメント
５１０  レール転がりモジュール（図２１Ａおよび図２２）
５１２  キャリッジプレート
５１４  ばね懸架ローラアセンブリ
５１６  アクスルブロック
５１８  ローラ
５２０  アクスルボルト
５２２  ばねブロック
５２４  懸架ボルト
５２６  ばね張力止めねじ
５２８  ばね張力プレート
５３０  ばね
５３２  スペーサプレート
５３５  固定されたローラアセンブリ
５３６  アクスルブロック
５３７  レール包囲転がりモジュールアセンブリ（図２１Ｂおよび図２２）
５３８  側板
５４０  摩擦パッドプレート
５４２  摩擦パッド
５４４  張力調整ノブ
５４６  パッドプレートばね
５４８  保持リング
５５０  ホイールモジュールアセンブリ（図２３Ａおよび図２３Ｂ）
５５１  ホイールアクスル管端部コンポーネント
５５１ａ  中央のねじ孔
５５１ｂ  オフセットされたねじ孔
５５２  ホイール
５５４  アクスルボルト
５５５  ホイールアクスル／レセプタクル横開口ジョインナモジュール
５６０  キャスタホイールモジュールアセンブリ（図２３Ｃおよび図２３Ｄ）
５６２  マウントコンポーネント
５６４  ねじ孔
５６６  ペグ穴
５６８  キャスタホイール
５８０  水平出し足モジュール（図２４Ａおよび図２４Ｂ）
５８１  調整可能な足コンポーネント
５８２  水平出し用ねじロッド
５８３  足端部
５８４  ナット
５８５  足プレートモジュール（図２４Ｃ）
５８６  足プレート
５８７  ねじ孔
５９０  枢動可能な支持モジュール（図２５）
５９２  枢支ブラケット
５９３  ロックナット
５９４  パッドコンポーネント
５９５  ねじ孔
５９６  吸着カップコンポーネント
５９８  ノブ
５９９  ワッシャ
６００  ウエイトモジュールアセンブリ（図２６）
６０２  ウエイトコンポーネント
６０３ａ  外側の孔
６０３ｂ  中央の孔
６０４  ボルト
６０５  両側レセプタクル延長管ローテータモジュール（図４と同様）
６０６  延長管ハウジング
６０８  長手方向の四角ナットチャネル
６１０  伸縮延長モジュール（図２７）
６１２  延長管ハウジング
６１４  ロッド保持コンポーネント
６１６  ロッド保持板
６１８  調整カラーコンポーネント
６１９  ねじ
６２０  ねじロッド
６２１  第２のねじ部分
６２２  スペーサプレート
６２４  ロックナット
６２５  グリップ端部キャップモジュール（図２８）
６２６  ハンドルグリップコンポーネント
６２７  半円形端部キャップ部
６２８  手持ち部分
６２９  内側スリーブ
６３０  突起保持スロット
６３１  外側スリーブ
６３２  リテーナタブ
６３５  シェル端部キャップモジュール（図２９）
６３６  ハーフシェルキャップ
６３７  ねじ
６３８  孔
６４０  雄／レセプタクル延長管ローテータモジュール（図２９）
６４１  雌ドームパッド端部キャップモジュール（図３０Ａおよび図３０Ｂ）
６４２  雌ドームパッド
６４３  つぶれるフレームワーク
６４５  中央オリフィス
６４６  雌ドーム取り付け板
６４７  孔
６４８  ねじ
６４９  取り付けプレートオリフィス
６５０  雄ドームパッド端部キャップモジュール（図３０Ｃおよび図３０Ｄ）
６５２  雄ドームパッド
６５３  ドームのつぶれるフレームワーク
６５４  雄ドーム取り付け板
６５６  孔
６５７  ペグ穴
６５８  孔
６６０  座席モジュール（図３１）
６６２  座席パッド
６７０  バンパー端部キャップモジュール（図３２）
６７２  バンパーコンポーネント
６７４  ねじ
６８０  軟質端部キャップコンポーネント（図３３Ａ、図３３Ｂ、および図３３Ｃ）
６８１  細長い脚コンポーネント
６８２  マウントプレート
６８３  孔
６８５  ねじ
６８６  インサート
６８８  軟質ドームコンポーネント
６８９  ねじ孔
６９０  硬質端部キャップコンポーネント
６９１  脚コンポーネント
６９２  保持ロック面取り部
６９３  平坦面
６９５  平坦端部キャップコンポーネント
６９６  孔
６９７  延長管ハウジング
６９８  ねじ山付きねじスロット
７００  クラブ操舵ドリーシステム
７１０  １０単位の両側レセプタクル延長管ローテータモジュール
７２０  ３単位の雄／レセプタクル延長管ジョインナモジュール
７３０  １８単位の両側レセプタクル延長管ジョインナモジュール
７４０  ３６単位の両側レセプタクル延長管ジョインナモジュール
７５０  ４単位の雄／レセプタクル延長管ジョインナモジュール
７５４  １２単位の雄／レセプタクル延長管ジョインナモジュール
７５６  ４単位の両側雄延長管ジョインナモジュール
７６０  垂直レールトラッキングドリーシステム
７６５  １８単位の雄／レセプタクル延長管ジョインナモジュール
７７０  横置きレールトラッキングドリーシステム
７８０  転がりジブシステム
７９０  １０単位の両側レセプタクル延長管ジョインナモジュール
８００  １０単位のホイールアクスル／レセプタクル横開口ジョインナモジュール
８１０  ローアングルベースプレート支持システム
８２０  ４単位の雄／レセプタクル延長管ローテータモジュール
８３０  １８単位の両側レセプタクル延長管ローテータモジュール
８４０  １単位の両側雄延長管ジョインナモジュール
８５０  横方向地上レールトラッキングドリーシステム
８６０  ２連ベースプレートＡ型フレームドリーシステム
８７０  ４キャスタベースプレートドリーシステム
８８０  手持ちカメラスタビライザアセンブリ
９００  垂直レールトラッキングスタンドアセンブリ
９１０  照明支持ラックシステム
９２０  ３６単位の両側レセプタクル延長管ローテータモジュール
９３０  Ａ型フレームスプーリングカートシステム
９４０  ６単位の雄／レセプタクル横開口ジョインナモジュール
９５０  引っ張りカートアセンブリ
９５５  ３単位の両側雄延長管ジョインナモジュール
９６０  ユーティリティカートアセンブリ
９８０  モジュール式作業ステーションアセンブリ
９９０  テーブルトップ
９９５  下部棚
【図１Ａ】
2019518921.tif 000003
【図１Ｂ】
2019518921.tif 000004
【図２】
2019518921.tif 000005
【図３Ａ】
2019518921.tif 000006
【図３Ｂ】
2019518921.tif 000007
【図４Ａ】
2019518921.tif 000008
【図４Ｂ】
2019518921.tif 000009
【図５Ａ】
2019518921.tif 000010
【図５Ｂ】
2019518921.tif 000011
【図６Ａ】
2019518921.tif 000012
【図６Ｂ】
2019518921.tif 000013
【図７】
2019518921.tif 000014
【図８Ａ】
2019518921.tif 000015
【図８Ｂ】
2019518921.tif 000016
【図９Ａ】
2019518921.tif 000017
【図９Ｂ】
2019518921.tif 000018
【図１０Ａ】
2019518921.tif 000019
【図１０Ｂ】
2019518921.tif 000020
【図１１Ａ】
2019518921.tif 000021
【図１１Ｂ】
2019518921.tif 000022
【図１２Ａ】
2019518921.tif 000023
【図１２Ｂ】
2019518921.tif 000024
【図１３Ａ】
2019518921.tif 000025
【図１３Ｂ】
2019518921.tif 000026
【図１３Ｃ】
2019518921.tif 000027
【図１３Ｄ】
2019518921.tif 000028
【図１４Ａ】
2019518921.tif 000029
【図１４Ｂ】
2019518921.tif 000030
【図１４Ｃ】
2019518921.tif 000031
【図１４Ｄ】
2019518921.tif 000032
【図１４Ｅ】
2019518921.tif 000033
【図１４Ｆ】
2019518921.tif 000034
【図１５Ａ】
2019518921.tif 000035
【図１５Ｂ】
2019518921.tif 000036
【図１６Ａ】
2019518921.tif 000037
【図１６Ｂ】
2019518921.tif 000038
【図１７Ａ】
2019518921.tif 000039
【図１７Ｂ】
2019518921.tif 000040
【図１８Ａ】
2019518921.tif 000041
【図１８Ｂ】
2019518921.tif 000042
【図１９Ａ】
2019518921.tif 000043
【図１９Ｂ】
2019518921.tif 000044
【図２０Ａ】
2019518921.tif 000045
【図２０Ｂ】
2019518921.tif 000046
【図２０Ｃ】
2019518921.tif 000047
【図２０Ｄ】
2019518921.tif 000048
【図２１Ａ】
2019518921.tif 000049
【図２１Ｂ】
2019518921.tif 000050
【図２２】
2019518921.tif 000051
【図２３Ａ】
2019518921.tif 000052
【図２３Ｂ】
2019518921.tif 000053
【図２３Ｃ】
2019518921.tif 000054
【図２３Ｄ】
2019518921.tif 000055
【図２４Ａ】
2019518921.tif 000056
【図２４Ｂ】
2019518921.tif 000057
【図２４Ｃ】
2019518921.tif 000058
【図２５Ａ】
2019518921.tif 000059
【図２５Ｂ】
2019518921.tif 000060
【図２５Ｃ】
2019518921.tif 000061
【図２６Ａ】
2019518921.tif 000062
【図２６Ｂ】
2019518921.tif 000063
【図２７Ａ】
2019518921.tif 000064
【図２７Ｂ】
2019518921.tif 000065
【図２７Ｃ】
2019518921.tif 000066
【図２８Ａ】
2019518921.tif 000067
【図２８Ｂ】
2019518921.tif 000068
【図２８Ｃ】
2019518921.tif 000069
【図２８Ｄ】
2019518921.tif 000070
【図２８Ｅ】
2019518921.tif 000071
【図２９Ａ】
2019518921.tif 000072
【図２９Ｂ】
2019518921.tif 000073
【図３０Ａ】
2019518921.tif 000074
【図３０Ｂ】
2019518921.tif 000075
【図３０Ｃ】
2019518921.tif 000076
【図３０Ｄ】
2019518921.tif 000077
【図３１Ａ】
2019518921.tif 000078
【図３１Ｂ】
2019518921.tif 000079
【図３２Ａ】
2019518921.tif 000080
【図３２Ｂ】
2019518921.tif 000081
【図３３Ａ】
2019518921.tif 000082
【図３３Ｂ】
2019518921.tif 000083
【図３３Ｃ】
2019518921.tif 000084
【図３３Ｄ】
2019518921.tif 000085
【図３３Ｅ】
2019518921.tif 000086
【図３３Ｆ】
2019518921.tif 000087
【図３４】
2019518921.tif 000088
【図３５】
2019518921.tif 000089
【図３６】
2019518921.tif 000090
【図３７】
2019518921.tif 000091
【図３８】
2019518921.tif 000092
【図３９】
2019518921.tif 000093
【図４０】
2019518921.tif 000094
【図４１】
2019518921.tif 000095
【図４２】
2019518921.tif 000096
【図４３】
2019518921.tif 000097
【図４４】
2019518921.tif 000098
【図４５】
2019518921.tif 000099
【図４６】
2019518921.tif 000100
【図４７】
2019518921.tif 000101
【図４８】
2019518921.tif 000102
【手続補正書】
【提出日】平成30年11月27日(2018.11.27)
【手続補正１】
【補正対象書類名】特許請求の範囲
【補正対象項目名】全文
【補正方法】変更
【補正の内容】
【特許請求の範囲】
【請求項１】
構造アセンブリを着脱可能に構成する際に用いられる可搬のモジュールコンポーネントのキットであって、
１対の反対向きの雄の端部を有している複数の第１の細長い構造支持コンポーネントと、
１対の反対向きの端部を有しており、第１の端部は雄の端部であり、第２の端部は雌の端部である複数の第２の細長い構造支持コンポーネントと、
１対の反対向きの雌の端部を有している複数の第３の細長い構造支持コンポーネントと
を含んでおり、
前記雄の端部は、前記雌の端部に着脱可能に係合するように構成され、前記雄の端部の各々は、円柱形の本体を備え、該円柱形の本体の外周面に少なくとも１つの直線状の突起セットが存在し、各々の突起セットは、間隔を空けて位置する２つ以上の突起を有しており、
前記雌の端部の各々は、前記円柱形の本体を受け入れる円柱形のレセプタクルを有し、該レセプタクルは、前記少なくとも１つの直線状の突起セットをスライドによって受け入れる１つ以上の直線状チャネルを有し、前記雌の端部の各々は、前記雄の端部のうちの１つに解除可能に係合するロック用アセンブリを備えている、キット。
【請求項２】
前記第１の細長い構造支持コンポーネントまたは前記第２の細長い構造支持コンポーネントの前記雄の端部のうちの１つが、前記第２または前記第３の構造支持コンポーネントの長手軸を中心にして回転可能である、請求項１に記載のキット。
【請求項３】
前記第２の細長い構造支持コンポーネントまたは前記第３の細長い構造支持コンポーネントの前記雌の端部のうちの１つが、前記第１または前記第２の構造支持コンポーネントの長手軸を中心にして回転可能である、請求項１に記載のキット。
【請求項４】
前記第１の細長い構造支持コンポーネントおよび／または前記第２の細長い構造支持コンポーネントおよび／または前記第３の細長い構造支持コンポーネントは、半径方向に外側へと延びる１つ以上の雄の端部を有し、該雄の端部の各々は、円柱形の本体を備え、該円柱形の本体の外周面に少なくとも１つの直線状の突起セットまたは間隔を空けて位置する２つ以上のセットが存在し、各々の突起セットは、間隔を空けて位置する２つ以上の突起を有し、該雄の端部は、前記雌の端部に回転可能かつ着脱可能に係合するように構成されている、請求項１に記載のキット。
【請求項５】
撮像装置および／または録音装置および／または音響再生装置および／または照明装置および／または光案内装置を着脱可能に係合させるように構成された１つ以上のモジュールをさらに備え、該モジュールの各々は、前記第２の細長い構造支持コンポーネントまたは前記第３の細長い構造支持コンポーネントに回転可能かつ着脱可能に係合するための雄の端部コンポーネントを備え、あるいは該モジュールの各々は、前記第１の細長い構造支持コンポーネントまたは前記第２の細長い構造支持コンポーネントに回転可能かつ着脱可能に係合するための雌の端部コンポーネントを備えている、請求項１に記載のキット。
【請求項６】
ホイールモジュールおよび／または釣り合いおもりバランスモジュールおよび／またはドームパッドモジュールおよび／または座席モジュールのうちの１つ以上をさらに備え、前記ホイールモジュール、前記釣り合いおもりバランスモジュール、前記ドームパッドモジュール、および前記座席モジュールの各々は、前記第２の細長い構造支持コンポーネントまたは前記第３の細長い構造支持コンポーネントに回転可能かつ着脱可能に係合するための雄の端部コンポーネントを備え、あるいは前記ホイールモジュール、前記釣り合いおもりバランスモジュール、前記ドームパッドモジュール、および前記座席モジュールの各々は、前記第１の細長い構造支持コンポーネントまたは前記第２の細長い構造支持コンポーネントに回転可能かつ着脱可能に係合するための雌の端部コンポーネントを備えている、請求項１に記載のキット。
【請求項７】
１つ以上のキャップ用モジュールをさらに備え、前記キャップ用モジュールは、前記第２の細長い構造支持コンポーネントまたは前記第３の細長い構造支持コンポーネントに着脱可能に係合するための雄の端部コンポーネントを備え、あるいは前記キャップ用モジュールは、前記第１の細長い構造支持コンポーネントまたは前記第２の細長い構造支持コンポーネントに着脱可能に係合するための雌の端部コンポーネントを備えている、請求項１に記載のキット。
【請求項８】
細長い構造要素が、前記第１の細長い構造支持コンポーネントの対向する雄の端部の対および／または前記第２の細長い構造コンポーネントの対向する端部の対および／または前記第３の細長い構造支持コンポーネントの対向する雌の端部の対に介装され、前記細長い構造要素は、管またはロッドであり、該管または該ロッドは、円形の断面または楕円形の断面または正方形の断面または矩形の断面または台形の断面または三角形の断面または六角形の断面または八角形の断面または十角形の断面またはＩ字形の断面を有している、請求項１に記載のキット。
【請求項９】
前記細長い構造要素は、半径方向に外側へと延びる１つ以上の雄の端部を有し、該雄の端部の各々は、円柱形の本体を備え、該円柱形の本体の外周面に少なくとも１つの直線状の突起セットまたは間隔を空けて位置する２つ以上のセットが存在し、各々の突起セットは、間隔を空けて位置する２つ以上の突起を有し、該雄の端部は、前記雌の端部に回転可能かつ着脱可能に係合するように構成されている、請求項８に記載のキット。
【請求項１０】
撮像装置および／または録音装置および／または音響再生装置および／または照明装置および／または光案内装置を着脱可能に係合させるように構成された１つ以上のモジュールをさらに備え、該モジュールの各々は、前記第２の細長い構造支持コンポーネントまたは前記第３の細長い構造支持コンポーネントに回転可能かつ着脱可能に係合するための雄の端部コンポーネントを備え、あるいは該モジュールの各々は、前記第１の細長い構造支持コンポーネントまたは前記第２の細長い構造支持コンポーネントに回転可能かつ着脱可能に係合するための雌の端部コンポーネントを備えている、請求項８に記載のキット。
【請求項１１】
ホイールモジュールおよび／または釣り合いおもりバランスモジュールおよび／またはドームパッドモジュールおよび／または座席モジュールのうちの１つ以上をさらに備え、前記ホイールモジュール、前記釣り合いおもりバランスモジュール、前記ドームパッドモジュール、および前記座席モジュールの各々は、前記第２の細長い構造支持コンポーネントまたは前記第３の細長い構造支持コンポーネントに回転可能かつ着脱可能に係合するための雄の端部コンポーネントを備え、あるいは前記ホイールモジュール、前記釣り合いおもりバランスモジュール、前記ドームパッドモジュール、および前記座席モジュールの各々は、前記第１の細長い構造支持コンポーネントまたは前記第２の細長い構造支持コンポーネントに回転可能かつ着脱可能に係合するための雌の端部コンポーネントを備えている、請求項８に記載のキット。
【請求項１２】
１つ以上のキャップ用モジュールをさらに備え、前記キャップ用モジュールは、前記第２の細長い構造支持コンポーネントまたは前記第３の細長い構造支持コンポーネントに回転可能かつ着脱可能に係合するための雄の端部コンポーネントを備え、あるいは前記キャップ用モジュールは、前記第１の細長い構造支持コンポーネントまたは前記第２の細長い構造支持コンポーネントに回転可能かつ着脱可能に係合するための雌の端部コンポーネントを備えている、請求項８に記載のキット。
【請求項１３】
前記キャップ用モジュールは、ハンドグリップモジュール、ハンドルモジュール、固定式足モジュール、調整式足モジュール、キャップ付き端部プラグモジュール、キャッププレートモジュール、バンパーモジュール、および吸着カップモジュールのうちの１つ以上である、請求項７または１２に記載のキット。
【請求項１４】
１つ以上の雄端部コンポーネントを固定することができ、あるいはオリフィスに前記第１の細長い構造支持コンポーネントまたは要素、あるいは第２の細長い構造支持コンポーネントまたは要素、あるいは第３の細長い構造支持コンポーネントまたは要素の１つ以上を着脱可能かつ随意により回転可能に係合させることができる１つ以上の平らなシートストックモジュールをさらに備える、請求項８に記載のキット。
【請求項１５】
１つ以上の第１のレール転がりモジュールをさらに備え、各々のレール転がりモジュールは、
外向き面と、反対側の内側レール対向面とを有するキャリッジプレートと、
前記キャリッジプレートの前記外向き面に係合しており、前記雌の端部に回転可能かつ着脱可能に係合するように構成されており、円柱形の本体を備えており、該円柱形の本体の外周面に少なくとも１つの直線状の突起セットまたは間隔を空けて位置する２つ以上のセットが存在し、各々の突起セットは、間隔を空けて位置する２つ以上の突起を有している雄の端部と、
前記キャリッジプレートの前記内側レール対向面に向かって延びる一致する斜めのアクスル端部を有しているアクスルブロックと、各々の斜めのアクスル端部に着脱可能に係合した自由に回転するローラとを各々が備えており、前記キャリッジプレートのおおむね両端部において前記キャリッジプレートに係合した１対のローラアセンブリと
を備える、請求項１に記載のキット。
【請求項１６】
前記斜めのアクスル端部の各々は、５度〜９０度の範囲から選択される角度で前記キャリッジプレートの前記内側レール対向面に向かって延びている、請求項１５に記載のキット。
【請求項１７】
取り付けプレートが、前記キャリッジプレートの前記外向き面に着脱可能に係合し、前記雄の端部は、前記取り付けプレートに着脱可能に係合する、請求項１５に記載のキット。
【請求項１８】
前記ローラアセンブリの各々に、衝撃吸収要素が取り付けられている、請求項１５に記載のキット。
【請求項１９】
前記キャリッジプレートの前記内側レール対向面に、レールに制御可能に接離する出し入れ可能な摩擦プレートが取り付けられている、請求項１５に記載のキット。
【請求項２０】
１つ以上の第２のレール転がりモジュールをさらに備え、該第２のレール転がりモジュールの各々は、少なくとも１つの側板によって相互接続された２つの第１のレール転がりモジュールを備え、前記側板は、第１の端部において、前記第１のレール転がりモジュールのうちの一方のレール転がりモジュールの前記１対のローラアセンブリの間に位置する前記キャリッジプレートの前記内側レール対向面または側縁に取り付けられ、前記側板は、第２の反対側の端部において、前記第１のレール転がりモジュールのうちの他方のレール転がりモジュールの前記１対のローラアセンブリの間に位置する前記キャリッジプレートの前記内側レール対向面または側縁に取り付けられている、請求項１５に記載のキット。
【請求項２１】
１つ以上の２ピースカラークランプをさらに備え、前記２ピースカラークランプの一方または両方のピースの外向き面が、１つの雄の端部または２つの雄の端部または３つの雄の端部または４つの雄の端部と着脱可能に係合するように構成されている、請求項１に記載のキット。
【請求項２２】
前記１つ以上の２ピースカラークランプは、前記第１の細長い構造支持コンポーネントおよび／または前記第２の細長い構造支持コンポーネントおよび／または前記第３の細長い構造支持コンポーネントおよび／または前記第１の細長い構造支持要素および／または前記第２の細長い構造支持要素および／または前記第３の細長い構造支持要素と着脱可能に係合するように構成されている、請求項１に記載のキット。
【請求項２３】
１つ以上の３ピースカラークランプをさらに備え、（ｉ）前記カラークランプのピースのうちの１つは、シャフトの約半分を囲むように構成され、１つの雄の端部または２つの雄の端部または３つの雄の端部または４つの雄の端部と着脱可能に係合するように構成された外向き面を有しており、（ｉｉ）残りの２つのピースは、一致しており、前記シャフトの約４分の１を囲むように構成され、フラットプレートと着脱可能に係合するように構成されている、請求項１に記載のキット。
【請求項２４】
１つ以上の外向きの雄の端部と着脱可能に係合する１つ以上の取り付けブロックをさらに備える、請求項１に記載のキット。
【請求項２５】
前記取り付けブロックは、立方体、または底部と３つの上方へと延びる面とを有する等辺ピラミッド、または底部と４つの上方へと延びる面とを有する等辺ピラミッドのうちの１つである、請求項２４に記載のキット。
【請求項２６】
前記取り付けブロックは、円形シャフト、三角形シャフト、正方形シャフト、矩形シャフト、五角形シャフト、六角形シャフト、七角形シャフト、八角形シャフト、および十角形シャフトのうちの１つである、請求項２４に記載のキット。
【請求項２７】
前記第１の細長い構造支持コンポーネントまたは前記第２の細長い構造支持コンポーネントの前記雄の端部には、前記直線状の突起セットが設けられていない、請求項１に記載のキット。
【国際調査報告】
2019518921.tif 000103
2019518921.tif 000104